(57)【要約】      （修正有）【課題】サイフォン式便器のパフォーマンスを改善し、特に噴出チャネルを占有する水洗前空気を管理し、詰まりを抑え、水洗パフォーマンスを犠牲にすることなく水洗作用中に改善された洗浄を可能にする呼び水型噴出便器の提供。【解決手段】水洗便器のための調整可能な水洗コネクタ１１１５０であって、第１の回転可能なコネクタを有する第１のセクション１１１５１と、第２のセクション１１１５２と、第２の回転可能なコネクタを有する調整可能なコネクタ１１１５６と、調整可能なコネクタ１１１５６は前記第２のセクション１１１５２に沿って長手方向に移動可能であり、回転可能に位置決め可能である、を備える調整可能な水洗コネクタ。【選択図】図６９
2020041409.tif 000002
【特許請求の範囲】
【請求項１】
水洗便器のための調整可能な水洗コネクタであって、
第１の回転可能なコネクタを有する第１のセクションと、
第２のセクションと、
第２の回転可能なコネクタを有する調整可能なコネクタと、前記調整可能なコネクタは前記第２のセクションに沿って長手方向に移動可能であり、回転可能に位置決め可能である、を備える調整可能な水洗コネクタ。
【請求項２】
前記水洗便器は、サイフォン式水洗便器である請求項１に記載の調整可能な水洗コネクタ。
【請求項３】
中を通る通路を画成する、前記第２のセクションの表面の一部および前記調整可能なコネクタの内部表面は、各々、前記調整可能なコネクタが前記第２のセクションに沿って長手方向に、および回転可能に調整されることを可能にするようにねじ山を付けられる請求項１に記載の調整可能な水洗コネクタ。
【請求項４】
前記第１の回転可能なコネクタは、回転ロッドに接続可能であるように構成される請求項１に記載の調整可能な水洗コネクタ。
【請求項５】
前記第２の回転可能なコネクタは、水洗作動バーに接続可能であるように構成される請求項１に記載の調整可能な水洗コネクタ。
【請求項６】
前記第２の回転可能なコネクタは、第１の弁アセンブリに接続されている第１の部分と第２の弁がアセンブリに接続されている第２の部分とを備える水洗作動バーに接続可能であるように構成される請求項１に記載の調整可能な水洗コネクタ。
【請求項７】
水洗便器において使用するための水洗作動アセンブリであって、
第１の部分と第２の部分とを備える水洗作動バーと、前記第１の部分は第１の弁アセンブリに接続されるように構成され、前記第２の部分は第２の弁アセンブリに接続されるように構成される、
回転ロッドと、
前記回転ロッドと前記水洗作動バーとを動作可能に接続するように位置決めされているコネクタとを備える水洗作動アセンブリ。
【請求項８】
前記コネクタは調整可能な水洗コネクタであり、前記調整可能な水洗コネクタは第１のセクションと、第２のセクションと、調整可能なコネクタとを備え、
ここにおいて、前記調整可能なコネクタは、第２の回転可能なコネクタを備え、前記調整可能なコネクタは、前記調整可能な水洗コネクタの前記第２のセクションに沿って長手方向に移動可能であり、回転可能に位置決め可能であり、
ここにおいて、前記調整可能な水洗コネクタは、前記調整可能な水洗コネクタの前記第１のセクション上に配置されている第１の回転可能なコネクタを使用して前記回転ロッドに接続され、前記調整可能な水洗コネクタは、前記調整可能なコネクタの前記第２の回転可能なコネクタを使用して前記水洗作動バーに接続される請求項７に記載の水洗作動アセンブリ。
【請求項９】
前記水洗便器は、サイフォン式水洗便器である請求項８に記載の水洗作動アセンブリ。
【請求項１０】
中を通る通路を画成する、前記調整可能な水洗コネクタの前記第２のセクションの表面の一部および前記調整可能なコネクタの内部表面は、各々、前記調整可能なコネクタが前記調整可能な水洗コネクタの前記第２のセクションに沿って長手方向に、および回転可能に調整することを可能にするようにねじ山を付けられる請求項８に記載の水洗作動アセンブリ。
【請求項１１】
前記水洗作動バーの前記第１の部分は、リム弁アセンブリに接続されるように構成される請求項８に記載の水洗作動アセンブリ。
【請求項１２】
前記水洗作動バーの前記第２の部分は、噴出弁アセンブリに接続されるように構成される請求項８に記載の水洗作動アセンブリ。
【請求項１３】
前記水洗作動バーの前記第１の部分および前記水洗作動バーの前記第２の部分のうちの少なくとも一方は、弁本体部と、シールと前記シールを曲げて弁を徐々に開くことができるように構成されている硬質カバーとを備える弁カバーとを有する弁アセンブリに接続するように構成される請求項８に記載の水洗作動アセンブリ。
【請求項１４】
前記シールは、封止表面と係止表面とを備え、ここにおいて、前記係止表面は、前記硬質カバー内の複数の対応する開口部と係合するように前記係止表面上に位置決めされている複数の係止ラグを備える請求項１３に記載の水洗作動アセンブリ。
【請求項１５】
前記シールは、封止表面と係止表面とを備え、少なくとも前記封止表面は、シリコーンを備える請求項１３に記載の水洗作動アセンブリ。
【請求項１６】
弁本体部を備える水洗弁を有する水洗弁アセンブリ用の弁カバーであって、前記弁カバーは、前記弁本体部に被さるように位置決めされ、前記弁カバーは
シールと、
前記弁カバーを徐々に開くために前記シールとともに曲がることができるように構成されている硬質カバーとを備える水洗弁アセンブリ用の弁カバー。
【請求項１７】
前記シールは、封止表面と係止表面とを備え、ここにおいて、前記係止表面は、前記硬質カバー内の複数の対応する開口部と係合するように前記係止表面上に位置決めされている複数の係止ラグを備える請求項１６に記載の水洗弁アセンブリ用の弁カバー。
【請求項１８】
各係止ラグは、ヘッド部とネック部とを備え、ここにおいて、前記ネック部の頂部表面の断面上の横断線に沿って測定された距離は、前記ヘッド部の底部表面の断面上の横断線に沿って測定された距離よりも小さい請求項１７に記載の弁カバー。
【請求項１９】
前記複数の係止ラグは、第１の列、第２の列、および第３の列で配置構成される請求項１７に記載の水洗弁アセンブリ用の弁カバー。
【請求項２０】
前記第１の列は、前記弁カバーを通る中心垂直長手方向平面上の前記弁カバーの前縁の地点から約５ｍｍから約１５ｍｍのところに配置され、前記第２の列は、前記地点から約４０ｍｍから約５０ｍｍのところに配置され、前記第３の列は、前記地点から約６０ｍｍから約８０ｍｍのところに配置される請求項１９に記載の水洗弁アセンブリ用の弁カバー。
【請求項２１】
前記第１の列、前記第２の列、および前記第３の列の各々は、少なくとも１つの係止ラグを備える請求項１９に記載の水洗弁アセンブリ用の弁カバー。
【請求項２２】
各係止ラグは、ヘッド部とネック部とを備え、ここにおいて、前記ネック部は、一般的に円筒の形状を有し、前記ヘッド部は、一般的に、丸みのある頂部表面を有する円錐形状である請求項１９に記載の弁カバー。
【請求項２３】
係止ラグの前記第１の列の前記ヘッド部および係止ラグの前記第２の列のヘッド部は、一般的に、前記弁カバーの中心垂直長手方向平面に面する側に沿って平坦である請求項２２に記載の弁カバー。
【請求項２４】
少なくとも前記封止表面は、シリコーンを備える請求項１７に記載の弁カバー。
【請求項２５】
前記硬質カバーは、剥離セクションと持ち上げセクションとを備える請求項１７に記載の弁カバー。
【請求項２６】
前記剥離セクションの後縁と前記持ち上げセクションの前縁との間に横方向の分離があり、ここにおいて、前記剥離セクションの前記後縁および前記持ち上げセクションの前記前縁は、互いに実質的に平行であり、中心長手方向平面に対して実質的に垂直であり、前記剥離セクションの前記後縁から前記持ち上げセクションの前記前縁までの間で測定された横方向の距離は、約１０ｍｍから約２０ｍｍである請求項２５に記載の弁カバー。
【請求項２７】
前記剥離セクションは、少なくとも１つのヒンジ付きマウントを備え、前記ヒンジ付きマウントは前記持ち上げセクションと接続するように構成される請求項２５に記載の弁カバー。
【請求項２８】
前記シールは、前記剥離セクションおよび前記硬質カバーの前記持ち上げセクションと向かい合って係合するように位置決めされる請求項２５に記載の弁カバー。
【請求項２９】
前記シールは、複数の係止ラグを使用することで前記剥離セクションと前記持ち上げセクションとに接続される請求項２５に記載の弁カバー。
【請求項３０】
前記シールは、接着剤を使用することで前記剥離セクションと前記持ち上げセクションとに接続される請求項２５に記載の弁カバー。
【請求項３１】
前記剥離セクションは、水洗作動バーと相互作用するように構成される請求項２５に記載の弁カバー。
【請求項３２】
フロートアタッチメントをさらに備える請求項３１に記載の弁カバー。
【請求項３３】
水洗便器用の弁アセンブリであって、
弁本体部を第２の弁アセンブリの第２の弁本体部に関連付けるためのリンクを備える前記弁本体部と、
弁カバーとを備える水洗便器用の弁アセンブリ。
【請求項３４】
水洗便器は、サイフォン式水洗便器である請求項３３に記載の弁アセンブリ。
【請求項３５】
前記弁本体部に接続され、前記弁カバーが閉じられたときに液体が前記弁本体部に入ることを可能にするように構成されているオーバーフロー管をさらに備える請求項３３に記載の弁アセンブリ。
【請求項３６】
前記弁カバーは水洗弁本体部を備え、ここにおいて、前記弁カバーは、前記弁本体部に被さるように位置決めされ、前記弁カバーは
シールと、
前記弁カバーを徐々に開くために前記シールとともに曲がることができるように構成されている硬質カバーとを備える請求項３３に記載の弁アセンブリ。
【請求項３７】
前記シールは、封止表面と係止表面とを備え、ここにおいて、前記係止表面は、前記硬質カバー内の複数の対応する開口部と係合するように前記係止表面上に位置決めされている複数の係止ラグを備える請求項３６に記載の弁アセンブリ。
【請求項３８】
多重水洗弁アセンブリであって、
第１の弁本体部と、第１のリンクと、第１の弁カバーとを備える第１の弁アセンブリと、
第２の弁本体部と、第２のリンクと、第２の弁カバーとを備える第２の弁アセンブリとを備え、
ここにおいて、前記第１の弁アセンブリおよび前記第２の弁アセンブリは、前記第１のリンクと前記第２のリンクとを噛み合わせることにより互いに関連付け合うように構成される多重水洗弁アセンブリ。
【請求項３９】
前記第１のリンクは、下向きフック形状を有し、前記第２のリンクは、上向きの突起部を有し、前記上向きの突起部は前記下向きフック形状と噛み合って前記第１の弁アセンブリと前記第２の弁アセンブリとの整列状態を維持するように構成される請求項３８に記載の多重水洗弁アセンブリ。
【請求項４０】
サイフォン式水洗便器であって、
便器と、
第１の弁アセンブリと、
第２の弁アセンブリと、
第１の部分と第２の部分とを備え、前記第１の部分は前記第１の弁アセンブリに接続されるように構成され、前記第２の部分は前記第２の弁アセンブリに接続されるように構成される水洗作動バーと、
回転ロッドと、
前記回転ロッドと前記水洗作動バーとを動作可能に接続するように位置決めされている調整可能な水洗コネクタと、前記調整可能な水洗コネクタは第１のセクションと、前記調整可能な水洗コネクタの第２のセクションと、調整可能なコネクタとを備え、ここにおいて、前記調整可能なコネクタは、第２の回転可能なコネクタを備え、前記調整可能なコネクタは、前記第２のセクションに沿って長手方向に移動可能であり、回転可能に位置決め可能であり、前記調整可能な水洗コネクタは、前記調整可能な水洗コネクタの前記第１のセクション上に配置されている第１の回転可能なコネクタを使用して前記回転ロッドに接続され、前記調整可能な水洗コネクタは、前記調整可能なコネクタの前記第２の回転可能なコネクタを使用して前記水洗作動バーに接続される、
を備える水洗作動アセンブリと
を備えるサイフォン式水洗便器。
【請求項４１】
前記第１の弁アセンブリは、リム水洗弁アセンブリである請求項４０に記載のサイフォン式便器。
【請求項４２】
前記第２の弁アセンブリは、噴出水洗弁アセンブリである請求項４０に記載のサイフォン式便器。
【請求項４３】
水洗便器であって、
便器と、
水洗作動アセンブリと、
第１のリンクと第１の弁カバーとを備える第１の弁本体部と、
第２のリンクと、第２の弁カバーとを備える第２の弁本体部を備える第２の弁アセンブリと、ここにおいて、第１の弁アセンブリおよび前記第２の弁アセンブリは、前記第１のリンクと前記第２のリンクとを噛み合わせることにより互いに関連付け合うように構成される、を備える第１の弁アセンブリ
を備える多重水洗弁アセンブリと、
を備える水洗便器。
【請求項４４】
前記水洗便器は、サイフォン式便器である請求項４３に記載の便器。
【請求項４５】
前記第１のリンクは、下向きフック形状を有し、前記第２のリンクは、上向きの突起部を有し、前記上向きの突起部は前記下向きフック形状と噛み合って前記第１の弁アセンブリと前記第２の弁アセンブリとの整列状態を維持するように構成される請求項４３に記載の便器。
【請求項４６】
水洗便器において使用するためのアセンブリキットであって、
第１の弁アセンブリと、
第２の弁アセンブリと、
第１の部分と第２の部分とを備える水洗作動バーと、
回転ロッドと前記水洗作動バーとを動作可能に接続するように位置決めされている調整可能な水洗コネクタと、前記調整可能な水洗コネクタは第１のセクションと、前記調整可能な水洗コネクタの第２のセクションと、調整可能なコネクタとを備え、ここにおいて、前記調整可能なコネクタは、第２の回転可能なコネクタを備え、前記調整可能なコネクタは、前記第２のセクションに沿って長手方向に移動可能であり、回転可能に位置決め可能であり、前記調整可能な水洗コネクタは、前記調整可能な水洗コネクタの前記第１のセクション上に配置されている第１の回転可能なコネクタを使用して回転ロッドに接続するように構成され、前記調整可能な水洗コネクタは、前記調整可能なコネクタの前記第２の回転可能なコネクタを使用して前記水洗作動バーに接続される、
を備える水洗作動アセンブリと、
を備えるアセンブリキット。
【請求項４７】
前記水洗便器は、サイフォン式水洗便器である請求項４６に記載のアセンブリキット。
【請求項４８】
前記第２の弁アセンブリは、フロートアタッチメントを備える請求項４６に記載のアセンブリキット。
【請求項４９】
前記フロートアタッチメントは、フロートアセンブリ、チェーン、ひも、コード、ロープ、ステンレスケーブル、硬質ロッド、またはワイヤを備える群から選択される請求項４８に記載のアセンブリキット。
【請求項５０】
便器において使用するためのアセンブリキットであって、
水洗作動アセンブリと、
多重水洗弁アセンブリと、
ここにおいて、前記多重水洗弁アセンブリは、第１のリンクと第１の弁カバーとを備える第１の弁本体部を備える第１の弁アセンブリと、
第２のリンクと、第２の弁カバーとを備える第２の弁本体部を備える第２の弁アセンブリとを備え、
ここにおいて、前記第１の弁アセンブリおよび前記第２の弁アセンブリは、前記第１のリンクと前記第２のリンクとを噛み合わせることで互いに関連付けられる、
を備えるアセンブリキット。
【請求項５１】
タンク／ボウル間ガスケットツールをさらに備え、ここにおいて、二重水洗弁アセンブリは、第１のタンク／ボウル間ガスケットと第２のタンク／ボウル間ガスケットとを備え、第１および第２のタンク／ボウル間ガスケットは外縁を備え、前記タンク／ボウル間ガスケットツールは、前記タンク／ボウル間ガスケットの前記外縁と嵌合するように構成され、前記タンク／ボウル間ガスケットを便器ボウルに取り付けるためのレンチとして使用され得る請求項４８に記載のアセンブリキット。
【発明の詳細な説明】
【技術分野】
【０００１】
関連出願の相互参照
[0002]本出願は、２０１４年９月１２日に出願した米国仮特許出願第６２／０４９，７３６号、名称「Ｐｒｉｍｅｄ  Ｊｅｔ  Ｔｏｉｌｅｔ」の米国特許法第１１９条（ｅ）項に基づく利益を主張するものであり、２０１３年４月１０日に出願した米国仮特許出願第６１／８１０，６６４号、名称「Ｐｒｉｍｅｄ  Ｓｉｐｈｏｎｉｃ  Ｆｌｕｓｈ  Ｔｏｉｌｅｔ」の、および２０１２年１１月１３日に出願した米国仮特許出願第６１／７２５，８３２号、名称「Ｐｒｉｍｅｄ  Ｓｉｐｈｏｎｉｃ  Ｆｌｕｓｈ  Ｔｏｉｌｅｔ」の、米国特許法第１１９条（ｅ）項に基づく利益を主張する、英語で公開され、米国特許法第１２０条（ｅ）項に基づき２０１３年１１月１３日に出願した国際特許出願第ＰＣＴ／ＵＳ２０１３／０６９９６１号の継続出願として米国特許法第１２０条（ｅ）項に基づき優先権を主張する、米国特許法第１２０条（ｅ）項に基づき２０１５年２月１１日に出願した米国非仮特許出願第１４／６１９，９８９号、名称「Ｐｒｉｍｅｄ  Ｓｉｐｈｏｎｉｃ  Ｆｌｕｓｈ  Ｔｏｉｌｅｔ」の一部継続出願としての優先権も主張するものである。上記出願の開示全体は、参照により本明細書に組み込まれている。
【０００２】
[0003]本発明は、人間および他の排泄物の除去のための重力式便器の分野に関するものである。本発明は、性能を改善するために呼び水送達システム（primed water delivery system）によって動作する便器の分野にさらに関係する。
【背景技術】
【０００３】
[0004]人間の排泄物などの、廃棄物を除去するための便器が、よく知られている。重力式便器は、一般的に、２つの主要部品、すなわち、タンクとボウルとを有する。タンクおよびボウルは、一緒に結合されて便器システム（一般に２ピース便器と称される）を形成する個別部品であるか、または組み合わされて１つの一体型ユニット（典型的には１ピース便器と称される）となるものであり得る。
【０００４】
[0005]ボウルの背部分に通常位置するタンクは、ボウルから下水道までの排泄物の水洗作用を開始するとともに、新鮮な水をボウルに補充するために使用される水を収容する。使用者が、便器を流したくなったときに、使用者は、タンクの内側で可動式チェーンまたはレバーに接続されている、タンクの外側に付いている水洗レバーを押し下げる。水洗レバーが押下されると、これはタンクの内側の、水洗弁を持ち上げて、開く働きをするチェーンまたはレバーを動かし、水をタンクからボウル内に流し、それにより便器水洗を開始する。
【０００５】
[0006]水洗サイクルで果たされなければならない一般的な目的が３つある。第１の目的は、固体および他の排泄物の、排水管への除去である。第２の目的は、ボウルの表面に堆積または付着した固体または液体の排泄物を除去するためのボウルの洗浄であり、第３の目的は、次の使用までの間に比較的きれいな水がボウル内に残るようにボウル内の水洗前水量分を入れ換えることである。第２の要求条件である、ボウルの洗浄は、通常、便器ボウルの上側周上に延在する中空リムを用いて達成される。水洗水の一部または全部は、リムチャネルを通るように向けられ、その中に位置する開口部を通って流れ、ボウルの表面全体に散水し、必要な洗浄を果たす。第３の要求条件は、きれいな水をボウルに補充し、それにより下水ガスの逆流に対して封水深を回復し、次の使用および水洗に備えることである。
【０００６】
[0007]重力式便器は、洗い落とし式およびサイフォン式の、２つの一般的なカテゴリに分けることができる。洗い落とし式便器では、便器のボウル内の水位は、常時比較的一定している。水洗サイクルが開始されると、水はタンクから流れ出てボウル内に溢出する。これは、水位の急速な上昇を引き起こし、余分な水は、トラップウェイの堰上に溢出して、これと一緒に液体および固体の排泄物を運ぶ。水洗サイクルの最後に、ボウル内の水位は、堰の高さによって決定される均衡水位に自然に戻る。
【０００７】
[0008]サイフォン式便器では、トラップウェイおよび他の水圧チャネルは、ボウルに水が加えられた後、トラップウェイ内でサイフォンが開始されるように設計される。サイフォン管それ自体は、水を便器ボウルから汚水管に引き出す逆Ｕ字形状管である。水洗サイクルが開始されたとき、水は、便器ボウル内に流れ込み、これが下水道への出口を出得るよりも速くトラップウェイ内の堰上に溢出する。最終的には、十分な空気が、トラップウェイの下方脚部から除去されてサイフォンが開始され、サイフォンは、次いで、残りの水をボウルの外に引き出す。サイフォンが途切れたときのボウル内の水位は、結果として、堰のレベルよりも十分に低く、サイフォン水洗サイクルの最後に便器のボウルに水を補充して元の水位と下水内ガスの逆流に対する保護「封止」とを再確立するために、別個の機構が設けられる必要がある。
【０００８】
[0009]サイフォン式および洗い落とし式便器は、固有の利点および欠点を有する。サイフォン式便器は、サイフォンを開始するために空気のほとんどがトラップウェイの下方脚部から除去されなければならないという要求条件により、より小さいトラップウェイを有する傾向があり、その結果、詰まりが生じ得る。洗い落とし式便器は、大きいトラップウェイで機能することができるが、一般的には、ほとんどの国における配管規則によって要求される１００：１希釈レベル（すなわち、ボウル内の水洗前水量の９９％が、水洗サイクル中にボウルから除去され、新鮮な水で置き換えられなければならない）を達成するためにボウル内の水洗前水の量をより少なくすることを必要とする。この少ない水洗前量は、小さい「ウォータースポット」として現れる。ボウル内の水洗前水のウォータースポット、または表面領域は、便器の清潔性を維持する上で重要な役割を果たす。大きいウォータースポットは、排泄物が、便器のセラミック表面と接触する前に水と接触する確率を高める。これは、排出物がセラミック表面に付着することを低減させ、それによって便器を水洗サイクルによって自己清掃させることをより容易にする。小さいウォータースポットを備えた洗い落とし式便器は、したがって、使用後にボウルの手作業による清掃を必要とすることが多い。
【０００９】
[0010]サイフォン式便器は、ボウル内のより多い水洗前水量およびより大きいウォータースポットで機能することができるという利点を有する。これは、サイフォン作用が、水洗サイクルの最後に水洗前水量のほとんどをボウルから引っ張るために可能である。タンクが補充されると、補充水の一部分は、ボウル内に向けられ、水洗前水量をその元の水位に戻すことができる。このようにして、多くの配管規則によって要求される１００：１希釈レベルは、ボウル内の水の開始量が、タンクから出される水洗水に比べてかなり多い場合でも達成される。北アメリカ市場では、サイフォン式便器は、幅広く一般に受け入れられており、現在では、便器の標準的な、一般に受け入れられている形態としてみなされている。ヨーロッパ市場では、洗い落とし式便器が、依然としてより受け入れられており、人気があるが、一方で両方のバージョンがアジア市場では一般的である。
【００１０】
[0011]重力サイフォン式便器は、水洗作用を達成するために使用される水圧チャネルの設計に応じて、さらに３つの一般的なカテゴリに分類され得る。これらのカテゴリは、非噴出式、リム噴出式、および直接噴出式である。
【００１１】
[0012]非噴出式ボウルでは、水洗水のすべては、タンクを出てボウル入口領域に入り、主マニホールドを流れ抜けてリムチャネルに入る。水は、リムの下に位置決めされた一連の穴を介してボウルの周上に撒かれる。穴のいくつかは、より多くの水がボウル内に流れることを可能にするためにサイズをより大きくするように設計され得る。下方脚部内の十分な空気を変位させ、サイフォンを開始するのに十分なすばやさでトラップウェイの堰上に水を溢出させるために、比較的高い流量が必要とされる。非噴出式ボウルは、通常、ボウルの洗浄および水洗前水の交換に関して十分良好なパフォーマンスを有するが、大量除去に関するパフォーマンスは比較的劣る。トラップウェイへの水の供給は不十分であり、乱流であり、それによってトラップウェイの下方脚部を十分に満たし、強いサイフォンを開始することをより困難にする。その結果、非噴出式便器のトラップウェイは、典型的には直径がより小さく、水の流れを妨げるように設計された曲がり部と狭窄部とを含む。より小さいサイズ、曲がり部、および狭窄部がない場合、強いサイフォンは、達成されない。残念なことに、より小さいサイズ、曲がり部、および狭窄部の結果、大量の排泄物除去に関してパフォーマンスは劣り、頻繁に詰まり、エンドユーザにとって極めて不満足な状態を生じさせる。
【００１２】
[0013]便器の設計者および技術者は、「サイフォン噴出部」を組み込むことによってサイフォン式便器の大量の排泄物除去を改善した。リム噴出式便器ボウルでは、水洗水は、タンクを出て、便器入口領域を流れ抜け、主マニホールドを流れ抜けてリムチャネルに入る。水の一部分は、リムの下に位置決めされた一連の穴を介してボウルの周上に撒かれる。水の残りの部分は、リムの正面に位置決めされた噴出チャネルを流れ抜ける。この噴出チャネルは、リムチャネルを、ボウルの水だめ内に位置決めされた噴出開口部に連結する。噴出開口部は、水の強い流れをトラップウェイの開口部に直接的に送るようなサイズを有し、位置決めがなされる。水が噴出開口部を流れ抜けたとき、これは、非噴出式ボウル内で達成され得るよりも効率的かつすばやくトラップウェイを満たすように働く。トラップウェイへのこのより勢いのあるすばやい水の流れは、便器をより大きいトラップウェイ直径とより少ない曲がり部および狭窄部とを備えて設計することを可能にし、これは、非噴出式ボウルに比べ、大量の排泄物除去におけるパフォーマンスを改善する。より少ない量の水がリム噴出式便器のリムから流出するが、ボウル洗浄機能は、リムチャネルを流れ抜ける水が、タンクからの水の上流側の流れによって加圧されるため、一般に受け入れ可能である。これは、水が、より高いエネルギーでリム穴を出て、ボウルを洗浄するより効果的な仕事を行うことを可能にする。
【００１３】
[0014]リム噴出式ボウルは、一般に、非噴出式より優れているが、水がリムを通って噴出開口部まで進行しなければならない長い通路が、利用可能なエネルギーを消散させ、無駄にする。直接噴出式ボウルは、この概念における改善を行い、排泄物の大量除去に関してより優れたパフォーマンスをもたらすことができる。直接噴出式ボウルでは、水洗水は、タンクを出て、ボウル入口を流れ抜け、主マニホールドを流れ抜ける。この時点で、水は、２つの部分、すなわちリム入口ポートを流れ抜けてリムチャネルに至る、所望のボウル洗浄を達成するという主な目的を有する部分と、噴出入口ポートを流れ抜け、主マニホールドを便器ボウルの水だめ内の噴出開口部に連結する「直接噴出チャネル」に至る部分とに分かれる。直接噴出チャネルは、様々な形態をとることができ、ときには、便器の片方の側の周りで一方向であり、または「二重供給され」され、ここにおいて、対称的なチャネルが、両側を進行して下り、マニホールドを噴出開口部に連結する。リム噴出式ボウルの場合と同様に、噴出開口部は、水の強い流れをトラップウェイの開口部に直接的に送るようなサイズを有し、位置決めがなされる。水が噴出開口部を流れ抜けたとき、これは、非噴出式ボウルまたはリム噴出式ボウル内で達成され得るよりも効率的かつすばやくトラップウェイを満たすように働く。トラップウェイへのこのより勢いのある、すばやい水の流れは、便器をさらにより大きいトラップウェイ直径と最小限の曲がり部および狭窄部とを備えて設計することを可能にし、これは、非噴出式ボウルおよびリム噴出式ボウルに比べ、大量の排泄物除去におけるパフォーマンスを改善する。
【００１４】
[0015]直接供給式噴出ボウルは、現在、排泄物の大量除去のための最新技術の大きな部分を占めているが、便器のパフォーマンスの改善に関する主要分野が依然として存在する。政府当局は、都市用水使用者が使用する水の量を低減することを継続的に要求している。近年の関心の的となっているのは大部分、便器水洗作用の作動によって必要とされる水需要を低減することである。この点を例示すると、各水洗において便器内で使用される水の量が、政府当局によって、７ガロン／１水洗（１９５０年代以前）から５．５ガロン／１水洗（１９６０年代の終わり）、３．５ガロン／１水洗（１９８０年代）まで徐々に低減されてきている。１９９５年の国家エネルギー政策法は、現在、米国内で販売される便器が、１．６ガロン／１水洗（６リットル／１水洗）量の水しか使用できないことを義務づけている。最近、水使用量を１．２８ガロン／１水洗までさらに低下させることを要求する法規が、カリフォルニア州において通された。特許文献に現在説明され、市販されている１．６ガロン／１水洗便器は、こうしたより低いレベルの水消費量に引き下げられるとサイフォン動作を一貫して行う能力を失う。したがって、メーカーは、トラップウェイの直径を低減することが余儀なくされ、また引き続き余儀なくされることになり、改善された技術および便器設計の開発なしではパフォーマンスを犠牲にすることになる。
【００１５】
[0016]いくつかの発明は、直接噴出式概念の最適化を通して、サイフォン式便器のパフォーマンスを改善することを目的としてきた。たとえば、米国特許第５，９１８，３２５号では、サイフォン式便器のパフォーマンスは、トラップウェイの形状を改善することによって改善される。米国特許第６，７１５，１６２号では、パフォーマンスは、半曲状の入口を備えた水洗弁とボウル内への水の非対称流とを用いて改善される。
【００１６】
[0017]米国特許第８，３１６，４７５Ｂ２号は、現在の環境的水使用標準を満たす低量の水を使用することに対して、増強された洗い出しおよび適切なサイフォンを可能にする加圧式リムおよび直接供給式噴出の構成を実証している。
【００１７】
[0018]米国特許出願公開第２０１２／０１９８６１０Ａ１号は、タンク入口から便器マニホールドに入る水洗水の流れをリムの入口ポート内および直接供給式噴出部の入口ポート内に分割する主マニホールド内の制御要素によって達成された高パフォーマンス便器も示す。米国特許第２，１２２，８３４号は、サイフォン作用を終了させ、システム内への逆流を防止するために空気を便器水洗サイクル内に導入するための空気マニホールドおよび水圧マニホールドを備えた便器を示している。他の発明は、便器タンクを別個のセクションに分割することによってリムと噴出部との間のパフォーマンスに対処することを試みている。米国特許第１，９３９，１１８号を参照されたい。
【００１８】
[0019]水洗量が、約６．０リットルを下回って押し出されたとき、便器の内部チャネル内の乱流および流れ制限の最小化は、最も重要である。乱流と流れに対する制限とを最小化する上で最も重要な要素の１つは、水洗サイクルを開始する前のリムチャネルと噴出チャネルとを占有する空気の管理である。空気が、水洗水が押し寄せる前にシステムから逃げることができない場合、空気は、チャネル内の空間を占有し、流れを制限し続ける。米国特許第５，９１８，３２５号は、空気吐出手段、つまり噴出チャネルをリムに接続する通路を含み、空気を水洗中に噴出チャネルからリム内に逃がすことを可能にする噴出チャネルを備えた便器を説明している。米国特許出願公開第２０１２／０１９８６１０Ａ１号は、同様に、空気および／または水が噴出チャネルとリムチャネルとの間を通ることを可能にする下流側連通ポートを備えた便器を開示している。
【００１９】
[0020]サイフォン式便器パフォーマンスをさらに改善し、特に噴出チャネルを占有する水洗前空気を管理する必要性が、当技術分野には残っている。また、詰まりを抑え、水洗パフォーマンスを犠牲にすることなく水洗作用中に著しく改善された洗浄を可能にすることによって、従来技術の便器において上記で留意した欠点を改善する便器の必要性も、当技術分野において存在する。そのような便器はまた、低い水消費量に対する十分なサイフォンを多様なトラップウェイの幾何学的形状に合わせて形成しつつ、節水基準および政府ガイドラインにも依然として適合すべきである。
【発明の概要】
【００２０】
[0021]本発明の範囲内に含まれるのは、噴出水洗弁入口と噴出水洗弁出口とを有する、流体を噴出水洗弁出口から閉じられた噴出流体通路に送達するように構成されている、少なくとも１つの噴出水洗弁アセンブリと、リム弁入口とリム弁出口とを有する少なくとも１つのリム弁と、リム弁は流体をリム弁の出口からリム入口ポートまで送達するように構成されている、内部ボウル領域を画成する内部表面を有し、（ａ）水をボウルの上側周囲領域に導入するための少なくとも１つのリム入口ポートと、（ｂ）少なくとも１つの噴出チャネルを画成する、噴出水洗弁の出口と流体的に連通する入口ポートと、ボウルの下側部分内に位置決めされ、流体をボウルの水だめ領域に吐出するように構成された噴出出口ポートとを有する、噴出部とを備え、ここにおいて、水だめ領域は堰を有するトラップウェイへの入口と流体的に連通し、閉じられた噴出流体通路は噴出チャネルを備える、ボウルとを備え、ここにおいて、噴出水洗弁はトラップウェイの堰よりも上に位置決めされ、ここにおいて、噴出チャネルを備える閉じられた噴出流体通路は、噴出水洗弁の出口から噴出部の出口まで延在し、呼び水された後、閉じられた噴出流体通路は流体で呼び水されたままであり、空気が水洗サイクルの作動前および完了後に閉じられた噴出流体通路に入るのを防止するのを補助することができる、サイフォン式水洗便器ボウルアセンブリである。
【００２１】
[0022]便器ボウルアセンブリは、一実施形態において、リムマニホールドをさらに備えるものとしてよく、ここにおいて、リムマニホールドは、流体をリム水洗弁アセンブリの出口から受け入れるためのリムマニホールド入口開口部と、流体をリム入口ポートに送達するためのリムマニホールド出口開口部とを有する。そのような一実施形態において、ボウルは、ボウルの上側周上に少なくとも部分的に延在するリムも備えるものとしてよく、リムはリム入口ポートからボウルの上側周上に延在しボウルの内部領域と流体的に連通する少なくとも１つのリム出口ポートを有するリムチャネルを画成し、ここにおいて、リム入口ポートは、リムマニホールド出口開口部と流体的に連通する。
【００２２】
[0023]アセンブリの別の実施形態において、ボウルは、少なくとも部分的にボウルの周りでリム入口ポートからボウルの上側周囲領域内のボウルの内部表面に沿って横断方向に延在するリム棚部を、流体がリム棚部に沿って進行しリム入口ポートから変位した少なくとも１つの場所内でボウルの内部空間に入ることができるように備えるリムを有することができる。
【００２３】
[0024]アセンブリは、流体を流体供給源から受け入れるように構成されたタンクも含んでいてよく、タンクは少なくとも１つの充填弁を収容する。タンクは、少なくとも１つの噴出リザーバと、少なくとも１つのリムリザーバとを含むものとしてく、噴出リザーバは噴出充填弁と少なくも１つの噴出水洗弁アセンブリとを備え、リムリザーバは、少なくとも１つのリム弁を備える。そのような一実施形態において、リムリザーバは、リム充填弁をさらに備えていてよく、リム弁は、リム水洗弁アセンブリであり、リム水洗弁アセンブリは、オーバーフロー管を備える。
【００２４】
[0025]水だめ領域内の便器ボウルの内部壁の少なくとも一部分は、噴出出口ポートからトラップウェイの入口に向かって上方向に傾斜するように構成されてもよい。
【００２５】
[0026]便器アセンブリは、好ましくは、約６．０リットル以下、より好ましくは約４．８リットル以下、いくつかの実施形態では、約２．０リットル以下の水洗量で作動することができる。
【００２６】
[0027]少なくとも１つの噴出チャネルはまた、ボウルの外部表面の下側部分の周りに少なくとも部分的に延在するように位置決めされるように構成されてもよい。
【００２７】
[0028]一実施形態におけるボウルの水だめ領域は、ボウルの内部表面によって画成され入口端部と出口端部とを有する噴出トラップを有し、ここにおいて、噴出トラップの入口端部は、流体を噴出出口ポートおよびボウルの内部領域から受け入れ、噴出トラップの出口端部は、トラップウェイへの入口と流体的に連通し、ここにおいて、噴出トラップは、封止深さを有する。噴出出口ポートの表面は、噴出トラップ内にあり、水だめ領域を長手方向に貫通して測定したとおりにトラップウェイへの入口の上側表面の下方の封止深さに位置決めされ得る。噴出トラップ封止深さは、約１ｃｍから約１５ｃｍ、好ましくは約２ｃｍから約１２ｃｍであってよく、さらに、約３ｃｍから約９ｃｍであってよい。
【００２８】
[0029]アセンブリの一実施形態におけるリム弁は、リム水洗弁入口からリム水洗弁出口まで延在するリム水洗弁本体部と、フラッパカバーなどのリム水洗弁カバーとを有するリム水洗弁アセンブリであってよい。
【００２９】
[0030]少なくとも１つの噴出チャネルは、ボウルの下方を少なくとも部分的に通るように位置決めされてもよい。一実施形態における噴出水洗弁アセンブリは、噴出水洗弁入口から噴出水洗弁出口まで延在する噴出水洗弁本体部と、水洗弁カバーとを備え、ここにおいて、噴出水洗弁は、逆流防止機構も備える。
【００３０】
[0031]噴出水洗弁アセンブリまたは任意選択のリム水洗弁アセンブリの本明細書に記載の水洗弁カバーは、少なくとも部分的に可撓性であり、開いたときに上方向に剥がれることができるように形成され得る。
【００３１】
[0032]逆流防止機構が設けられる場合、これは、押さえリンク機構、フックおよびキャッチ機構、ポペット機構、ならびに逆止弁のうちの１つまたは複数であってよい。
【００３２】
[0033]噴出水洗弁アセンブリは、また、噴出水洗弁入口から噴出水洗弁出口まで延在する噴出水洗弁本体部と、水洗弁カバーとを備え得る。そのような一実施形態において、水洗弁カバーは、少なくとも部分的に可撓性であり、開いたときに上方向に剥がれることができるように形成され得る。噴出水洗弁カバーはまた、ヒンジ付きマウントおよび／またはフロートをその上に有するチェーンの取り付けのための少なくとも１つのグロメットをさらに備え得る。少なくとも部分的に可撓性であるカバーを有するそのような一実施形態では、アセンブリは、逆流防止機構も備え得る。
【００３３】
[0034]また、本発明の範囲内にあるのは、サイフォン式水洗便器アセンブリを呼び水された状態に維持する方法であり、この方法は、（ａ）便器ボウルアセンブリを実現することと、便器ボウルアセンブリは噴出水洗弁入口および噴出水洗弁出口を有する少なくとも１つの噴出水洗弁アセンブリと、噴出水洗弁アセンブリは流体を噴出水洗弁出口から閉じられた噴出流体通路に送達するように構成される、リム弁入口とリム弁出口とを有する少なくとも１つのリム弁と、リム弁は流体をリム弁の出口からリム入口ポートに送るように構成される、内部ボウル領域を画成する内部表面を有するボウルとを備え、（ｉ）水をボウルの上側周囲領域に導入するための少なくとも１つのリム入口ポートと、（ｉｉ）少なくとも１つの噴出チャネルを画成する噴出部と、噴出部は噴出水洗弁の出口と流体的に連通する入口ポートとボウルの下側部分内に位置決めされ流体をボウルの水だめ領域に吐出するように構成されている噴出出口ポートとを有する、を備え、ここにおいて、水だめ領域は堰を有するトラップウェイへの入口と流体的に連通し、閉じられた噴出流体通路は噴出チャネルを備え、噴出水洗弁はトラップウェイの堰よりも上に位置決めされ、噴出チャネルを備える閉じられた噴出流体通路は噴出水洗弁出口から噴出部の出口ポートまで延在し、呼び水された後、閉じられた噴出流体通路は流体で呼び水されたままであり、空気が水洗サイクルの作動前および完了後に閉じられた噴出流体通路に入ることを防止するのを補助することができる、（ｂ）水洗サイクルを作動させることと、（ｃ）流体を少なくとも１つの噴出水洗弁アセンブリおよび少なくとも１つのリム弁に通して供給することと、（ｄ）水洗サイクルの完了後、閉じられた噴出流体通路を呼び水された状態に維持することとを備える。好ましい一実施形態において、流れは、水だめ内の水位が噴出出口ポートよりも上になるまで継続される。
【００３４】
[0035]上記で留意した方法では、便器ボウルアセンブリは、リムマニホールドをさらに備えるものとしてよく、ここにおいて、リムマニホールドは、流体をリム弁の出口から受け入れるように構成されたリムマニホールド入口開口部と、流体をリム入口ポートに送達するためのリムマニホールド出口開口部とを有し、ここにおいて、ボウルは、ボウルの上側周上にリムを備え、リムは、リム入口ポートから少なくとも部分的にボウルの上側周上に延在しボウルの内部領域と流体的に連通する少なくとも１つのリム出口ポートを有するリムチャネルを画成し、リム入口ポートは、リムチャネルとリムマニホールド出口開口部とに流体的に連通し、方法は、流体をリム弁の出口からリムマニホールド入口、リムマニホールド出口、リム入口ポート、リムチャネルおよび少なくとも１つのリムチャネル出口ポートを通して便器ボウルの内部領域内に導入することをさらに備える。
【００３５】
[0036]方法の一実施形態において、リムは、ボウルの上側周囲領域内のボウルの内部表面に沿ってリム入口ポートから少なくとも部分的にボウルの内部表面周上で横断方向に延在するリム棚部も備えるものとしてよく、方法は、流体を、これがリム棚部に沿って進行し、リム入口ポートから変位した少なくとも１つの場所内でボウルの内部空間に入るように、リム棚部入口ポートから導入することをさらに備え得る。
【００３６】
[0037]本方法における便器ボウルアセンブリは、流体を流体の供給源から受け入れるように構成されたタンクをさらに備えるものとしてよく、タンクは少なくとも１つの充填弁を有し、方法は、少なくとも１つの充填弁を用いてタンクを充填することと、流体をタンクから少なくとも１つの噴出水洗弁アセンブリと少なくとも１つのリム弁を通してボウルに供給することとをさらに備える。タンクは、少なくとも１つの噴出リザーバと、少なくとも１つのリムリザーバとを含むものとしてよく、噴出リザーバは噴出充填弁を備え、少なくとも１つの噴出水洗弁アセンブリは流体を噴出入口ポートに送達するように構成され、リムリザーバは少なくとも１つのリム弁を備え、流体を少なくとも１つのリム弁を通してリム入口ポートに送達するように構成され、方法は、少なくとも１つの噴出リザーバを、水洗サイクルを作動させる前に少なくとも１つの充填弁からの流体で充填することをさらに備える。少なくとも１つのリムリザーバは、リム充填弁をさらに備えるものとしてよく、方法は、リム充填弁を用いて少なくとも１つのリムリザーバを充填することをさらに備える。
【００３７】
[0038]方法は、少なくとも１つの噴出リザーバ内の流体のレベルを、水洗サイクルの完了後、タンクの少なくとも１つの充填弁から噴出水洗弁アセンブリ入口よりも上に維持することをさらに備え得る。
【００３８】
[0039]方法の別の実施形態において、噴出トラップ内では、噴出出口ポートの上側表面は、水だめ領域を長手方向に貫通して測定したとおりにトラップウェイへの入口の上側表面よりも下の封止深さに位置決めされるように構成されてよく、方法は、この封止深さを維持して、閉じられた噴出流体通路が、水洗サイクルの作動前および完了後に噴出水洗弁アセンブリからの流体で呼び水されることを円滑にすることをさらに備え得る。
【００３９】
[0040]また、本明細書の発明に含まれるのは、流体を直接供給式噴出部に送達するように構成されている少なくとも１つの噴出水洗弁アセンブリおよび流体をリムに送達するように構成されている少なくとも１つのリム弁と、リムマニホールドと、ここにおいて、流体をリム弁から受け入れるように構成されているリムマニホールド入口開口部と流体をリム入口ポートに送達するためのリムマニホールド出口開口部とを有するリムマニホールドと、内部ボウル領域を画定する内部表面を有するボウルと、（ａ）ボウルの上側周上に設けられリムチャネルを画定するリムと、リムチャネルはリムマニホールド出口開口部と流体的に連通する入口ポートとボウルの内部領域と流体的に連通する少なくとも１つのリム出口ポートとを有する、（ｂ）少なくとも１つの噴出チャネルを画定する噴出部と、噴出部は流体を噴出水洗弁アセンブリから受け入れるために噴出水洗弁アセンブリ出口と流体的に連通する入口ポートと流体をボウルの底部分内の水だめ領域に吐出するように構成されている噴出出口ポートとを有する、ここにおいて、水だめ領域は、トラップウェイの入口と流体的に連通し、（ｃ）ボウルの水だめ領域は、ボウルの内部壁によって画成され入口端部および出口端部を有する噴出トラップを有し、ここにおいて、噴出トラップの入口端部は、流体を噴出出口ポートおよびボウルの内部から受け入れ、噴出トラップの出口端部は、トラップウェイへの入口と連通し、ここにおいて、噴出トラップは、水洗サイクルの作動前および完了後、噴出チャネルおよび噴出マニホールドを、噴出水洗弁アセンブリからの流体で呼び水された状態に維持するのに十分な封止深さを有し、それによって空気が、水洗サイクルの作動前および完了後に閉じられた噴出流体通路に入ることを防ぐのを補助する、を備えるサイフォン式水洗便器ボウルアセンブリである。
【００４０】
[0041]本発明は、流体を直接供給式噴出部に送達するように構成されている少なくとも１つの噴出水洗弁アセンブリおよび流体をボウルの上側周囲部分内のリム入口ポートに送達するように構成されている少なくとも１つのリム弁と、内部ボウル領域を画成する内部表面を有するボウルを有し、（ａ）ボウルの上側周上の上側周囲部分は流体をリム入口ポートから少なくとも部分的にボウルの上側周囲部分上に、また水だめ領域に入るように向ける構成をとる、（ｂ）少なくとも１つの噴出チャネルを画成する噴出部と、噴出部は噴出水洗弁アセンブリの出口に流体的に連通する入口ポートと流体を水だめ領域に吐出するように構成されているボウルの下側部分内の噴出出口ポートとを有する、ここにおいて、水だめ領域は、トラップウェイの入口と流体的に連通し、（ｃ）ボウルの底部分内の水だめ領域は、ボウルの内部表面によって画定され入口端部と出口端部とを有する噴出トラップを有し、ここにおいて、噴出トラップの入口端部は、流体を噴出出口ポートおよびボウルの内部から受け入れ、噴出トラップの出口端部は、トラップウェイへの入口と流体的に連通し、ここにおいて、噴出トラップは、水洗サイクルの作動前および完了後、噴出チャネルおよび噴出マニホールドを、噴出水洗弁アセンブリからの流体で呼び水された状態に維持するのに十分な封止深さを有するように構成され、それによって空気が水洗サイクルの作動前および完了後に閉じられた噴出流体通路に入ることを防ぐのを補助する、を備えるサイフォン式水洗便器ボウルアセンブリをさらに含む。
【００４１】
[0042]本発明は、サイフォン式水洗便器ボウルアセンブリを呼び水された状態に維持する方法をさらに包含し、この方法は（ａ）噴出水洗弁入口と噴出水洗弁出口とを有する少なくとも１つの噴出水洗弁アセンブリと、噴出水洗弁アセンブリは流体を噴出水洗弁出口から閉じられた噴出流体通路に送達するように構成されている、弁入口とリム弁出口とを有する少なくとも１つのリム弁と、リム弁は流体をリム弁の出口からリム入口ポートに送るように構成される、内部ボウル領域を画成する内部表面を有し、ここにおいて、（ｉ）リム入口ポートが、（Ａ）ボウルの上側周上に設けられ、リム入口ポートからボウルの上側周上に延在するリムチャネルを画成し、ボウルの内部領域と流体的に連通する少なくとも１つのリム出口ポートを有するリム、または（Ｂ）ボウルの上側周囲領域内のボウルの内部表面に沿ってリム入口から少なくとも部分的にボウル周上に横断方向に延びるリム棚部のうちの１つに水を導入するように構成される、内部表面を有するボウルと、（ｉｉ）少なくとも１つの噴出チャネルを画成する噴出部と、噴出部は噴出水洗弁アセンブリの出口と流体的に連通する入口ポートとボウルの下側部分内に位置決めされ流体をボウルの水だめ領域に吐出するように構成されている噴出出口ポートとを有する、を有し、ここにおいて、水だめ領域は堰を有するトラップウェイへの入口と流体的に連通し、閉じられた噴出流体通路は噴出チャネルを備え、ここにおいて、噴出水洗弁はトラップウェイの堰よりも上に位置決めされ、噴出チャネルを備える閉じられた噴出流体通路は、噴出水洗弁の出口から噴出部の出口まで延在し、それにより、呼び水された後、閉じられた噴出流体通路は、流体で呼び水されたままになって、空気が水洗サイクルの作動前および完了後に閉じられた噴出流体通路に入ることを防ぐのを補助することができる、便器ボウルアセンブリを実現することと、（ｂ）水洗サイクルを作動させることと、（ｃ）流体を少なくとも１つの噴出水洗弁アセンブリを通して、空気が噴出出口に入らないようにし、トラップウェイ内でサイフォンを発生させるのに十分な流量で供給することと、（ｄ）噴出チャネルを通る流体の流量を、サイフォンが破れるまで約１秒から約５秒の間低下させることとを含む。
【００４２】
[0043]呼び水する方法は、水洗サイクル中、流体を少なくとも１つのリム弁に通して供給することをさらに備えるステップ（ｃ）も含み得る。方法は、水だめが流体で充填されるまで空気が噴出出口ポートに入らないようにするのに十分な流量を噴出水洗弁アセンブリ出口を通して供給することによって、設置後にボウルに最初に呼び水することをさらに備えることもできる。
【００４３】
[0044]本発明は、サイフォン式水洗便器ボウルにおいて使用するための水洗弁も含み、ここにおいて、水洗弁は、水洗弁入口から水洗弁出口まで延在する水洗弁本体部と水洗弁入口上を延在するように構成されているフラッパカバーとを有し、ここにおいて、水洗弁は、逆流防止機構をさらに備える。逆流防止機構は、押さえリンク機構、フックおよびキャッチ機構、ポペット機構、および逆止弁のうちの１つまたは複数であってよい。水洗弁は、少なくとも部分的に可撓性であり、開いたときに上方向に剥がれることができる水洗弁カバーも備え得る。水洗弁カバーは、また、カバーを持ち上げることを補助するヒンジ付きマウントおよび／またはフロートを有するチェーンの取り付けのための少なくとも１つのグロメットとをさらに備え得る。
【００４４】
[0045]また、本発明の範囲内にあるのは、サイフォン式水洗便器ボウルアセンブリで使用するための水洗弁であり、水洗弁入口から水洗弁出口まで延在する水洗弁本体と水洗弁入口上を延在するように構成されているフラッパカバーとを備え、ここにおいて、フラッパカバーは、少なくとも部分的に可撓性であり、開いたときに上方向に剥がれることができる。この実施形態では、水洗弁は、上記および本明細書の他所で説明する逆流防止機構をさらに備え得る。
【００４５】
[0046]本発明の別の実施形態は、第１の回転可能なコネクタを有する第１のセクションと、第２のセクションと、調整可能なコネクタとを備える水洗便器のための調整可能な水洗コネクタを含む。調整可能なコネクタは第２の回転可能なコネクタを有し、第２のセクションに沿って長手方向に移動可能であり、回転可能に位置決め可能である。調整可能な水洗コネクタは、水洗便器、および好ましくは、サイフォン式水洗便器とともに使用され得る。
【００４６】
[0047]調整可能な水洗コネクタは第２のセクションを有し、ここにおいて、中を通る通路を画成する、第２のセクションの表面の一部および調整可能なコネクタの内部表面は、各々、調整可能なコネクタが第２のセクションに沿って長手方向に調整可能であり第２のセクションの周りで回転可能に位置決め可能であるようにねじ山を付けられている。
【００４７】
[0048]調整可能な水洗コネクタの別の実施形態において、第１の回転可能なコネクタは、回転ロッドに接続可能であるように構成され得る。第２の回転可能なコネクタは、水洗作動バーに接続可能であるように構成され得る。水洗作動バーは、第１の弁アセンブリに接続されている第１の部分と第２の弁アセンブリに接続されている第２の部分とを備え得る。
【００４８】
[0049]本発明のさらなる実施形態は、第１の弁アセンブリに接続されるように構成されている第１の部分と第２の弁アセンブリに接続されるように構成されている第２の部分とを備える水洗作動バーと、回転ロッドとを備える水洗便器で使用するための水洗作動アセンブリを含む。水洗作動バーは、コネクタを使用して回転ロッドに接続される。別の実施形態において、水洗作動アセンブリのコネクタは、回転ロッドと水洗作動バーとを動作可能に接続するように位置決めされた調整可能な水洗コネクタである。調整可能な水洗コネクタは、第１のセクションと、第２のセクションと、調整可能なコネクタとを備え、ここにおいて、調整可能なコネクタは、第２の回転可能なコネクタを備え、調整可能なコネクタは、調整可能な水洗コネクタの第２のセクションに沿って長手方向に移動可能であり、回転可能に位置決め可能である。調整可能な水洗コネクタは、調整可能な水洗コネクタの第１のセクション上に配置されている第１の回転可能なコネクタを使用して回転ロッドに接続され、調整可能な水洗コネクタは、調整可能なコネクタの第２の回転可能なコネクタを使用して水洗作動バーに接続される。
【００４９】
[0050]中を通る通路を画成する、調整可能な水洗コネクタの第２のセクションの表面の一部および調整可能なコネクタの内部表面は、各々、調整可能なコネクタが調整可能な水洗コネクタの第２のセクションに沿って長手方向に調整され、その第２のセクションの周りで回転可能に調整されることを可能にするようにねじ山を付けられるものとしてよい。水洗作動バーの第１の部分は、また、リム弁アセンブリに接続されるように構成され得る。水洗作動バーの第２の部分は、噴出弁アセンブリに接続されるように構成され得る。
【００５０】
[0051]水洗作動バーの第１の部分および水洗作動バーの第２の部分のうちの少なくとも一方は、弁本体部と、シールとシールを曲げて弁を徐々に開くことができるように構成されている硬質カバーとを備える弁カバーとを有する弁アセンブリに接続するように構成され得る。シールは、封止表面と係止表面とを備えるものとしてよく、ここにおいて、係止表面は、硬質カバー内の複数の対応する開口部と係合するように係止表面上に位置決めされている複数の係止ラグを備える。また、シールは、封止表面と係止表面とを備えるものとしてよく、少なくとも封止表面は、シリコーンを備え得る。
【００５１】
[0052]本発明の別の実施形態は、弁本体部を備える水洗弁を有する水洗弁アセンブリ用の弁カバーを含み、ここにおいて、弁カバーは、弁本体部に被さるように位置決めされる。弁カバーは、シールと、弁カバーを徐々に開くためにシールを伴って曲がることができるように構成されている硬質カバーとを備える。
【００５２】
[0053]シールは、封止表面と係止表面とを備えるものとしてよく、ここにおいて、係止表面は、硬質カバー内の複数の対応する開口部と係合するように係止表面上に位置決めされている複数の係止ラグを備え得る。各係止ラグは、ヘッド部とネック部とを備えるものとしてよく、ここにおいて、ネック部の頂部表面の断面上の横断線に沿って測定された距離は、ヘッド部の底部表面の断面上の横断線に沿って測定された距離よりも小さくてもよい。複数の係止ラグは、第１の列、第２の列、および第３の列で配置構成され得る。第１の列は、弁カバーを通る中心垂直長手方向平面上のカバーの前縁の地点から約５ｍｍから約１５ｍｍのところに配置されるものとしてよく、第２の列は、その地点から約４０ｍｍから約５０ｍｍのところに配置されるものとしてよく、第３の列は、その地点から約６０ｍｍから約８０ｍｍのところに配置されるものとしてよい。
【００５３】
[0054]係止表面上の係止ラグの第１の列、第２の列、および第３の列の各々は、少なくとも１つの係止ラグを備え得る。各係止ラグは、ヘッド部とネック部とを備えるものとしてよく、ここにおいて、ネック部は、一般的に、円筒の形状を有するものとしてよく、ヘッド部は、一般的に、丸みのある頂部表面を有する円錐形状であってよい。係止ラグの第１の列のヘッド部および係止ラグの第２の列のヘッド部は、一般的に、弁カバーの中心垂直長手方向平面に面する側に沿って平坦であるものとしてよい。一実施形態において、少なくとも弁カバーの封止表面は、シリコーンを備え得る。
【００５４】
[0055]弁カバーの別の実施形態において、硬質カバーは、剥離セクションと持ち上げセクションとを備え得る。剥離セクションの後縁と持ち上げセクションの前縁との間に横方向の分離があってよく、剥離セクションの後縁および持ち上げセクションの前縁は、互いに実質的に平行であり、中心長手方向平面に対して実質的に垂直であるものとしてよく、剥離セクションの後縁から持ち上げセクションの前縁までの間で測定された横方向の距離は、約１０ｍｍから約２０ｍｍであってよい。剥離セクションは、少なくとも１つのヒンジ付きマウントを備えるものとしてよく、ヒンジ付きマウントは持ち上げセクションと接続するように構成される。
【００５５】
[0056]弁カバーのシールは、剥離セクションおよび硬質カバーの持ち上げセクションと向かい合って係合するように位置決めされ得る。シールは、また、複数の係止ラグを使用して、および／または接着剤を使用して剥離セクションと持ち上げセクションとに接続され得る。剥離セクションは、水洗作動バーと相互作用するように構成されるものとしてよく、および／またはフロートアタッチメントを備え得る。
【００５６】
[0057]本発明の別の実施形態は、水洗便器用の弁アセンブリである。弁アセンブリは、弁本体部を第２の弁アセンブリの第２の弁本体部と関連付けるためのリンクと、弁カバーとを備える弁本体部を備える。
【００５７】
[0058]上で含まれる弁アセンブリにおいて、弁カバーは、水洗弁本体部を備えるものとしてよく、ここにおいて、弁カバーは、弁本体部に被さるように位置決めされ、弁カバーは、シールと、弁カバーを徐々に開くためにシールを伴って曲がることができるように構成されている硬質カバーとを備える。シールは、封止表面と係止表面とを備えるものとしてよく、ここにおいて、係止表面は、硬質カバー内の複数の対応する開口部と係合するように係止表面上に位置決めされている複数の係止ラグを備え得る。
【００５８】
[0059]本発明にさらに含まれるのは、第１の弁本体部と、第１のリンクと、第１の弁カバーとを備える第１の弁アセンブリと、第２の弁本体部と、第２のリンクと、第２の弁カバーとを備える第２の弁アセンブリとを備える多重水洗弁アセンブリであり、ここにおいて、第１弁アセンブリおよび第２の弁アセンブリは、第１のリンクと第２のリンクとを噛み合わせることにより互いに関連付け合うように構成される。
【００５９】
[0060]多重水洗弁アセンブリの第１のリンクは、下向きフック形状を有するものとしてよく、第２のリンクは、上向きの突起部を有するものとしてよく、上向きの突起部は下向きフック形状と噛み合って第１の弁アセンブリと第２の弁アセンブリとの整列状態を維持するように構成される。
【００６０】
[0061]本発明の別の実施形態は、便器と、第１の弁アセンブリと、第２の弁アセンブリと、第１の部分と第２の部分と、第１の部分は第１の弁アセンブリに接続されるように構成され、第２の部分は第２の弁アセンブリに接続されるように構成されている、を備える水洗作動バーと、回転ロッドと、回転ロッドと水洗作動バーとを動作可能に接続するように位置決めされている調整可能な水洗コネクタと、調整可能な水洗コネクタは第１のセクションと第２のセクションと調整可能なコネクタとを備える、を備える、水洗作動アセンブリとを備えるサイフォン式水洗便器であり、ここにおいて、調整可能なコネクタは、第２の回転可能なコネクタを備え、調整可能なコネクタは、第２のセクションに沿って長手方向に移動可能であり、回転可能に位置決め可能であり、調整可能な水洗コネクタは、調整可能な水洗コネクタの第１のセクション上に配置されている第１の回転可能なコネクタを使用して回転ロッドに接続され、調整可能な水洗コネクタは、調整可能なコネクタの第２の回転可能なコネクタを使用して水洗作動バーに接続される。
【００６１】
[0062]サイフォン便器内で、第１の弁アセンブリは、リム水洗弁アセンブリであってよい。また便器内では、第２の弁アセンブリは、噴出水洗弁アセンブリであってよい。
【００６２】
[0063]一実施形態において、便器と、水洗作動アセンブリと、第１のリンク備える第１の弁本体部と第１の弁カバーとを備える第１の弁アセンブリと第２のリンクを備える第２の弁本体部と第２の弁カバーとを備える第２の弁アセンブリとを備える多重水洗弁アセンブリとを備える水洗便器が実現され、ここにおいて、第１弁アセンブリおよび第２の弁アセンブリは、第１のリンクと第２のリンクとを噛み合わせることにより互いに関連付け合うように構成される。
【００６３】
[0064]便器アセンブリのこの実施形態の第１のリンクは、下向きフック形状を有するものとしてよく、第２のリンクは、上向きの突起部を有するものとしてよく、上向きの突起部は下向きフック形状と噛み合って第１の弁アセンブリと第２の弁アセンブリとの整列状態を維持するように構成される。
【００６４】
[0065]本発明のさらに別の実施形態は、第１の弁アセンブリと、第２の弁アセンブリと、第１の部分と第２の部分とを備える水洗作動バーと、回転ロッドと、回転ロッドと水洗作動バーとを動作可能に接続するように位置決めされている調整可能な水洗コネクタと、調整可能な水洗コネクタは第１のセクションと第２のセクションと調整可能なコネクタとを備える、を備える水洗作動アセンブリとを備える水洗便器で使用するためのアセンブリキットを含み、ここにおいて、調整可能なコネクタは、第２の回転可能なコネクタを備え、調整可能なコネクタは、第２のセクションに沿って長手方向に移動可能であり、回転可能に位置決め可能であり、調整可能な水洗コネクタは、調整可能な水洗コネクタの第１のセクション上に配置されている第１の回転可能なコネクタを使用して回転ロッドに接続され、調整可能な水洗コネクタは、調整可能なコネクタの第２の回転可能なコネクタを使用して水洗作動バーに接続される。第２の弁アセンブリは、フロートアタッチメントも備え得る。フロートアタッチメントは、フロートアセンブリ、チェーン、ひも、コード、ロープ、ステンレスケーブル、硬質ロッド、またはワイヤからなる群から選択され得る。
【００６５】
[0066]本発明の別の実施形態は、水洗作動アセンブリと、多重水洗弁アセンブリとを備える便器で使用するためのアセンブリキットの一実施形態を含み、ここにおいて、多重水洗弁アセンブリは、第１のリンクと第１の弁カバーとを備える第１の弁本体部を備える第１の弁アセンブリと、第２のリンクと第２の弁カバーとを備える第２の弁本体部を備える第２の弁アセンブリとを備え、ここにおいて、第１の弁アセンブリおよび第２の弁アセンブリは、第１のリンクと第２のリンクとを噛み合わせることで互いに関連する。
【００６６】
[0067]上で説明されているアセンブリキットの実施形態において、キットは、タンク／ボウル間ガスケットツールをさらに備えるものとしてよく、ここにおいて、多重水洗弁アセンブリは、第１のタンク／ボウル間ガスケットと、第２のタンク／ボウル間ガスケットとを備えるものとしてよく、第１および第２のタンク／ボウル間ガスケットは外側縁を備え、タンク／ボウル間ガスケットツールは、タンク／ボウル間ガスケットの外縁と嵌合するように構成されるものとしてよく、タンク／ボウル間ガスケットを便器タンクに取り付けるためのレンチとして使用され得る。
【００６７】
[0068]前記の概要、さらには本発明の好ましい実施形態の以下の詳細な説明は、添付図面と併せて読むとよくわかるであろう。本発明を例示することを目的として、現在好ましい実施形態が図面に示されている。しかしながら、本発明は、図示されている正確な配列構成および手段に限定されないことは理解されるであろう。図面の説明を以下に示す。
【図面の簡単な説明】
【００６８】
【図１】[0069]噴出水洗弁アセンブリとリム水洗弁アセンブリとを有するタンクの内部を示す本発明の一実施形態によるサイフォン式便器ボウルアセンブリの斜視図。
【図２】[0070]タンクの内部を示す図１の便器ボウルアセンブリの正面図。
【図３】[0071]直線３−３に沿って切り取った図１〜図２の便器アセンブリの斜視横断面図。
【図３Ａ】[0072]ボウルの外部表面の底部の周りで湾曲している噴出チャネル内のリム噴出流路を示す図１の実施形態におけるボウルの斜視図。
【図３Ｂ】[0073]リム棚部流路を示す図１の実施形態におけるボウルの斜視図。
【図３Ｃ】[0074]図３Ａのような二重流路を有する二重噴出チャネルを含む閉じられた噴出流路内の図１の実施形態における呼び水された内部空間の概略図。
【図３Ｄ】図３Ａのような二重流路を有する二重噴出チャネルを含む閉じられた噴出流路内の図１の実施形態における呼び水された内部空間の概略図。
【図３Ｅ】図３Ａのような二重流路を有する二重噴出チャネルを含む閉じられた噴出流路内の図１の実施形態における呼び水された内部空間の概略図。
【図３Ｆ】図３Ａのような二重流路を有する二重噴出チャネルを含む閉じられた噴出流路内の図１の実施形態における呼び水された内部空間の概略図。
【図３Ｇ】図３Ａのような二重流路を有する二重噴出チャネルを含む閉じられた噴出流路内の図１の実施形態における呼び水された内部空間の概略図。
【図４Ａ】[0075]図１の便器アセンブリの上面図。
【図４Ｂ】[0076]噴出マニホールド開口部とリムマニホールド開口部とを示す便器アセンブリのボウル部分の上面図。
【図５】[0077]水洗弁が省かれている図２の直線５−５に沿って切り取った図１の便器アセンブリの長手方向断面図。
【図６】[0078]噴出出口を示す図５の便器アセンブリの大きく拡大された部分を示す図。
【図７】[0079]直線７−７に沿って切り取った図８の長手方向断面図。
【図８】[0080]蓋がタンクから取り外されている図１の便器アセンブリの平面図。
【図９】[0081]図１の便器アセンブリの噴出水洗弁の斜視図。
【図１０】[0082]図９の便器アセンブリの噴出水洗弁の側面図。
【図１１】[0083]図９の便器アセンブリの噴出水洗弁の正面図。
【図１２】[0084]オーバーフロー管を有する図１の便器アセンブリのリム水洗弁の正面図。
【図１３】[0085]図１２のリム水洗弁の斜視図。
【図１４】[0086]図１２のリム水洗弁の側面図。
【図１５】[0087]図１の便器アセンブリのリムおよび噴出弁に対する水洗作動バーの斜視図。
【図１６】[0088]リムチャネルと少なくとも１つのリム出口ポートとを有する本発明の一実施形態によるサイフォン式便器ボウルアセンブリの正面斜視図。
【図１７】[0089]リムチャネル入口ポートと初期リムと噴出流とを示す図１のサイフォン式便器ボウルの上面横断面図。
【図１８】[0090]図１７のサイフォン式便器ボウルアセンブリの断面斜視図。
【図１９】[0091]図１のサイフォン式便器ボウルアセンブリの上面部分平面図。
【図２０】[0092]噴出リザーバとリムリザーバの両方を有する、図１のサイフォン式便器ボウルアセンブリの代替的一実施形態の上面部分平面図。
【図２１】[0093]噴出水洗弁アセンブリが取り除かれている噴出への流体の流れを示す、直線２１−２１に沿って切り取った、図１９のサイフォン式便器ボウルアセンブリの長手方向断面図。
【図２２】[0094]図２１の水だめ領域の大きく拡大された部分的切欠断面図。
【図２３】[0095]噴出水洗弁アセンブリが取り除かれている、水だめ領域内の便器ボウルの壁の少なくとも一部が噴出出口ポートからトラップ入口の方へ上方に傾斜している、噴出への流体の流れを示す図２１に対するサイフォン式便器ボウルアセンブリの代替的一実施形態の長手方向断面図。
【図２４】[0096]図２３の水だめ領域の大きく拡大された部分的切欠断面図。
【図２５】[0097]リム水洗弁アセンブリが取り除かれているリムへの流体の流れを示す、噴出流がボウルの下を通る、本発明のサイフォン式便器ボウルアセンブリの代替的実施形態の等角長手方向断面図。
【図２６】[0098]噴出を通る流体の流れを示す図２５のサイフォン式便器ボウルアセンブリの長手方向断面図。
【図２７】[0099]図２６の水だめ領域の大きく拡大された部分的切欠断面図。
【図２８】[0100]リム水洗弁および噴出水洗弁アセンブリが取り除かれているリムの上側周部分への流体の流れを示す、本発明のサイフォン式便器ボウルアセンブリの代替的実施形態の等角長手方向断面図。
【図２９】[0101]図３０〜図３４に示されているようなリム棚部の様々な長手方向断面図に対する図４Ｂの便器の横断面図。
【図３０】[0102]リム棚部の深さとリム入口ポートの場所の近くのリム棚部の場所にある便器ボウルの上側周領域内に形成された領域の高さとを示す図２９の直線３０−３０に沿って切り取った拡大された長手方向断面図。
【図３１】[0103]リム棚部の深さとボウルの後部から前部の間のおおよそ中間あたりの場所におけるリム棚部の場所にある便器ボウルの上側周領域内に形成された領域の高さとを示す図２９の直線３１−３１に沿って切り取った拡大された長手方向断面図。
【図３２】[0104]リム棚部の深さとボウルの前部の場所のリム棚部の場所にある便器ボウルの上側周領域内に形成された領域の高さとを示す図２９の直線３２−３２に沿って切り取った拡大された長手方向断面図。
【図３３】[0105]リム棚部の深さと図３１の図と反対のボウルの側部でのボウルの前と後との間のおおよそ中間あたりの場所におけるリム棚部の場所にある便器ボウルの上側周領域内に形成された領域の高さとを示す図２９の直線３３−３３に沿って切り取った拡大された長手方向断面図。
【図３４】[0106]リム棚部の深さとボウルの後部の場所のリム棚部の場所にある便器ボウルの上側周領域内に形成された領域の高さとを示す図２９の直線３４−３４に沿って切り取った拡大された長手方向断面図。
【図３５】[0107]フラッパと押さえリンクを備える逆流防止機構とを有する噴出弁の一実施形態における開いた状態で本明細書において図示されている本発明の実施形態で使用するための噴出弁の正面図。
【図３６】[0108]図３５の噴出弁の右側面図。
【図３７】[0109]閉じられた状態の図３５の噴出弁の正面図。
【図３８】[0110]図３７の噴出弁の右側面図。
【図３９】[0111]フラッパと下側ポペット開口部とを有する噴出弁の一実施形態における閉じた状態で本明細書において図示されている本発明の実施形態で使用するためのさらなる噴出弁の底面斜視図。
【図４０】[0112]図３９の噴出弁の上面斜視図。
【図４１】[0113]図３９の噴出弁の正面図。
【図４２】[0114]図３９の噴出弁の右側面図。
【図４３】[0115]図３９の噴出弁の長手方向断面図。
【図４４】[0116]開いた状態の図３９の噴出弁の底面斜視図。
【図４５】[0117]星形内部リブ構造を示す図４４の噴出弁の上面斜視図。
【図４６】[0118]図４４の噴出弁の正面図。
【図４７】[0119]図４４の噴出弁の右側面図。
【図４８】[0120]図４４の噴出弁の長手方向断面図。
【図４９】[0121]引き剥がしフラッパカバーと持ち上げフックを備えるヒンジ付き機構とを含む逆流防止機構を有する、閉じた状態で本明細書において図示されている本発明の実施形態で使用するためのさらなる噴出弁の上面斜視図。
【図５０】[0122]図４９の噴出弁の平面図。
【図５１】[0123]図４９の噴出弁の正面図。
【図５２】[0124]図４９の噴出弁の右側面図。
【図５３】[0125]フックの場所にある図５２の弁の拡大された部分を示す図。
【図５４】[0126]開いた状態にあり、内部星形リブを示す、図４９の噴出弁の上面斜視図。
【図５５】[0127]内部星形リブを示す図４９の噴出弁の本体部の平面図。
【図５６】[0128]図５５の直線５６−５６に沿って切り取った長手方向断面図。
【図５７】[0129]図４９に類似しているが、交互的内部星形を備えるリブを有するさらなる実施形態の上面斜視図。
【図５８】[0130]内部星形リブを示す図５７の噴出弁の本体部の平面図。
【図５９】[0131]図５８の直線５９−５９に沿って切り取った長手方向断面図。
【図６０】[0132]引き剥がしフラッパカバーと押さえリンクを含む逆流防止機構を有する、閉じた状態で本明細書において図示されている本発明の実施形態で使用するためのさらなる噴出弁の上面斜視図。
【図６１】[0133]図６０の噴出弁の平面図。
【図６２】[0134]図６０の噴出弁の正面図。
【図６３】[0135]図６０の噴出弁の右側面図。
【図６４】[0136]引き剥がしカバーを含むが、逆止弁などのさらなる逆流防止デバイスを収納するためのオーバーフロー管の任意選択の特徴部を含む、逆流防止機構を有する、閉じた状態で本明細書において図示されている本発明の実施形態で使用するための図４９の噴出弁の修正形態の斜視図。
【図６５】[0137]図６４の噴出弁の正面図。
【図６６】[0138]図６４の噴出弁の上面図。
【図６７】[0139]図６４の噴出弁の右側面図。
【図６８】[0140]持ち上げフック機構を示す図６７の噴出弁の拡大された部分を示す図。
【図６９】[0141]２つの弁アセンブリに接続されている水洗作動アセンブリを含む本明細書の一実施形態によるアセンブリキットの正面図。
【図７０】[0142]図６９のアセンブリキットの平面図。
【図７１】[0143]図６９のアセンブリキット内の調整可能な水洗コネクタおよび水洗作動バーの正面図。
【図７２】[0144]図７１の調整可能な水洗コネクタおよび水洗作動バーの斜視図。
【図７３】[0145]図６９のアセンブリキットにおいて使用される弁カバーの斜視図。
【図７４】[0146]図７３の弁カバーの平面図。
【図７５】[0147]図７３の弁カバーの正面図。
【図７６】[0148]図７３の弁カバーにおいて使用されるようなシールの平面図。
【図７７】[0149]図７６のシールの正面図。
【図７８】[0150]リンクデバイスを示す図６９のアセンブリキットの一部の拡大された正面図。
【図７９】[0151]図７８に示されているようなリンクデバイスの拡大された平面図。
【図８０】[0152]接続要素を示す単一の多重水洗弁アセンブリを有する図６９のアセンブリキットの一実施形態の一部の拡大された正面図。
【図８１】[0153]図８０に示されているような接続要素の拡大された平面図。
【図８２】[0154]本明細書の第１の実施形態による、図６９のアセンブリキットの分解図。
【図８３】[0155]本明細書の第２の実施形態による、図６９のアセンブリキットの分解図。
【図８４】[0156]本発明の一実施形態による、タンク／ボウル間ガスケットキットの分解図である。
【図８５】[0157]水洗作動アセンブリ内のコネクタの代替的実施形態を含む図６９のアセンブリキットの正面図。
【図８６】[0158]図８５のアセンブリキット内のコネクタおよび水洗作動バーの代替的実施形態の正面図。
【図８７】[0159]図８５のアセンブリキット内のコネクタおよび水洗作動バーの第２の代替的実施形態の正面図。
【図８８】[0160]フロートアタッチメントの代替的実施形態を含むように修正されている図６９のようなアセンブリキットの斜視図。
【図８９】[0161]フロートアタッチメントを示す図８８のアセンブリキット内の第２の弁アセンブリの斜視図。
【図９０】[0162]図８９の第２の弁アセンブリの側面図。
【発明を実施するための形態】
【００６９】
[0163]本明細書で使用されているように、「内側」および「外側」、「上側」および「下側」、「前方向」および「後方向」、「前部」および「後部」、「左」および「右」、「上方向」および「下方向」などの言葉ならびに類似の意味の言葉は、図示されているような便器アセンブリの配向に関して添付図面の図を参照して本発明の好ましい実施形態を理解するのを助けるよう意図されており、本発明の範囲への制限である、または本発明の範囲を図に示されている好ましい実施形態に制限するようには意図されていない。本明細書の実施形態、１０、１０１０、１１０、２１０、３１０、および４１０などは各々、同じ参照番号を使用して、本明細書において説明されているような、また図面に示されているような本発明の類似の特徴を指し示し、それにより、特定の特徴の代替的構成を説明する反対の言い回しがない限り、当業者は、本開示およびそれの添付図面に基づき、１つのそのような特徴の説明が、類似の特徴を説明する別の実施形態にも適用可能であるべきであることを理解するであろう。
【００７０】
[0164]本発明において、好ましくは、個別の閉じられた噴出流体経路を通して、リム水洗弁などの、噴出水洗弁およびリム弁から異なる量の流体を送達するようにボウルアセンブリ内に導入された流体流を隔離することによって噴出チャネルを含む呼び水される閉じられた噴出流体通路を維持する動作が可能であるサイフォン式水洗便器アセンブリが実現される。これは、空気充填噴出チャネルで動作し、空気を追い出して乱流と流量制限を最小限度に抑えなければならない標準の重力水洗サイフォン式便器と比較してより強力なパフォーマンスを発揮する。
【００７１】
[0165]本発明の便器ボウルアセンブリは、ボウルの外側の便器アセンブリ内に噴出チャネルを含む、閉じられた噴出流体経路を有する。噴出チャネルは、閉じられた噴出流体経路が流体を噴出弁出口から噴出入口ポート内に、そして噴出チャネル内を通って噴出出口ポートまで受け入れる限り、任意選択の噴出マニホールドを含めて、ボウル成形の幾何学的形状に応じて、様々な構成および延長領域、追加のポートまたは側部チャネル、および同様のものを有するものとしてよい。閉じられた噴出流体経路は、噴出チャネルを、永久的に呼び水された状態に維持し、実質的には、これを隔離し、それによって空気が噴出チャネル内に入ることを防止するのを補助する。これは、（１）噴出チャネルをリム流または大気開放の他の通路から隔離することにより、（２）タンク内の水位が水洗弁の開口部のレベルまで降下する前に噴出チャネル水洗弁を閉じることにより、（３）空気流が噴出チャネルおよび他のあらゆる噴出路、領域、または使用される場合に任意選択の噴出マニホールドに入ることを防止することを補助し、一実施形態ではこれは、空気が噴出チャネル出口に入ることを遮るのを補助するために水だめ領域内の噴出トラップ内に封止深さを確立することを含むことによって、および／または（４）噴出トラップ内の水位が、空気を逆に進行させ噴出チャネル内に入り得るレベルまで降下しないことを確実にするようにアセンブリを構成し作動させることによって果たされる。
【００７２】
[0166]一般に、リムへの流体量対噴出部への流体量の比もまた、便器のパフォーマンスに影響を与える。典型的な従来技術のサイフォン噴出式便器では、新鮮な水の約７０％が、噴出に動力をもたらし、サイフォンを開始するのに必要とされ、リムを通してボウルを洗浄するために約３０％だけを残す。本明細書の呼び水型便器では、サイフォンを開始するために水はかなり少なくてよく、それによってより多くの水をボウルを清掃するのに使用することを可能にする。本出願人は、便器洗浄における著しい改良のために、約５０％を超える新鮮な水が、リムに向けられ得ると決定した。好ましい実施形態において、約６０％を超え、約７０％ほどの水が、リムに向けられ得る。
【００７３】
[0167]上記で留意した要素に加えて、水だめ領域内の水の十分な封止深さを維持し、および／または水だめから噴出チャネル内への空気の逆流を防止するための別の方法は、サイフォンを破った後、水が噴出チャネルを通りそこからより遅く流れることを維持することである。たとえば、堰まで充填されたボウル（すなわち、サイフォンに寄与する余分な水が存在する）では、直径およそ約５４ｍｍのトラップウェイ内でサイフォンを開始し、維持するには、約９５０ｍｌ／ｓを上回る噴出部からの容積流量を必要とする。これは、７．４７ｃｍ2の噴出出口ポート領域上の１２７ｃｍ／ｓの直線的な流量となる。トラップウェイサイズが大きければ大きいほど、サイフォンを開始し、維持するためにより高い流量を必要とし、トラップウェイが小さければ小さいほど、より小さい値を必要とすることになる。噴出部からの流量が、約９５０ｍｌ／ｓ未満に低減されるときに、サイフォンは破れる。約９５０ｍｌ／ｓ未満、約１７５ｍｌ／ｓ超の噴出部からの容積流量（すなわち、噴出出口ポートの７．４７ｃｍ2の領域を通る２３．４ｃｍ／ｓの直線的な流量）を維持することで、空気が閉じられた噴出チャネルに入ることが防止される。ボウルがトラップウェイの堰のレベルまで完全に充填されたときに、噴出部からの流れは、噴出チャネルの上部がトラップウェイの堰よりも下に配置されている限り、呼び水を失うことなく停止され得る。
【００７４】
[0168]噴出水洗弁およびリム水洗弁に対するそのような水洗弁作動を制御することは、数多くの方法で行われ得る。１つの方法は、関連する部分が参照により本明細書に組み込まれている米国特許出願公開第２００９／０３１３７５０号および米国特許第６，８２３，５３５号に開示されているように電磁弁を使用することによるものである。この弁制御方法は、単なる機械的方法、たとえばこれもまた関連する部分が参照により本明細書に組み込まれている米国特許第６，７０４，９４５号に開示されているものなどの二重入口水洗弁への修正などによって果たされ得る。代替的に、本明細書に示されているような順に並ぶ２つの水洗弁の最適なパフォーマンスに合わせて釣り合いがとられる水洗作動バーが、使用されてよい。
【００７５】
[0169]水洗作動バーは、回転ロッドとハンドルとに、または調整可能な水洗コネクタを使用して他の水洗作動器に接続され得る。調整可能な水洗コネクタは、便器内の弁アセンブリに関する回転ロッドの配置の相違を補償する調整可能な接続部をもたらす。この補償は、大半の弁アセンブリ、水洗作動バー、および／または回転ロッドが互いに適合することを可能にする。調整可能な水洗コネクタによってなされる調整は、その長さに沿った長手方向移動、その長手方向軸の周りの回転、および／またはその横軸の周りの回転を含み得る。
【００７６】
[0170]さらに、以下でより詳細に論じるように、システムパフォーマンスは、「引き剥がし」弁カバーを設けて噴出部の自動呼び水作用を円滑にすることによって高められ得る。カバーは、噴出フラッパを開くのに必要な作動力を低減する働きをする。噴出チャネルが呼び水される本発明では、フラッパの上と下の両方の水の重量により、従来のフラッパ弁よりも２倍を超える力が必要とされる。カバーを剥がして開くことによって、シールは破れ、一部の水が到来し、一方で空気は、カバーがより容易に開くように後退する。それに加えて、最初の呼び水作用中に、弁が閉じられると、噴出部は空気で満杯になり、フラッパが突然開く場合、新鮮な水があまりにもすばやく突入し、噴出チャネル内の空気は、便器およびその噴出チャネルの幾何学的形状にもよるが、捕捉され、十分に追い出されないこともあり得る。さらに、本明細書の実施形態は、呼び水され閉じられた噴出経路を備えるので、便器が水の突入を必要とするときに、さらに以下で説明されるような任意選択の逆流防止装置が、噴出水洗弁に設けられ得る。
【００７７】
[0171]「引き剥がし」弁カバーとともに使用するための好ましい弁カバー構造は、弁パフォーマンスを最適化し得る。特に、シールが弁カバーから外れるのを防ぐため係止要素がシール上に設けられ得る。さらに、一貫した水洗パフォーマンスを維持するために、リンクデバイスを使用して互いに関連付けられる弁アセンブリが設けられ得る。そのような弁アセンブリは、長時間が経過しても弁本体部の間の適切な一貫した整列状態を確実にするために使用され得る。
【００７８】
[0172]水だめ領域内の十分な水洗後深さおよび／または水が噴出出口ポートを通って閉じられた噴出流体通路に入るのを停止させることは、サイフォンが破れている間、リムなし便器ではリム棚部に、または比較的古くからある便器設計ではリムチャネルを通って水が流れるのを維持することによっても達成され得る。本明細書で説明されている便器システムは、リムおよび噴出部への流れを制御するための別個のチャネルおよび弁機構を含むので、システムは、サイフォンが破れている間、リム入口ポートを通る流れを継続するように設計され得る。リム入口ポートへの水の流れは、好ましくは、水だめ領域内の水位を噴出出口ポートの高さよりも上に維持するのに十分であるが、サイフォンをトラップウェイ内で維持するには不十分である。このようにして、噴出チャネルに空気が入らないように維持するために追加安全策が講じられるものとしてよく、水だめ領域内の封止深さへの依存を低減させることができる。噴出部およびリムを通る流れは、水だめ領域内に十分な水洗後深さを維持するために一緒に利用され得ることにも留意されたい。
【００７９】
[0173]本発明が従来技術に勝る改善をもたらす関連分野は、６．０リットルを下回る、好ましくは４．８リットルを下回る水洗量を伴う高効率のサイフォン式便器にある。本明細書で説明されている本発明の便器ボウルアセンブリの実施形態は、少ない水使用量でボウルを極めて清潔にしながら、シングル水洗便器またはデュアル水洗便器アセンブリにおいて水洗１回あたり約６．０リットル以下、好ましくは水洗１回あたり約４．８リットル以下の今日の便器と一致する詰まりに対する抵抗を維持することができる。サイフォンを開始するために噴出チャネルに通す必要のある水はかなり少なくて済むので、本明細書の呼び水型便器アセンブリの実施形態は、水洗毎に約４．８リットル以下で機能することができ、好ましくは水洗毎に約３．０以下、および水洗毎に約２．０リットル程度で機能することができる極めて高い効率の便器の生産を可能にする。
【００８０】
[0174]さらに、本発明が従来技術に勝る改善もたらす第２の関連する分野は、より大きいトラップウェイを備えたサイフォン式便器にある。トラップウェイのサイズを変更することによって、水消費量および便器パフォーマンスは、著しい影響を受ける。本発明では、流れに対する乱流および制限が、好ましい実施形態では呼び水された噴出マニホールドおよび呼び水された噴出チャネルを含む、閉じられた噴出流体通路を通ることで低減されるため、便器ボウルアセンブリは、様々なトラップウェイのサイズおよび容積のサイフォン式便器内で呼び水されたままであるようにすることができ、それによって便器ボウルアセンブリが優れた水洗作用および洗浄能力を維持することが可能になる。
【００８１】
[0175]本発明の便器システムの潜在的な最大のパフォーマンスを発揮させるために、閉じられた流体噴出路は、「呼び水され」なければならない、すなわち、水を充填され、空気をほとんどまたは全く含んでいてはならない。閉じられた流体噴出経路および噴出チャネルが、便器を最初に取り付けた後または大きな修理もしくは保守の後の場合のように著しい量の空気を含むときに、閉じられた噴出チャネルは、システムの潜在的パフォーマンスをフルに発揮させる前に呼び水されなければならない。呼び水作用を起こすために、２つの基本的要求条件が満たされなければならない、すなわち（１）水が、閉じられた噴出チャネルを出るよりも速く閉じられた流体噴出経路内に流れ込むことが可能にされなければならず、また、（２）噴出チャネルおよび閉じられた噴出流体路内に含まれる空気に対して、閉じられた噴出チャネル内への水の流れを通して、水の流れと共に、または水の流れに対して逃げるルートを設けられなければならない。
【００８２】
[0176]閉じられた噴出チャネルに呼び水をする、「手動呼び水作用」と称され得る最も単純な方法は、リム弁を閉じたままにし、噴出出口ポートからの流れを遮りまたは部分的に遮りながら、本明細書で説明されている噴出水洗弁アセンブリを開くことである。噴出水洗弁は、気泡が、チャネルからタンク内に逃げてもはや見えなくなるまで開いた状態で保たれるべきであり、この見えなくなった時点で、噴出水洗弁は閉じられ、噴出出口ポートの遮りは解除され得る。次いで、タンクの補充後に、システムは、完全に呼び水され、潜在的に可能なフルパフォーマンスですぐに使用できる状態にあるべきである。好ましい実施形態において、システムは、取り付け後または（保守、補修など）他の予期せぬ理由のための呼び水の損失後、最初の何回かの水洗にわたって自動呼び水するように設計される。自動呼び水するために、ここでも同じ２つの要求条件が満たされなければならないが、システムに固有である。自動呼び水システムを確実にすることは、もっぱら、噴出水洗弁、噴出チャネルを含む閉じられた流体噴出経路、および噴出出口ポートの幾何学的形状および設計に応じたものになる。以下でより詳細に説明されるように、噴出水洗弁は、好ましくは、高流量が閉じられた噴出チャネルに入ることを可能にし、流速を増大させる（参照により本明細書に組み込まれている米国特許第８，２６６，７２３号で説明されているものなどの）アールを付けた水洗弁が使用され得る。ほとんどの閉じられた噴出チャネル設計では、噴出チャネル内に混入した空気の最後の部分は、噴出水洗弁のフラッパ（または他の開放機構）のすぐ下の空間まで上昇する可能性がある。したがって、弁設計は、また、この残りの空気が逃げるのを円滑にしなければならない。以下で説明されるように、引き剥がすことができるフラッパなどの徐々に開く弁は、水の流れを弁の一方側に拘束し、この流れ周りの空気が逃げることを円滑にすることができる。水洗弁のスロート部内の特定のパターンまたはリブも同様に、空気がこうして逃げることを円滑にすることができる。
【００８３】
[0177]図１〜図１５、図１７〜図１９、および図２９〜図３４は、全般的に本明細書ではアセンブリ１０として参照される便器ボウルアセンブリの第１の実施形態を示す。アセンブリ１０は、噴出水洗弁入口７１および噴出水洗弁出口１３を有する少なくとも１つの噴出水洗弁アセンブリ７０を含む。噴出水洗弁本体部２１は、入口７１と出口１３との間に延在し、内部流路を画成する。噴出水洗弁アセンブリは、多様な構成を有するものとしてよく、当技術分野で知られているまたは今後開発される任意の好適な水洗弁アセンブリであってもよい。好ましくは、これは、そのような弁とフロートとを有するカバーの使用の説明のために、さらには以下で説明され図３５〜図６８に示されている噴出水洗弁の様々な実施形態に関して参照により関連する部分が本明細書に組み込まれている、同時係属米国特許出願公開第２０１４／００９０１５８号で説明されているものに類似するように構成される。図１〜図２および図７〜図１１に示されているように、噴出水洗弁アセンブリ７０は、噴出水洗弁アセンブリを通る流れを制御するために、リム水洗弁アセンブリ８０（ここではリム弁は、アセンブリ８０に関して本明細書において説明されている）よりも短い弁高の外形を有する。リム水洗弁アセンブリ８０および噴出水洗弁アセンブリ７０の各々は、好ましくは、チェーン１１９または他のリンク機構を介してフロート１１７が取り付けられているカバー１１５を有する。同時係属米国特許出願公開第２０１４／００９０１５８号で説明されているように、そのような特徴は、特定の水洗弁設計において高度なパフォーマンスおよび浮力の制御をもたらすのに役立つ。しかし、他の水洗弁アセンブリも、本発明の原理に基づき動作することで使用され、改善された水洗能力をもたらすことができることを理解されたい。
【００８４】
[0178]噴出水洗弁アセンブリ７０は、流体をその噴出水洗弁出口１３から閉じられた噴出流体通路１に送達する。閉じられた噴出流体通路１は、少なくとも１つの噴出チャネルを含む。本明細書に示されているように、単一の噴出経路が使用され得るか（たとえば、アセンブリ１０の二重噴出経路の１つの脚部のみを強調する図３に示す矢印を参照）または複数のチャネルであってもよい。この実施形態で示されているように、２つのそのようなチャネル３８が設けられる。１つの入口から出て１つの出口で接合し、その一方でチャネルの各々は、図３Ａに示されている流路によって例示されているようにボウル周りのその下側を流れる。噴出マニホールドが、任意選択で設けられてよい。
【００８５】
[0179]少なくとも１つのリム弁が、使用される。リム水洗弁は、電磁弁、インライン弁、電子弁を含む様々な弁であり得るか、または水が、単に、電子的に制御される弁によって入口管を通して供給され得る。本明細書に示されているように、リム水洗弁アセンブリ８０は、図１〜図２、図７〜図８、および図１２〜図１４に示されているように設けられる。各々のリム弁アセンブリは、リム水洗弁入口８３とリム水洗弁出口８１と、入口８３から出口８１まで延在するリム水洗弁本体３１とを有する。リム水洗弁８０または任意の他の好適なリム弁は、これが、流体をリム弁の出口から本明細書ではリム入口ポート２８としても知られているリム入口に送達するように構成されている限り、上で指摘されているような任意の好適な水洗弁アセンブリまたはリム弁であってもよい。
【００８６】
[0180]図示されている実施形態において、リム３２は、流体が、リム入口ポート２８を通ってボウル３０内に導入され、ボウル３０の内部表面３６内に形成された輪郭または幾何学的特徴に沿って進行するという点で「リムなし」設計のものである。すなわち、輪郭は、１つまたは複数の棚部２７、またはボウル３０の上側周囲部分３３に沿って形成された類似の特徴であってもよい。図示されているように、棚部は、図２９〜図３４に最もよく示されているようにボウルの陶磁器内に埋め込まれる。本明細書においてリム棚部２７としても称される棚部は、ボウル３０の上側周囲部分３３内のボウル３０の内部表面３９に沿ってリム入口ポート２８から少なくとも部分的にボウルの周上に、また、図３０〜図３４に最もよく示されているように、ボウル３０の内部表面３６の埋め込まれた輪郭内に一般的に横断方向に延在する。便器ボウル３０は、様々な形状および構成のものであってよく、様々な便座蓋および／または蓋ヒンジアセンブリを有するものとしてよい。そのような蓋は任意選択であるので、図面には示されず、当技術分野では数多くのそのような蓋およびアセンブリが知られており、それにより、知られているまたは今後開発される任意の好適な蓋も、本発明と共に使用され得る。
【００８７】
[0181]図３に示されているような実施形態において、棚部２７は、終端するまでに内部表面のほとんど全体の周囲に延在し、清掃のための渦流効果を誘発し得る。リム棚部設計は、リムなしの特徴を説明することに関して関連部分において参照により本明細書に組み込まれている同時係属米国特許出願公開第２０１３／０２１９６０５Ａ１号で説明されるように、また図２８の代替の「リムなし」実施形態４１０で示されているように、複数のリム棚部と複数のリム入口とを収容することもできる。英国特許出願第２４３１９３７Ａ号で示されているような類似の設計またはそのような設計の将来の任意の変更形態も、ここにおいて、ボウルは従来の中空リムなしで形成され、水は流体がボウルの周りの少なくとも部分的経路の周りを通りリム入口から横断方向に変位した場所においてボウルの内部に入ることを可能にする図示されているようなボウルの表面の輪郭内の棚または類似の幾何学的特徴を形成する上側周囲部分内のボウルの起伏のある内部表面の周りに向けられ、同様に使用され得る。また、従来の上側リムによって画成されたリムチャネルに供給するリム入口ポートを有し洗浄水をボウルの内部領域内に導入するための１つまたは複数のリム出口ポートを有する標準的なリムチャネルは、本明細書で説明されている実施形態においても使用され得ることも理解されたい（図１６および実施形態１１０を参照）。そのようなリムは、加圧されても加圧されなくてもよく、実施形態１１０に関して以下でさらに詳細に説明されているような様々な特徴を有するものとしてよい。実施形態１１０のリム特徴は、本発明の範囲から逸脱することなく、図１〜図１３または図２８に示されているリムなしバージョンに組み込まれ得る。
【００８８】
[0182]上で指摘されているようなアセンブリ１０において、棚部１７は埋め込まれてもよい。図３０〜図３４に示されているように、棚部２７は、便器ボウルの内部表面から輪郭部内に横断方向に測定された、比較的一定の、好ましくは一定の深さｄと、棚部２７から棚部よりも上にある上側表面４７まで長手方向に測定された高さｈとを有する輪郭内にある。棚部幅ｓは、リム出口ポートからリム流路に沿って変化する。輪郭部は、内向きに延在する部分４３と、棚部に沿って延在する棚部２７より上の上側表面４７とを有するが、棚部は、輪郭が図３０に示されているように棚幅ｓ１と、リム入口ポートからの流体の強い流れを受け入れるためにその深さよりもいくぶん大きい高さｈ１とを有する領域内により深い棚を形成するようにサイズを変え、ボウルの後部と前部との間のほぼ中間の位置では適度な大きさの棚部サイズを維持し（図３１を参照）、このときリムの流れは、図３２に示されているように、ボウルの前部に向かって棚部に沿って継続する（ｓ２およびｓ３を参照）。深さｄは、比較的一定であるが、高さｈは、棚部の幅が低減するとき（たとえばｓ２およびｓ３を参照）ボウルの前部に向かって伸張し始める（高さｈ２およびｈ３を参照）。好ましくは、本明細書の一実施形態における深さは、約１０ｍｍから約３０ｍｍの間に留まる。高さは、流れ始めのところで約３５ｍｍから約５０ｍｍ、ボウルの後部と前部と間の中間点のところで約３５ｍｍから約５０ｍｍ、およびボウルの前部のところで約４０ｍｍから約５５ｍｍに変化する。棚部幅は、ｓによって例示されており、ここにおいて、ｓは、棚部の埋め込み縁のところの第１の曲率半径ｒから棚部が下方向に傾く第２の曲率半径Ｒまでの接線に沿って測定して得られた横断測定値である。棚部は、第１の半径からの接線との角度αのところにある。この実施形態における角度αは、変化し、図示されているように、棚部が図３０〜図３４において経路に沿って進むにつれてそれぞれ７°、５°、７°、２２°および３１°である。角度が増大するにつれて、半径は拡大し、棚部幅ｓは、棚部が終端するとき下方向の傾斜面寄りに消失する。
【００８９】
[0183]流れが、ボウルの前部から図３４のボウルの後部に向かって進行する中間点にあるボウルの反対側まで図３３に示されているように続くにつれて、深さｄは一定のままであるが、高さは、図３３の中間点ではさらに約４５ｍｍから約６０ｍｍまで伸張してボウルの後部に至り、そこでは約５０ｍｍから約６５ｍｍとなる。高さが伸張するとき（ｈ４およびｈ５）、棚部２７は、曲線まで低減し、最終的に終端する。
【００９０】
[0184]ボウルアセンブリは、噴出チャネル３８などの、少なくとも１つの噴出チャネルを画成する噴出部２０も含む。噴出部２０は、噴出水洗弁７０の出口１３と流体的に連通する入口ポート１８と、ボウル３０の下側または底部分３９に位置決めされた噴出出口ポート４２とを有する。噴出出口ポートは、流体をボウル３０の水だめ領域４０に吐出するように変化する断面形状およびサイズで構成され得る。閉じられた噴出流体経路が維持される限り、空間が呼び水され、いずれの穴または出口も噴出トラップの封止深さに対する影響を回避するために水だめ内の水線の下にあることを条件として、所望であれば複数の噴出出口またはボウル内に空間を形成するために複数の追加の通路または開口部を含む、追加の任意選択の領域または通路が設けられてよい。追加の噴出出口は、好ましくは一次出口よりも下にある。図３Ｃから図３Ｇに最もよく示されているように、チャネル３８の周りのボウルの幾何学的形状によって作り出された空間を含む内部噴出部の形状は、チャネル自体よりも大きく、入口１８と出口１３との間に延在する。噴出部形状は、図３Ｃから図３Ｇの平面図、底部斜視図、右側面図、後面図および左側面図にそれぞれに示される。形状または共有領域は、噴出部２０の内部空間が使用時に呼び水されたままでいるという条件の下で変化し得る。
【００９１】
[0185]水だめ領域４０は、堰４５を有するトラップウェイ４４への入口４９と流体的に連通する。閉じられた噴出流体通路１は、噴出チャネル３８を含む。噴出水洗弁７０は、好ましくは、トラップウェイの堰４５よりも上のレベルＬに位置決めされる。閉じられた噴出流体通路１は、好ましくは、噴出水洗弁７０の出口１３から噴出部２０の出口ポート４２まで延在する。アセンブリが呼び水された後、閉じられた噴出流体通路１は、空気が水洗サイクルの作動前および完了後に閉じられた噴出流体通路に入らないようにするために流体で呼び水されたままにすることができる。
【００９２】
[0186]閉じられた噴出流体通路は、空間または領域を入口と噴出通路の間に挿入し、噴出マニホールド入口開口部および出口（図示せず）を通した流体連通をもたらすことによって噴出マニホールド（図示せず）を含み得る。便器ボウルアセンブリは、リムマニホールド（図示せず）を有し得る。任意のそのようなリムマニホールドは、リム水洗弁アセンブリ８０の出口８１端部と連通し、流体をリム水洗弁アセンブリ８０の出口８１から受け入れるためのリムマニホールド入口開口部と、流れをリム入口に送達する出口とを有していなければならない。そのようなリムおよび噴出マニホールドは、図１６の実施形態において説明されている。本明細書の実施形態１０において、リム３２は、リムなし棚部である（リムチャネルを備えた従来のリムも使用され得る）。棚部は、少なくとも部分的にボウルの周りに延在する。
【００９３】
[0187]アセンブリは、好ましくは、都市用水、タンク水、井戸水、または同様のものであってよい流体の供給源（ＳＦ）と流体的に連通するタンク６０を含み、それにより、取り付けられるときに、アセンブリが取り付けられ、タンク６０は、タンクを通って充填弁内に流体の流れを受け入れることができる。タンクは、好ましくは、少なくとも１つの充填弁６６を有する。充填弁は、これが十分な水の供給をもたらしてタンク内に所望量を維持し、本開示で説明されている機能を果たす限り、市販されているまたは今後開発される任意の好適な充填弁であるものとしてよい。タンク６０は、図１から図１３に示されているように、リム弁と噴出水洗弁の両方のアセンブリを保持する１つの大きい開放容器であってよい。タンクは、少なくとも１つの噴出リザーバと少なくとも１つのリムリザーバとを有するように実施形態１０１０に関して以下で説明されているように修正されてもよい。分割されたリザーバが設けられる場合、噴出リザーバは、少なくとも１つの噴出水洗弁アセンブリ７０と共に充填弁または噴出充填弁を含んでいてよく、リムリザーバは、少なくとも１つのリム水洗弁アセンブリとタンクまたはリム充填弁とを含み得る。望ましければ、そのようなリムリザーバは、リム水洗弁アセンブリ８０上にオーバーフロー管９１をさらに収容し得る。
【００９４】
[0188]図１〜図１３の便器ボウルアセンブリは、本明細書の他の実施形態のように、約６．０リットル以下、好ましくは約４．８リットル以下、さらにより好ましくは約２．０リットル以下の水洗量において動作することができる。
【００９５】
[0189]ボウルの水だめ領域４０は、好ましくは、ボウル３０の下側部分３９内のボウル３０の内部表面３６によって画成される噴出トラップ４１を有する。噴出トラップ４１は、入口端部４６と出口端部５０とを有する。噴出トラップの入口端部４６は、流体を噴出出口ポート４２およびボウル３０の下側部分３９内の内部領域３７から受け入れ、噴出トラップ４１の出口端部５０は、トラップウェイ４４への入口４９を含み、ここに流れる。噴出トラップは、以下でさらに説明されているように封止深さを有する。たとえば、図１〜図１３および図２９〜図３４に示されている実施形態１０に示されているような封止深さ、噴出経路、および深さｘの測定値に関して以下で説明されているすべての変更形態は、図１６の実施形態１１０にも容易に組み込まれ、動作可能である。
【００９６】
[0190]アセンブリ１０などのサイフォン式水洗便器アセンブリを呼び水された状態に維持するために、最初のステップは、上で説明されている、および１１０、１０１０、２１０、３１０および４１０などを含む本明細書の他の様々な実施形態に関して説明されているような特徴を有する便器ボウルアセンブリを実現することであり、特にここにおいて、噴出チャネル３８を中に有する閉じられた噴出流体通路１は、噴出水洗弁７０の出口１３から噴出部２０の出口４２まで延在し、それにより、呼び水された後、閉じられた噴出流体通路は、空気が、水洗サイクルの作動前および完了後に閉じられた噴出流体通路に入らないようにするために流体で呼び水されたままになることができる。水洗サイクルは、水洗ハンドルＨなどの任意の好適な作動装置によって作動される。好ましい一実施形態において、陶磁器の外側およびハンドルＨは、抗菌表面をもたらす材料から形成され、またはこの材料を中に組み込む。ハンドルなどの水洗作動装置によって水洗サイクルを開始した後、ハンドルは、水洗作動バー７５と動作可能に接続している（脱着可能でも脱着可能でなくてもよい）部分を有する。
【００９７】
[0191]弁は、同時に（これは、水洗ハンドルの標準的な作動バーを用いて行われてよい）両方とも開くことができる作動装置を有することができるか、または釣り合いアプローチを提供する図１５のものなどの水洗作動ハンドルを使用することによって、それぞれの水洗弁カバーの重量に基づき持ち上げのタイミング変更および／または調整を有することができる。図１５に最もよく示されているように、ハンドルＨは、回転可能な移動リンク機構ＲＬを有する回転ロッドＰと動作可能に接続している。任意のヒンジ、ピン接続、座金、または他の回転コネクタが使用されてもよい。水洗作動バー７５は、リンク機構ＲＬを通じて回転ロッドＰとの移動可能な接続のための釣り合い点ＢＰを有する。類似の移動可能で回転可能であるリンク機構ＲＬ’（回転可能なリンク機構ＲＬと同じものでよい）は、回転ロッドとそのリンク機構ＲＬとを釣り合い点ＢＰにおいて水洗作動バー７５に接続する。釣り合い点は、ハンドルＨが水洗サイクルを作動させるために押し下げられたとき、各弁の開放の時間を詳細におよび機械的に調整するように水洗弁とともに動作する設計によって選択される。ハンドルＨが押し下げられたとき、回転ロッドＰおよびリンク機構ＲＬは、リンク機構ＲＬを有する端部において上方に押し上げられる。これは、次いで、作動バー７５を引っ張り上げる。可変の釣り合い点に合わせたリンク機構を実現するために複数の穴を有するバー７５を設けることが可能であり、それにより、バーは１つだけ製造すればよく、様々な弁カバーの重量および水洗タイミングパターンに対して使用できる。水洗作動アセンブリはサイフォン式水洗便器に関して説明されているが、水洗作動アセンブリは、洗い落とし式便器を含む、任意のスタイルの水洗便器とともに使用され得ることは理解される。
【００９８】
[0192]図６９〜図７０、および図８５に示されているような、アセンブリキット１１００は、ハンドルＨと１つまたは複数の弁との間の作動および連通を改善するために設けられ得る。アセンブリキット１１００は、回転ロッドＰと、水洗作動バー１１７５と、コネクタ１１２６０とを備える水洗作動アセンブリ１１１４４を有するものとしてよい。回転ロッドＰの一方の端部１１１４２は、タンクの外側に配置されているハンドルＨ、または他の水洗作動機構に接続されるものとしてよく、その一方で、回転ロッドＰの対向する端部１１１４３は、回転可能な接続部を使用してコネクタ１１２６０に接続され得る。回転ロッドＰは、標準的なもしくは従来の回転ロッドであるか、またはタンクのサイズと構成とに合わせて調整され得る。図８５に示されているように、１つまたは複数の開口部であってもよい回転ロッドＰ上の接続要素１１１４５の配置は、回転ロッドのメーカーによって決まる弁開口部、または便器タンクに関して回転ロッドに沿った異なる配置に位置決めされ得る。各メーカーは、回転ロッドＰの長さに沿った接続要素１１１４５に対してわずかに異なる配置を有し得るか、または回転ロッドＰそれ自体の形状が変えられてもよい。コネクタ１１２６０について本明細書で説明されている実施形態の変更形態は、接続要素の異なる配置を補償するために使用されるものとしてよく、そのようなものとして、実質的に任意の回転ロッドＰ、さらには他の非従来的な水洗作動装置は本発明の実施形態に適合することが企図される。本明細書で説明されているコネクタの実施形態の変更形態は、ハンドルおよび回転ロッドの構成の差異により、および／またはタンクサイズの差異により、弁本体部１１３１および１１２１に関するハンドルＨおよび回転ロッドＰの正確な位置決めの差異の影響を弱めるためにも役立ち得る。そのようなものとして、コネクタは、所望の作動をトリガするように適切な量の持ち上げが弁にもたらされることを確実にし得る。
【００９９】
[0193]図８５に示されているように、コネクタ１１２６０Ａは、第１の回転可能なコネクタ１１１５３を形成する第１のチェーン端部１１２６４のところの回転ロッドＰ内の接続要素１１１４５と、第２の回転可能なコネクタ１１１５７を形成する第２のチェーン端部１１２６６のところの水洗作動バー１１７５上の接続要素１１２６１にフックされるチェーンＣ３として示されている。水洗作動バー１１７５および回転ロッドＰは、実施形態の各変更形態において、図６９〜図７２に例示されているような調整可能な水洗コネクタ１１１５０の使用に関して以下でより詳しく説明されている水洗作動バーおよび回転ロッドと同じであってよい。使用されるコネクタ１１２６０のタイプに応じて、回転ロッド上の接続要素、およびコネクタは、これらの要素間の回転可能な接続部を形成するように変えられ得る。コネクタ１１２６０は、長手方向軸ＬＡｃ（図８５）の周りの少なくとも部分的な回転運動を、水洗作動バー１１７５が回転ロッドＰに関して軸ＬＡｃの周りで回転し得るが、回転ロッドＰは、軸ＬＡｃの周りで回転しないように構成すべきである。それに加えて、回転ロッドＰとコネクタ１１２６０との間の第１の回転可能なコネクタ１１１５３は、回転ロッドＰの横軸ＴＡｐの周りで回転可能に位置決め可能であるべきである。水洗作動バー１１７５とコネクタ１１２６０との間の第２の回転可能なコネクタ１１１５７は、水洗作動バー１１７５の横軸ＴＡｂの周りで回転可能に位置決め可能であるべきである。好ましくは、コネクタ１１２６０は、図６９および図７０に示され、以下でさらに詳しく説明されているように、調整可能な水洗コネクタ１１１５０である。回転ロッドＰに関して水洗作動バー１１７５の回転運動をもたらすのに十分であるコネクタのこの実施形態の追加の変更形態は、許容可能なコネクタでもあり、図８６および図８７に示されている。
【０１００】
[0194]図８６および図８７は、長手方向軸ＬＡｃの周りの回転運動を引き起こすコネクタ１１２６０Ｂおよび１１２６０Ｃの追加の変更形態を示している。コネクタのこれらの変更形態の長手方向軸ＬＡｃの周りの回転運動は、好ましくは長手方向中心点ＬＣのところのコネクタの長さｌｃに沿って配置されているボール／ソケットコネクタ１１１５４によってもたらされる。類似のボール／ソケットコネクタ１１１５４は、コネクタ１１２６０に対する代替的実施形態として図６９に示されている調整可能な水洗コネクタ１１１５０を使用する実施形態１１００の一変更形態に関して以下でさらに詳しく説明される。図８７に関して、スペーサー１１２６２は、ボール／ソケットコネクタ１１１５４と水洗作動バー１１７５との間に配置され得る。スペーサー１１２６２は、長手方向軸の周りで水洗作動バー１１７５がより容易に回転できるように備えられ得るが、コネクタが適切に機能するために必要なものではない。
【０１０１】
[0195]図８５において、チェーン１１２６０Ａとして図示されているようなコネクタと回転ロッドＰとの間の第１の回転可能なコネクタ１１１５３は、ヒンジタイプの接続部であってよく、ここにおいて、ピン１１１４６が、コネクタ１１２６０Ａ上に配置されている開口部１１１５８に通して挿入される。フックが穴に挿入されること、他方の要素上の開口部または陥凹部内に挿入される一方の要素上の突起部の使用、球関節、さらには他の知られている接続部を含む、回転ロッドＰの横軸ＴＡｐの周りの回転を許すコネクタ１１２６０と回転ロッドＰとの間の任意の接続部が使用され得ることは理解される。回転ロッドＰとコネクタ１１２６０との間の類似の接続部は、図６９〜図７２の調整可能な水洗コネクタ１１１５０に関して以下でさらに詳しく説明される。
【０１０２】
[0196]同様に、水洗作動バー１１７５とコネクタ１１２６０との間の第２の回転可能なコネクタ１１１５７は、コネクタと回転ロッドとの間の第１の回転可能なコネクタ１１１５３に使用される接続部と同じであっても、異なっていてもよい。図８６および図８７に示されているように、ヒンジタイプの接続部１１２６８が使用されるものとしてよく、ここにおいて、突起部１１２６３は、コネクタ１１２６０Ｂおよび１１２６０Ｃ上に一体形成される。これらの突起部１１２６３は、突起部および／または水洗作動バーの側部のバネおよび／またはねじり圧縮により水洗作動バー１１７５内の開口部１１１６５内に挿入され得る。水洗作動バー１１７５は、水洗作動バーの横軸ＴＡｂの周りで自由に回転し得る。両方の要素の開口部に通すピン、開口部内に挿入されるフック、球関節、さらには知られているか、またはこれから開発される他の回転可能な接続部の使用を含む、第２の回転可能なコネクタ１１１５７とともに使用するのに適している追加のタイプの接続デバイスも企図されている。コネクタ１１２６０と水洗作動バー１１７５との間の類似の接続部は、図６９〜図７２の調整可能な水洗コネクタ１１１５０に関して以下でさらに詳しく説明される。
【０１０３】
[0197]コネクタのいくつかの例示的な変更形態１１２６０Ａ〜１１２６０Ｃが本明細書において説明されているが、長手方向軸ＬＡｃの周りの回転運動をもたらすコネクタ１１２６０は、水洗作動アセンブリにおいて使用され得ることは理解される。そのような回転運動は、水洗作動バーを適切な位置に配置し、弁アセンブリを作動させることができるものとしてよい。好ましくは、コネクタ１１２６０は、調整可能な水洗コネクタ１１１５０であってよく、水洗作動アセンブリは、以下で説明されているように構成され得る。
【０１０４】
[0198]図７１は、図６９および図７０に示されている調整可能な水洗コネクタ１１１５０の正面斜視図を示しており、図７２はその上面斜視図を示している。好ましい調整可能な水洗コネクタ１１１５０は、様々な異なる回転ロッドＰおよび／または様々な異なる弁構成と連携して動作するのに適しているように構成される。調整可能な水洗コネクタ１１１５０の構成は、少なくとも１つの方向で互いに関して調整可能である接続要素を有し得る。構成が調整可能であることは、その長手方向軸の周りの回転、横軸の周りの回転、および／または長手方向軸に沿った移動を含み得る。この目的に対する具体的な好ましい構造は、以下でさらに詳しく説明される。調整可能な水洗コネクタ１１１５０は、好ましくは、第１のセクション１１１５１と、第２のセクション１１１５２と、調整可能なコネクタ１１１５６とを有する。
【０１０５】
[0199]第１のセクション１１１５１は、好ましくは、回転ロッドＰに接続可能であるように構成されている、第１の回転可能なコネクタ１１１５３を有する。回転ロッドＰとの接続の構成は、調整可能な水洗コネクタ１１１５０に接続される回転ロッドＰの端部１１１４３が上方に移動されるときに、調整可能な水洗コネクタ１１１５０も上方に移動するような構成である。調整可能な水洗コネクタ１１１５０に接続される回転ロッドＰの端部１１１４３は、ハンドルＨが押下されたときに上方に移動し得る。第１の回転可能なコネクタ１１１５３は、第１の回転可能なコネクタが調整可能な水洗コネクタ１１１５０の長手方向中心線ＣＬを横断する軸の周りで少なくとも回転することを可能にする構造を含むものとしてよく、そのような構成は、ピン、またはフックが挿入され得る１つまたは複数の開口部、穴の中に挿入されるべきフック、球関節、スナップファスナー、他のヒンジ付き構造物、または他の知られている接続部を含み得る。
【０１０６】
[0200]調整可能な水洗コネクタ１１１５０は、好ましくは、第１の回転可能なコネクタ１１１５３を使用することで回転ロッドＰに接続される。第１の回転可能なコネクタ１１１５３の開口部１１１５８は、好ましくは回転ロッド１１１４３の端部の開口部と整列される。開口部が整列された後、ピン１１１４６は、開口部を通して挿入され、ピンが元々挿入されていた側から反対の側に固定され得る。ピンは、好ましくは、開口部を通して挿入されたピンの端部の開口部内にコッターピン１１１３９を挿入することによって固定される。ピンを固定する他の方法も可能であり、これはバネ仕掛けのピン、スプリットピン、または好ましくはピン１１１４６を開口部から取り外せないようにする他のピンを含む。ピン１１１４６を開口部に通して挿入し、調整可能な水洗コネクタ１１１５０を回転ロッドＰに接続する方法は好ましい方法であるが、回転ロッドＰに関する調整可能な水洗コネクタ１１１５０の回転を許す２つの要素を接続する方法も使用され得ることは理解される。第１の回転可能なコネクタ１１１５３の回転可能である態様は、調整可能な水洗コネクタ１１１５０の長手方向中心線ＣＬが回転ロッドＰによって上方に移動されている間にタンク底部に対し垂直なままにすることができる。
【０１０７】
[0201]調整可能な水洗コネクタ１１１５０の第２のセクション１１１５２は、ボール／ソケットコネクタ１１１５４を使用することで調整可能な水洗コネクタ１１１５０の第１のセクション１１１５１に接続され得る。ボール／ソケットコネクタ１１１５４は、第２のセクション１１１５２が第１のセクション１１１５１に関して調整可能な水洗コネクタ１１１５０の長手方向中心線ＣＬの周りに回転することを可能にする。ボール／ソケットコネクタ１１１５４は、また、長手方向軸と交差する平面に沿って第２のセクション１１１５２を振り子のように前後に揺らすこともでき、この運動は、第２のセクション１１１５２の長手方向軸に常時タンクの底部に垂直でない自由度を与えることができる。ボール／ソケットコネクタ１１１５４は、第１のセクション１１１５１に関して第２のセクション１１１５２が長手方向軸の周りに回転するだけでなく、第２のセクションの長手方向軸と交差する平面に沿って前後に揺れることを可能にするセクション１１１５１、１１１５２の間に使用され得るコネクタの１つの可能なタイプである。しかしながら、一方または両方のセクション１１１５１および１１１５２の開口部と一緒にピンを使用するフックおよびループまたはヒンジ付き接続部を含む、これらの方法のうちのただ１つで互いに関するセクション１１１５１および１１１５２の回転を可能にする任意のタイプのコネクタも使用され得ることは理解される。また、調整可能な水洗コネクタ１１１５０は、第１のセクション１１１５１と第２のセクション１１１５２との間の移動または回転を可能にしない単一のユニットであってよいということも理解される。
【０１０８】
[0202]第１のセクションおよび第２のセクションの各々は、ポリマー材料または金属のいずれかから独立して作られるものとしてよく、好ましくは、これらは合わせ部品が結合するのを防ぐため異種材料である、ボール／ソケットコネクタ１１１５４を含む第１のセクション１１１５１は、ポリエステル材料から単一ユニットとして成形されることが好ましい。第２のセクション１１１５２は、好ましくはアセタール材料から形成される。他のポリマー、さらには様々な金属もしくは合金を含む、他の材料も、第１および／または第２のセクションを形成する際の使用に関して企図される。第１のセクションと第２のセクションは両方とも、好ましくは、射出成形プロセスなどの熱成形を通じて形成される。樹脂鋳造、圧縮成形、または３次元プリンティングを含む、他の方法も、調整可能な水洗コネクタ１１１５０の第１および第２のセクションを形成するために使用され得ることは理解される。また、各セクションは、異なるプロセスを使用して作製され得ることも理解される。長手方向中心線ＣＬに沿って測定されるような調整可能な水洗コネクタ１１１５０の長さｌFCは、好ましくは、約６０ｍｍから約１３０ｍｍの間にある。第１のセクション１１１５１の長さｌ1FCは、好ましくは約１０ｍｍから約５０ｍｍの間にあり、第２のセクション１１１５２の長さｌ2FCは、好ましくは約５０ｍｍから約１００ｍｍの間にある。
【０１０９】
[0203]第１のセクション１１１５１は、好ましくはボール／ソケットコネクタ１１１５４のソケット要素１１１６６を備え、第２のセクション１１１５２は、好ましくはボール／ソケットコネクタ１１１５４のボール要素１１１６７を備える。ソケット１１１６６とボール１１１６７の両方とも、一般的な球状の形状であるものとしてよい。第２のセクション１１１５２のボール要素１１１６７は、好ましくは、第１のセクション１１１５１のソケット要素１１１６６内に嵌合するようなサイズを有し、第１のセクション１１１５１に関する長手方向軸に沿った移動が最小になるように保持される。ボール１１１６７は、ソケット１１１６６内で自由に移動するようなサイズを有しているべきである。ボールの外面は、ソケットの内面と接触していてよいが、接触が行われる場合、要素間に生じる摩擦は、ソケット１１１６６内のボール１１１６７の自由な回転に干渉することのない程度であるべきである。しかしながら、摩擦による互いに関する要素の回転を行わせるために追加の力を使用することも許容可能である。
【０１１０】
[0204]調整可能な水洗コネクタ１１１５０の第２のセクション１１１５２は、調整可能なコネクタ１１１５６と螺合する構成をとるように任意選択のねじ山１１１５９を有し得る外面１１１５５を有する。第２のセクション１１１５２のねじ山を除く外面１１１５５の好ましい直径Ｄ2ACは、約３ｍｍから約１２ｍｍの範囲内である。調整可能な水洗コネクタ１１１５０の表面１１１５５上のねじ山１１１５９は、ボール１１１６７を除く第２のセクション１１１５２の全長、または他のコネクタ要素に沿って延在し得る。しかしながら、表面１１１５５の一部のみにねじ山が付けられ得るうることは理解される。表面１１１５５の一部のみにねじ山１１１５９がある場合、少なくとも約２０ｍｍのねじ山であるべきであるが、調整可能なコネクタ１１１５６がこの表面１１１５５と係合するのに十分である。それに加えて、表面１１１５５は、ねじ切りを含まなくてもよいことは理解される。
【０１１１】
[0205]調整可能なコネクタ１１１５６は、約１０ｍｍから約３０ｍｍの間の長手方向長さｌACを有するものとしてよい。調整可能なコネクタ１１１５６を通る横断中心線に沿って測定されるような調整可能なコネクタ１１１５６の内部表面の直径Ｄ1ACは、約４ｍｍから約１５ｍｍの間にある。内部表面の直径Ｄ1ACは、第２のセクション１１１５２が調整可能なコネクタ１１１５６内に挿入されることができるように第２のセクション１１１５２の外面Ｄ2ACの直径と適合しているべきである。調整可能なコネクタは、好ましくはポリエステル樹脂または他のポリマー材料から射出成形される。しかしながら、樹脂鋳造、圧縮成形、または３次元プリンティングを含む、調整可能なコネクタを作る任意の方法が使用されてもよい。構成部品の結合を回避するために、水洗作動バー１１７５および調整可能な水洗コネクタ１１１５０と嵌合する、調整可能なコネクタ１１１５６は、これらの構成部品の各々とは異種の材料であるべきである。
【０１１２】
[0206]調整可能なコネクタ１１１５６は、好ましくは、内面に嵌め合いねじ切りがなされているものとしてよく、これは調整可能なコネクタ１１１５６を通る通路を画成し、それにより、調整可能なコネクタ１１１５６は、ねじ山１１１５９を有する調整可能な水洗コネクタ１１１５０の第２のセクション１１１５２の表面１１１５５上にねじ込まれ得る。ねじに似た接続部は、調整可能なコネクタ１１１５６が、第２のセクション１１１５２の長さに沿って長手方向に調整可能であり、第２のセクション１１１５２の長手方向軸の周りで回転可能に位置決め可能であることを可能にする。調整可能なコネクタ１１１５６を第２のセクション１１１５２に接続するためにねじ切りを使用することは、好ましい一実施形態があるが、しかしながら、調整可能なコネクタ１１１５６を第２のセクション１１１５２に接続する他の方法も使用され得ることも理解される。そのような接続部は、締付部材を備える摺動可能なコネクタ、さらには調整可能なコネクタ１１１５６が第２のセクション１１１５２に沿って長手方向に移動可能であり、第２のセクション１１１５２の長手方向軸の周りで回転可能に位置決め可能であることを可能にする他の任意の接続部も含み得る。第２のセクション１１１５２は、また、別の調整可能なコネクタ１１１５６が必要ないように構成され得る。そのような第２のセクション１１１５２は、水洗作動バーと直接的に接続するために第２のセクションの長さに沿って配置されている１つもしくは複数の突出部または１つもしくは複数の開口部を備え得る。水洗作動バー１１７５の位置は、第２のセクション１１１５２上の開口部または突出部とともに水洗作動バー１１７５上の突出部または開口部を使用する直接的接続のための場所を選択することによって第２のセクション１１１５２の長さに沿って調整可能であろう。それに加えて、第２のセクション１１１５２内の開口部および／または突出部の角度は、長手方向中心軸の周りで変化させることができ、それにより、水洗作動バーも、第２のセクションの長手方向軸の周りで回転可能に位置決め可能であるようにすることが可能である。
【０１１３】
[0207]調整可能なコネクタ１１１５６は、好ましくは第２の回転可能なコネクタ１１１５７を有する。第２の回転可能なコネクタ１１１５７は、水洗作動バー１１７５上の釣り合い点ＢＰのところで水洗作動バー１１７５を調整可能なコネクタ１１１５６に接続するように構成される。第２の回転可能なコネクタ１１１５７の構成は、水洗作動バー１１７５が調整可能なコネクタ１１１５６の側部から側部に横切って延在する横方向直線の周りで回転可能であるような構成である。特定の好ましい構成は、以下で取りあげる。釣り合い点ＢＰは、好ましくは、水洗作動バー１１７５が持ち上げられたときに、持ち上げは典型的にはハンドルＨの押下または調整可能な水洗コネクタ１１１５０に接続されている回転ロッドＰの端部１１１４３の持ち上げに応答して生じるが、他方に関する各弁の開くタイミングが最適化されるように配置される。弁カバーの開放と開放との間のタイミングの最適化に関する一実施形態は、上ですでに説明されており、図１５に示されている。
【０１１４】
[0208]水洗作動バー１１７５は、好ましくは、約９０ｍｍから約１３０ｍｍの間の水洗作動バー１１７５の好ましい長さｌFBを持つバー本体部１１１６９を有する。水洗作動バー１１７５の好ましい幅ｗFBは、約２ｍｍから約５ｍｍの間にあり、水洗作動バー１１７５の好ましい高さｈFBは、約５ｍｍから約１５ｍｍの間にある。水洗作動バー１１７５の断面は、実質的に矩形であってよい。しかしながら、本開示に基づき当業者によって理解されているように、円形、卵形、六角形、三角形などを含む、任意の形状の断面も使用することが可能であろう。水洗作動オーバー１１７５は、ポリマー材料、金属、または金属合金から作られるものとしてよく、好ましくは、アセタールを使用して射出成形される。しかしながら、水洗作動バーを作製するために、樹脂鋳造、圧縮成形、または３次元プリンティングを含む製造の任意の方法が使用されてもよい。
【０１１５】
[0209]水洗作動バー１１７５は、好ましくは、２つのサイドアーム１１１７７を有する。２つのサイドアーム１１１７７は、水洗作動バー１１７５の釣り合い点ＢＰの周りに好ましくは配置されるバー本体部１１１６９内に大きな開口部１１１６４を形成し、画成する。サイドアーム１１１７７によって画成される大きな開口部１１１６４は、水洗作動バー１１７５の長手方向軸に沿って延在し得る。大きな開口部１１１６４は、好ましくは、卵形の断面を有する。しかしながら、大きい開口部１１１６４に対する任意の形状が企図され、これは円形または矩形を含む。サイドアーム１１１７７は、好ましくは、水洗作動バー１１７５の長手方向軸の周りで対称的であるが、これらの要素の対称性は、必要というわけではない。水洗作動バー１１７５の好ましい形状に対して、サイドアーム１１１７７は、その長さに沿った少なくとも１つの位置で互いに平行であるべきである。大きい開口部１１１６４に対するサイズは、調整可能なコネクタ１１１５６を含む、調整可能な水洗コネクタ１１１５０全体のうちの少なくとも一部が中に通して挿入され得るようなサイズであると企図される。
【０１１６】
[0210]２つのサイドアーム１１１７７が互いに平行である場所で、２つの小さい開口部１１１６５は、水洗作動バー１１７５の一部として形成され、より大きい開口部１１１６４を画成する、サイドアーム１１１７７を通して横方向に延在し得る。小さい開口部１１１６５は、好ましくは円形であるが、接続要素の回転を可能にする任意の形状を有していてもよく、少なくとも小さい開口部１１１６５の底部は、実質的に湾曲しているべきである。小さい開口部１１１６５は、好ましくは、調整可能なコネクタ１１１５６の側部から延在する２つの突起部１１１６３に対応しているか、または受け入れるように配置構成される。
【０１１７】
[0211]水洗作動バー１１７５を調整可能なコネクタ１１１５６に取り付け、第２の回転可能なコネクタ１１１５７を形成するために、調整可能なコネクタ１１１５６は、各々調整可能なコネクタ１１１５６の一方の側から延在する２つの突起部１１１６３を備える。２つの突起部１１１６３は、好ましくは、調整可能なコネクタ１１１５６の頂部に向かうように配置され、好ましくは、調整可能なコネクタ１１１５６に横断する形で延在する互いに同じ線上に配置される。突起部１１１６３は、好ましくは円筒形を有する。しかしながら、卵形などの任意の断面形状が企図される。断面形状は、好ましくは少なくとも底部縁上で丸い形状であり、それにより、突起部１１１６３は、水洗作動バー１１７５の小さい開口部１１１６５内で回転することができる。
【０１１８】
[0212]第２の回転可能なコネクタ１１１５７を形成する一方法として、２つの突起部１１１６３は、水洗作動バー１１７５の小さい開口部１１１６５内にスナップ式に嵌め込まれてこれは水洗作動バー１１７５の横軸の周りである突起部１１１６３の周りに回転可能である接続部を形成する。突起部１１１６３は、好ましくは、突起部１１１６３および／またはサイドアーム１１１７７のバネおよび／またはねじり圧縮を使用することでスナップ式に適所に嵌め込まれ、それにより、突起部１１１６３は、小さい開口部１１１６５内の適所に係止される。突起部１１１６３は、小さい開口部１１１６５内に貫入するようにバネ仕掛けで動作するものとしてもよく、好ましい突起部１１１６３の端部１１１７９は、突起部１１１６３を小さい開口部１１１６５内に挿入しやすいように角度を付けられてもよい。取り外すのが望ましい場合、角度を付けられた端部１１１７９は、小さい開口部１１１６５から突起部１１１６３を取り外すのを補助することもできる。取り外し可能な接続部は好ましいが、突起部１１１６３は、取り外しを難しくするか、または取り外しを高度に実用的でない作業にする形状および／またはサイズを有していてもよい。
【０１１９】
[0213]水洗作動バー１１７５の横軸の周りに回転可能である任意のタイプの接続部は、第２の回転可能なコネクタ１１１５７に対する許容可能な代替的構成であると本開示に基づき当業者によって理解される。調整可能なコネクタ１１１５６を貫通する開口部、およびピンが挿入されて通され得る調整可能な水洗コネクタ１１１５０の第２のセクション１１１５２の使用も、また、水洗作動バー１１７５を調整可能な水洗コネクタ１１１５０に接続するように第２の回転可能なコネクタ１１１５７を形成するものとして企図される。そのような一実施形態において、２つまたはそれ以上の開口部は、第２のセクション１１１５２上で必要になる。開口部は、第２のセクションを横断する形で延在し、第２のセクションの長さに沿った様々な地点に位置決めされる。開口部のうちの２つまたはそれ以上は、互いに関して１つまたは複数の異なる角度で第２のセクションを横切って延在し得る。２つまたはそれ以上の開口部は、調整可能なコネクタ１１１５６が長手方向に移動可能であり、回転可能に位置決め可能であるようにすることができる。上で説明されているような調整可能なコネクタ１１１５６を使用せずに、水洗作動バー１１７５を直接的に調整可能な水洗コネクタ１１１５０の第２のセクション１１１５２に接続するために、類似の配置構成も使用され得る。他の可能な接続部は、突起部１１１６３上のねじ山付きの表面を含み得る。水洗作動バーを調整可能なコネクタに取り外し可能に固定し、第２の回転可能なコネクタを形成するために、滑らかな外面を備える嵌合するねじ山付きメス個片が使用されることも可能である。取り外し可能または恒久的のいずれかの接続部を形成することが可能である、リベット接続部も使用され得る。
【０１２０】
[0214]図６９には、第１の弁アセンブリと、第２の弁アセンブリと、工具なしで水洗作動バーと調整可能な水洗コネクタとを備え、回転ロッドＰとハンドルＨとに接続されているように示されている水洗作動アセンブリとを有するアセンブリキット１１００の一実施形態が図示されている。代替的キットは、次の、以下の図８３および図８４に示されているようなタンク／ボウル間ガスケットツール、図８８〜図９０に示されているようなフロートアタッチメント、または図８０〜図８１に示されているような多重水洗弁アセンブリのうちの１つまたは複数も収容し得る。図６９は、ハンドルＨ上への作用を弁の開放に関連付ける接続部を示している。ハンドルＨが押下されたときに、回転ロッドＰは、調整可能な水洗コネクタ１１１５０を垂直に持ち上げ、これは次いで水洗作動バー１１７５を釣り合い点ＢＰのところで垂直に移動する。水洗作動バー１１７５は、好ましくは、バー１１７５の第１の部分１１１６１のところの第１の弁アセンブリ１１８０と、バー１１７５の第２の部分１１１６２のところの第２の弁アセンブリ１１７０とに接続される。第１の弁アセンブリ１１８０は、好ましくはリム弁アセンブリであり、第２の弁アセンブリ１１７０は、好ましくは噴出弁アセンブリである。リム弁アセンブリ１１８０および噴出弁アセンブリ１１７０は、呼び水された便器の様々な実施形態において本明細書で説明されており、弁８０および７０として前の方の実施形態で説明されているものと類似の、または同一であってよい。水洗作動バー１１７５が水洗作動バー１１７５を各弁アセンブリ１１７０および１１８０に接続するチェーンＣおよびＣ１上で使用される広範なコネクタスタイルとともに使用可能であるようにするために、１つまたは複数の異なるタイプのコネクタピースが、図６９に示されているようなスナップ、または他のメス型フィッティングを含む、水洗作動バー１１７５の第１の部分１１１６１および／または第２の部分１１１６２上に配置され得る。同様に、フックまたは他のオス型フィッティングも、第１の部分１１１６１および第２の部分１１１６２の一方または両方に含まれ得る。
【０１２１】
[0215]調整可能なコネクタ１１１５６と水洗作動バー１１７５との間の釣り合い点ＢＰの配置は、各弁カバー１１８２および１１７３がいつ開くかというタイミングに影響を及ぼし得る。弁カバー１１８２および１１７３は、同時に開くように設定され得るか、または噴出弁カバー１１７３が開き始める前にリム弁カバー１１８２を完全に開かせることによって図１５に関して説明されているようにサイフォン式呼び水噴出便器におけるパフォーマンスを最適化するように設定され得る。
【０１２２】
[0216]水洗サイクルが作動すると、流体は、少なくとも１つのリム弁を通して、ここで、リム水洗弁アセンブリ１１８０を通して、および少なくとも１つの噴出水洗弁、ここで図示されているように噴出水洗弁アセンブリ１１７０を通して供給される。閉じられた噴出流体通路の構成は、そのようなものであり、噴出サイクルのタイミングは噴出サイクルの完了後に閉じられた噴出流体通路を呼び水された状態に維持するように最適化される。噴出機構およびタイミングは、様々な実施形態１０、１１０、２１０、３１０、４１０など、および本明細書に含まれる例において説明されている最適化されたパフォーマンスと同じであるものとしてよい。
【０１２３】
[0217]本明細書の方法の一実施形態において、噴出サイクルを作動させた後に、水洗作動バーは、流体を少なくとも１つの噴出水洗弁アセンブリを通して、空気が噴出出口に入らないようにし、トラップウェイ内でサイフォンを発生させるのに十分な流量で供給するように動作する。次いで、流量は、サイフォンが破れるまで約１秒から約５秒の間噴出チャネルを通して下げられ、流れは、少なくとも噴出出口ポートが覆われるまで維持される。
【０１２４】
[0218]流体は、また、好ましくは噴出サイクルにおいて少なくとも１つのリム噴出弁アセンブリを通して供給される。最初に取り付けられるときに、便器は、上で説明されているように水だめが流体で充填されるまで空気が噴出出口ポートに入らないようにするのに十分な流量を噴出水洗弁アセンブリ出口を通して供給することによって、最初に呼び水することを必要とし得る。これらのステップを実行するための関連付けられている流量については、本明細書の別のところで概要が説明されている。便器アセンブリは、上で説明されているように自動呼び水することができ、便器が噴出チャネルに空気を入れさせる状態にあるときに空気のすべてまたは実質的にすべてが噴出チャネルから追い出されることになることが好ましい。一般的なパフォーマンスのために、良好な動作をそのまま続けながら、好ましくは本明細書に示されている実施形態１０などの一実施形態における最大わずか約１００ｍｌの空気を含む、少量の空気が閉じられた流体噴出経路内に入る可能性があることを許容すべきであるが、許容できるパフォーマンスは、さらなる量の空気、ただし好ましくは約５００ｍｌ以下の空気を、パフォーマンスの低下を回避するために含み得る。特定の量は、ボウルの幾何学的形状によって変化し得る。
【０１２５】
[0219]便器は、配管工事または保守などの他の状況はそのような状況の原因ともなり得るが、たとえば、上で指摘されているように便器が最初に取り付けられたときに、典型的には呼び水された状態にある。使用者は、もちろん、取り付け後に便器アセンブリに呼び水する手動による介入を行い得るか、または構成されるときに、便器は、使用者の手動による介入なしで便器の最初の数回の水洗のうちの１つまたは複数にわたって自動呼び水することができる。
【０１２６】
[0220]本明細書おいて図１〜図１３および図２９〜図３４に示されているように、便器は、約３回と少ない水洗で事実上すべての空気を追い出すことができるが、個別の便器幾何学的形状によっては必要な回数は多くも少なくもなり得る。自動呼び水が完了するために、次の２つの条件、すなわち、（１）噴出水洗弁を通る流体の流量は、空気を変位させるのに十分なエネルギーを供給するために噴出出口ポートを出る流体の流量よりも大きい必要があること、および（２）空気は、出口からまたは噴出水洗弁アセンブリを通って上に逃れるルートを用意されなければならないこと、という条件が満たされなければならない。これは、噴出チャネルおよび／または噴出出口ポートの幾何学的形状および／または断面積の修正を通じて、および／または噴出弁を修正してパフォーマンスを高めることによって果たされ得る。したがって、噴出チャネルを通して高エネルギーおよび高速度の流れを閉じられた噴出流体経路内に送ることができる噴出水洗弁を使用することが好ましい。好適な弁は、流線形の弁本体部構成を有し、アールを付けられた入口および／または重みのあるカバーを有する弁の教示に関して参照により本明細書に組み込まれている米国特許第８，２６６，７３３号および同時係属米国非仮特許出願第２０１４／００９０１５８号に説明されている。他の好適な水洗弁は、市販されており、同じ水洗弁が使用され得る以下に説明されている便器アセンブリの他の実施形態に関して本明細書の別のところで説明されている（たとえば、以下で説明されているように剥がし能力からより良好な空気放出を行う、本明細書の図３５〜図６８も参照）。徐々にカバーを持ち上げることに加えて、星パターンの内部リブもまた、以下でさらに説明されているように空気排出の速度に影響を及ぼし得る。
【０１２７】
[0221]図１６および図２０、図２１、および図２２は、本明細書において説明されている便器ボウルアセンブリの追加の実施形態を示している。本明細書において全体として１１０として参照される図１６の便器ボウルアセンブリは、水洗水などの流体を、直接供給式噴出部などの噴出部１２０に送るように構成されている少なくとも１つの噴出水洗弁アセンブリ１７０と、流体をリム１３２に送達するように構成されている少なくとも１つのリム水洗弁アセンブリ１８０とを有する。図２１を参照すると、便器ボウルアセンブリ１１０は、また、流体を噴出水洗弁アセンブリ１７０の出口１１３から受け入れるように構成されている噴出マニホールド入口開口部１１４と、流体を噴出入口ポート１１８に送達するための噴出マニホールド出口開口部１１６とを有する噴出マニホールド１１２も有する。便器ボウルアセンブリ１１０は、流体をリム水洗弁アセンブリ１８０から受け入れるように構成されているリムマニホールド入口開口部１２４と、流体をリム入口ポート１２８に送達するためのリムマニホールド出口開口部１２６とを備える噴出マニホールド１２２をさらに有する。
【０１２８】
[0222]アセンブリ１１０は、リム１３２を有するボウル１３０をさらに含み、リム１３２はボウル１３０の上側周囲部分１３３の周りに設けられる。一実施形態において、リム１３２は、図示されているようにリムチャネル１３４を画成し得る。リム入口ポート１２８は、リムチャネル１３４と流体的に連通し、それにより、リムチャネル１３４もリム入口ポート１２８を通してリムマニホールド出口開口部１２６と流体的に連通し、またリムチャネルは少なくとも１つのリム出口ポート１２９とも流体的に連通する。本明細書で使用されているように、流体的に連通するということは、アセンブリの１つの要素が、別の要素からの流れに対して開くように構造的に位置決めされることを意味する。リム出口ポートは、ボウル１３０の内部領域１３７と流体的に連通し、ここにおいて、内部領域１３７は、ボウル１３０の内部表面１３６によって画成される。このアセンブリの残りの部分は、実施形態１０における部分に類似している。
【０１２９】
[0223]実施形態１０に関して、ボウルアセンブリは、上で説明されているように少なくとも１つの噴出チャネル３８の構成を有し画成する直接供給式噴出部２０を含む（そのような噴出チャネルは、実施形態１１０にも設けられ得る）。チャネルは、噴出入口ポート１８と噴出出口ポート４２との間に延在する。少なくとも１つの噴出チャネル３８は、噴出水洗弁の出口開口部１６と流体的に連通する入口ポート１８を有する。噴出部は、流体を噴出チャネル３８から水だめ領域４０に吐出するように構成されている噴出出口ポート４２も有する。水だめ領域は、トラップウェイ４４、または便器ボウル３０を排水するための他の便器出口導管と流体的に連通している。
【０１３０】
[0224]流体供給源（水洗水などの）は、ボウルが、多くの工業用または市販用便器のように壁内の配管水入口に直接的に接続されている一列に並んだフラッシュマスタタイプの弁から来るように取り付けられたときに使用され得る。アセンブリは、適宜、図１９および図２１に示されているようにタンク６０を備え得る。好ましくは、タンク６０は、噴出水洗弁アセンブリ７０を受け入れ、少なくとも１つの噴出水洗弁アセンブリ７０の出口１３からの流体が閉じられた噴出流体経路１および噴出チャネル１３に入ることを可能にするための少なくとも１つの開口部６２と、リム水洗弁アセンブリ８０を受け入れ、リム水洗弁アセンブリ３０の出口８１からの流体がリム出口ポート２８に至るまたはリムマニホールド入口開口部を通して任意選択のリムマニホールドに至るリム経路に入ることを可能にするための少なくとも１つの第２の開口部６４とを備える。
【０１３１】
[0225]タンク６０は、少なくとも１つの充填弁６６および、適宜、好ましくはリム水洗弁に関連付けられている、上記の実施形態において示されているオーバーフロー管９１などのオーバーフロー管も備えるべきである。タンク６０は、噴出水洗弁とリム水洗弁の両方を図１９に示されているように１つの領域内に収納する単一の開いているリザーバとして形成され得るか、または代替的に、図２０の実施形態１０１０において示されているように２つの個別のリザーバとして製作され得る。オーバーフロー管は、空気が閉じられた噴出流体経路１に入るいかなる機会も解消するために、噴出水洗弁を通る噴出水洗流体ＪＦの流れではなく、（当技術分野で知られているまたは今後開発される弁本体部に任意の方法で関連付けられる）リム水洗弁から出たリム水洗流体ＲＦの流れから動作させられるべきである。リム経路は、本発明の性質がリム経路内のオーバーフロー管への接続によって影響されない限り、空気に対して開かれたままであってよい。
【０１３２】
[0226]噴出水洗弁７０およびリム洗浄弁８０のアセンブリは、たとえば、Ｆｌｕｉｄｍａｓｔｅｒ５０２水洗弁などの、当技術分野で知られているか、または今後開発される様々な設計を含む、標準的な市販の水洗弁およびフラッパ設計も組み込むことができる。リム弁は、電気的、機械的、またはコンピュータによって動作するものであってもよい。好ましくは、便器ボウルアセンブリ１０は、水洗水などの流体を、噴出部２０に送達するように構成されている少なくとも１つの噴出水洗弁アセンブリ７０と、流体をリム出口ポートに送達するように別々に構成されている少なくとも１つのリム水洗弁アセンブリ８０とを有する。本発明において使用するための水洗弁アセンブリは、別の流体の流れをリムおよび噴出部に送達するマスタ水洗弁になるように構成され得るか、またはより好ましくは、独立した流体流を送達するように位置決めされている少なくとも１つの噴出水洗弁アセンブリ７０および少なくとも１つのリム水洗弁アセンブリ８０であり、実施形態１０および水洗弁７０、８０に関して上で説明されているものなどの当技術分野で知られているまたは今後開発される好適な任意の水洗弁であってもよい。
【０１３３】
[0227]少なくとも１つの噴出水洗弁アセンブリ７０および少なくとも１つのリム水洗弁アセンブリ８０は、各々二重水洗弁アセンブリであってもよい。本明細書の実施形態において好まれ得る当技術分野に知られている水洗弁アセンブリの例が、参照により関連する部分が本明細書に組み込まれている米国特許第８，２６６，７３３Ｂ２号に見出され得る。２つの弁は、同時に開閉され得るか、またはパフォーマンスをさらに最適化するために水洗サイクルにおいて異なるタイミングで開閉され得る。よりきれいな水洗後水を用いてボウルをよりきれいにするために、噴出水洗弁を開く前にリム水洗弁を開くことが望ましい。６．０リットル／１水洗の好ましい実施形態において、リム水洗弁は、水洗サイクルの開始直後に開かれ、サイクルに入って約０．１秒から約５秒で閉じられ、一方で噴出水洗弁は、サイクルに入って約１秒から約５秒で開いて、約１．２秒から約１０秒で閉じられる。
【０１３４】
[0228]３リットル／１水洗である極めて低量の水洗便器では、リム水洗弁は、水洗サイクルの開始直後に開かれ、サイクルに入って約１秒から約３秒で閉じられ、一方で噴出水洗弁は、サイクルに入って約０．１秒から約３秒で開いて、約１．２秒から約３秒で閉じられる。本明細書の実施形態では、直径５４ｍｍのトラップウェイを使用した場合、サイフォンを開始するのに、完全に呼び水された閉じられた噴出チャネルから流れるわずか約１リットルの量があればよく、ボウル洗浄の所望の有効性およびその機能に向けられる水の量に応じて、２リットル以下の量で動作する水洗便器への本発明の適用を可能にする。
【０１３５】
[0229]二重水洗トイレアセンブリの別の実施形態は、水洗サイクル開始直後にリム水洗弁とする二重水洗弁を開き、それによって次いで、噴出水洗弁（単一または二重水洗）をトリガしてリム二重水洗弁の後に開かせる。サイフォン前に洗浄するためにリムに送られた水の量は、約１リットル／１水洗から約５リットル／１水洗であり、好ましくは、約２リットルから約４リットル／１水洗であり、サイフォンを確立するために噴出水洗弁を通って送られる水の量は、約１リットル／１水洗から約５リットル／１水洗である。
【０１３６】
[0230]水洗弁アセンブリの追加の一実施形態が、図６９および図７０に示されている。この実施形態において説明されているような弁アセンブリは、リム弁アセンブリ８０、１１８０などの実施形態、ならびに差異が指摘されている、本明細書で説明されている噴出弁アセンブリ７０、５７０、６７０、７７、８７０、９７０、および１１７０の実施形態に類似しているものとしてよい。すでに説明されている二重弁アセンブリでは、各弁アセンブリは、他の弁アセンブリに関して移動することができた。弁アセンブリの十分な移動により、水洗作動バーとの整列状態は変更される可能性があり、その結果、弁解放のタイミングが変わる可能性、および水洗機構のパフォーマンスの低下の可能性が生じる。弁アセンブリはサイフォン式水洗便器に関して説明されているが、弁アセンブリは、洗い落とし式便器を含む、任意のスタイルの水洗便器とともに使用され得ることは本開示に基づき当業者によって理解されるであろう。
【０１３７】
[0231]この実施形態において、図６９〜図７０および図７８〜図７９に示されているように、弁アセンブリ１１８０が設けられており、第２の弁アセンブリ１１７０に接続するように構成される。弁アセンブリ１１８０の弁本体部１１３１は、弁本体部１１３１を第２の弁アセンブリ１１７０の第２の弁本体部１１２１に関連付けるための第１のリンク１１２１０を備え得る。弁アセンブリ１１８０は、弁カバー１１８２も有し得る。図７８に最もよく示されているように、第１のリンク１１２１０は、第２の弁アセンブリ１１７０上の第２のリンク１１２２０と接続してリンクデバイス１１２００、または以下で説明されているように、弁アセンブリ１１８０と第２の弁アセンブリ１１７０との間の距離ｄVを一定に保持するための他の構造を形成することができるものとしてよい。弁アセンブリ１１８０は、好ましくは、図７３〜図７７で説明され図示されているような係止ラグ１１１７３を好ましくは使用して、以下の実施形態で説明されているような硬質カバー１１１８０に固定されたシール１１１７０を備える。特に、シール１１１７０は、封止表面１１１７１と係止表面１１１７２とを備え、係止表面１１１７２は複数の係止ラグ１１１７３を有しているべきである。係止ラグ１１１７３は、硬質カバー１１１８０内の対応する開口部１１１８８内に挿入可能である。次いで、硬質カバー１１１８０は、剥離セクション１１１８２と持ち上げセクション１１１８３とを使用して弁カバー１１８２を徐々に開くようにすることでシール１１１７０とともに曲がることができるものとしてよい。
【０１３８】
[0232]弁アセンブリは、リム弁アセンブリに関連付けられている番号付けを使用して本明細書において説明され図に示されており、第２の弁アセンブリは、噴出弁アセンブリに対する番号付けを使用して図で説明され示されているが、弁アセンブリは、リム弁アセンブリ１１８０および／または噴出弁アセンブリ１１７０であってよいことは理解される。同様に、第２の弁アセンブリは、リム弁アセンブリおよび／または噴出弁アセンブリであってよい。
【０１３９】
[0233]弁アセンブリ１１８０および／または第２の弁アセンブリ１１７０は両方とも、弁カバー１１７３もしくは１１８２が閉じられたときに液体を弁本体部１１２１または１１３１内に入れ、水洗時に空気を上方に逃がすことができるオーバーフロー管１１９１を備え得る。弁本体部１１２１および／または１１３１のうちの１つまたは複数上のオーバーフロー管１１９１は、好ましくは、オーバーフロー管１１９１の使用が望ましくないときのための取り外し可能キャップ１１２０１を有する。
【０１４０】
[0234]別の実施形態は、適宜、図７８および図７９に示されているように、多重水洗弁アセンブリ１１２０５を備え得る。多重水洗弁アセンブリ１１２０５は、好ましくは、第１の弁アセンブリ１１８０と第２の弁アセンブリ１１７０とを備える。第１の弁アセンブリ１１８０および第２の弁アセンブリ１１７０は、本明細書の実施形態１０、１１０、２１０、３１０、４１０、７１０、１０１０などに含まれているようなものであってよい。多重水洗弁アセンブリ１１２０５は、また、第１の弁本体部１１３１上の第１のリンク１１２１０と、第２の弁本体部１１２１への第２のリンク１１２２０とを備え得る。第１の弁アセンブリは、好ましくはリム弁アセンブリ１１８０であり、第２の弁アセンブリは、好ましくは噴出弁アセンブリ１１７０である。
【０１４１】
[0235]図７８は、リンクデバイス１１２００の拡大正面図を示している。リム弁本体部１１３１は、好ましくは、第１のリンク１１２１０を備え、噴出弁本体部１１２１は、好ましくは、第２のリンク１１２２０を備える。第１のリンク１１２１０および第２のリンク１１２２０は、第１のリンク１１２１０が第２のリンク１１２２０と連動し、第１の弁アセンブリ１１８０を第２の弁アセンブリ１１７０に関連付けるように構成される。第１のリンク１１２１０および第２のリンク１１２２０の構成は、連動することができるような各要素の形状を指し示しており、リンク形状については以下で詳しく説明される。任意選択のリンクデバイス１１２００は、好ましくは、第１の弁アセンブリ１１８０と第２の弁アセンブリ１１７０との間の一定の距離ｄVを維持するために使用される。リンクデバイス１１２００によって形成される接続は、互いに関して弁アセンブリの移動を最小限度に抑え、水洗の一貫したパフォーマンスを維持する。
【０１４２】
[0236]第１のリンク１１２１０は、好ましくは、噴出弁アセンブリ１１７０に最も近い位置に配置されているリム弁本体部１１３１の縁１１２１１から延在する。第１のリンク１１２１０は、好ましくは、２つの垂直セクション１１２１２および１１２１３と水平セクション１１２１４とから形成された下向きフック形状を有する。第１の垂直セクション１１２１２は、リム弁本体部１１３１の縁１１２１１の一体部分と接続するか、または一体部分であってよく、リム弁本体部１１３１から上に延在し、第１の垂直セクション１１２１２の頂部１１２１５のところで水平セクション１１２１４に接続するものとしてよい。第１の垂直セクション１１２１２の高さｈ1VSは、好ましくは約１０ｍｍから約３０ｍｍの間にある。
【０１４３】
[0237]水平セクション１１２１４は、第１の垂直セクション１１２１２とリム弁本体部１１３１の縁１１２１１から実質的に垂直に、噴出弁アセンブリ１１７０の方へ、リム弁アセンブリ１１８０と噴出弁１１７０との間の距離ｄVよりもわずかに大きい長さｌHSだけ延在するものとしてよい。リム弁アセンブリ１１８０と噴出弁アセンブリ１１７０との間の距離ｄVは、可変であってよく、これは便器タンクのメーカーに依存し得る。リム弁アセンブリ１１８０と噴出弁アセンブリ１１７０との間の好ましい距離ｄVは、約２ｍｍから約１０ｍｍである。これらの距離を使用することで、第１のリンク１１２１０の水平セクション１１２１４に対する好ましい長さｌHSは、約４ｍｍから約１２ｍｍである。
【０１４４】
[0238]好ましくは、第２の垂直セクション１１２１３は、リム弁本体部１１３１から最も遠い水平セクション１１２１４の端部と接続し、タンクの底部に向かって下方に延在し、第１の垂直セクション１１２１２と実質的に平行である。第２の垂直セクション１１２１３の高さｈ2VSは、第２のリンク１１２２０と連動するのに十分な高さである。第２の垂直セクション１１２１３に対する好ましい高さｈ2VSは、約３ｍｍから約８ｍｍの間にある。しかしながら、この高さｈ2VSは、第１の垂直セクションの高さｈ1VS、さらには第２のリンク１１２２０の上向き突起部１１２２２の高さｈUPに依存する。上向き突起部１１２２２の高さｈUPが大きければ大きいほど、第２の垂直セクション１１２１３の高さｈ2VSは小さくする必要がある。しかしながら、互いに隣接する第２の垂直セクション１１２１３および上向き突起部１１２２２の接触面積の量は、重要でないものとしてよい。この接触面積は、好ましくは、第１のリンク１１２１０と第２のリンク１１２２０とのリンクを維持するのに十分である。
【０１４５】
[0239]第１のリンク１１２１０は、３つのセクション１１２１２、１１２１３、１１２１４を有するように説明されている。しかしながら、３つのセクションはすべて、単一部品として一体形成されるものとしてよく、また、弁本体部１１３１とも一体形成され得る。第１のリンクは、好ましくは、射出成形を使用することで弁本体部の一体部品として成形されるが、限定はしないが、圧縮成形、樹脂鋳造、および３次元プリンティングを含む、形成方法が企図されている。それに加えて、これらのセクションのうちの１つまたは複数は、たとえば、溶接、プレス嵌め、または他の知られている接続プロセスを通じて、使用前に、個別に形成され、他のセクションに接続され得る。第１のリンク１１２１０を形成する説明されている方法を使用することで、プラスチックまたは金属材料のいずれかが使用され得る。
【０１４６】
[0240]好ましくは、第２のリンク１１２２０は、リム弁アセンブリ１１８０に最も近い位置に配置されている噴出弁本体部１１２１の縁１１２２１から延在する。第２のリンク１１２２０は、好ましくは、タンクの前から見たときに上向き突起部１１２２２を備える一般的に矩形の形状を有する。一実施形態において、第２のリンク１１２２０は、水平要素１１２２３と上向き突起部１１２２２とを有する。水平要素１１２２３は、噴出弁本体部１１２１の縁１１２２１の一体部分に接続するか、または一体部分であってよく、縁１１２２１からリム弁本体部１１３１の方へ垂直に延在する。水平要素１１２２３は、リム弁アセンブリ１１８０と噴出弁アセンブリ１１７０との間の距離ｄVのほとんど全体にわたって延在するようなサイズを有するものとしてよい。水平要素１１２２３の好ましい長さｌHEは、約１０ｍｍから約２０ｍｍである。しかしながら、この距離は、弁アセンブリ１１８０と１１７０との間の距離ｄVに応じて変わり得る。水平要素１１２２３の高さｈHEは、好ましくは水平要素１１２２３の頂部１１２２４が第１のリンク１１２１０の第２の垂直セクション１１２１３の底部１１２１７の真下に来るような大きさである。水平要素１１２２３の高さｈHEは、約２ｍｍから約２７ｍｍまで変化するものとしてよく、上向き突起部１１２２２の高さｈUPがより重要である。水平要素１１２２３に対する好ましい高さｈHEは、第１のリンク１１２１０および第２のリンク１１２２０が互いに関連して弁アセンブリ１１８０と１１７０との間の距離ｄVを比較的一定に保持するように第１のリンク１１２１０の３つのセクション１１２１２、１１２１３、１１２１４の好ましいサイズに対応する。
【０１４７】
[0241]好ましくは、第２のリンク１１２２０の上向き突起部１１２２２は、水平要素１１２２４の頂部から上向きに延在し、上向き突起部１１２２２の前は好ましくは水平要素１１２２３の前と整列する。上向き突起部１１２２２は、好ましくは、第１のリンク１１２１０によって形成されるフック形状内に嵌合するサイズを有する。第２のリンク１１２２０の上向き突起部１１２２２の高さｈUPは、リム弁本体部１１３１および噴出弁本体部１１２１が互いに固定され、互いの方へ、または互いから離れる方向に移動することができないように第１のリンク１１２１０の第２の垂直セクション１１２１３と連動するのに十分な高さであるものとしてよい。上向き突起部１１２２２の好ましい高さｈUPは、約２ｍｍから約５ｍｍであるが、水平要素１１２２３の高さｈHEと、第１のリンク１１２１０の第１の垂直セクション１１２１２および第２の垂直セクション１１２１３の高さｈ1VSおよびｈ2VSとに依存する。上向き突起部１１２２２の好ましい長さｌUPは、約１ｍｍから約５ｍｍである。この好ましい長さは、上向き突起部１１２２２が第１のリンク１１２１０のフック形状内にぴったり嵌合するように選択されるものとしてよく、それにより、弁アセンブリ１１８０と１１７０の両方が互いの方へ、または互いから離れる方向に移動することが最小限度に抑えられる。
【０１４８】
[0242]第２のリンク１１２２０は、２つのセクション１１２２２および１１２２３を有するものとして説明されているが、好ましい第２のリンク１１２２０は、材料の単一個片から作られている。特に、第２のリンク１１２２０は、金属またはポリマー材料のいずれかの材料から作られるものとしてよく、好ましくは、上記の好ましい実施形態について説明されている形状で成形されたポリマー材料である。好ましくは、第２のリンク１１２２０は、弁本体部１１２１と一体形成される。
【０１４９】
[0243]第１のリンク１１２１０と第２のリンク１１２２０の両方とも、弁アセンブリが便器内に取り付けられた後にそれぞれの弁アセンブリ１１８０および１１７０上に取り付けられ得る個別の物品としても用意され得る。そのような目的のために、第１のリンク１１２１０および第２のリンク１１２２０は、第１のリンク１１２１０と第２のリンク１１２２０とを第１の弁本体部１１３１と第２の弁本体部１１２１とにそれぞれ固定することができるストラップ固定機構、締め付け機構、タブ、または他の接続デバイスを備え得る。それに加えて、第１のリンク１１２１０および第２のリンク１１２２０は、一体形成されるものとしてよく、リンクデバイス１１２００は、１つの部品を有するのみであってよい。単一部品としてのリンクデバイス１１２００は、輪にされてアセンブリの周りに緩く巻かれるストラップ、および／または両方の弁アセンブリの側部に接続するための締め付けデバイスを含む、接続要素により取り付けられ得る。たとえば、単一の剛体物品が、両方の弁アセンブリに貼り付けられ得る。そのような物品は、２つの弁アセンブリ１１８０と１１７０との間の距離ｄVを実質的に一定に保持することができるべきである。また、弁本体部１１２１および１１３１は、単一のユニットとしても形成されてもよく、それにより、リンクデバイス１１２００が必要なくなることにも留意されたい。
【０１５０】
[0244]好ましくは、第１のリンク１１２１０と第２のリンク１１２２０の両方とも、剛性材料から作られる。しかしながら、可撓性材料は、リンクの一方または両方に使用することも可能である。上向き突起部１１２２２が、圧縮可能な材料から作られている場合、その長さｌUPは、上向き突起部１１２２２が圧縮されて第１のリンク１１２１０のフック形状内に嵌合できるように大きくされるものとしてよい。好ましい第１のリンク１１２１０および好ましい第２のリンク１１２２０について説明されている要素の一部または全部に可撓性材料が使用されている場合、使用され得る可撓性の厚さおよび／または量は、第１の弁アセンブリ１１８０および第２の弁アセンブリ１１７０が互いに関して実質的に移動することを許さないようなものであるべきである。
【０１５１】
[0245]図７９のように上からリンクデバイス１１２００を見ると、タンクを横断して延在するリンクデバイス１１２００の幅ＷLDは見えている。第１のリンク１１２１０の幅および第２のリンク１１２２０の幅は、好ましくは等しく、タンクを横断する方向の一方または両方の弁本体部１１２１および１１３１のわずかな移動が連動を途切れさせないようなサイズを有するものとしてよい。リンクデバイス１１２００の好ましい幅ＷLDは、約２０ｍｍから約４０ｍｍである。第１のリンク１１２１０の幅および第２のリンク１１２２０の幅は等しいのが好ましいが、第１のリンク１１２１０の幅および第２のリンク１１２２０の幅は、より大きくてもよく、リンクデバイス１１２００は、弁アセンブリ１１８０および１１７０ｄVの間の一定の距離を維持することができるべきである。リンクデバイス１１２００の前側１１２３１とリンクデバイス１１２００の後側１１２３２の両方とも、開いていてよく、これはタンクから弁本体部１１２１および／または１１３１のうちの一方または両方の取り付けおよび取り外しを容易に行えるようにし得る。
【０１５２】
[0246]この実施形態による多重弁アセンブリ１１２０５に対する取り付けの可能な一方法は、タンク内に弁アセンブリ１１８０または１１７０のうちの１つを取り付け、次いで、第２の弁アセンブリ１１８０または１１７０を別々に取り付けることである。各弁アセンブリは、好ましくは、従来のタンク／ボウル取り付け方法を使用してタンクの底部に別々に取り付けられ固定される。それに加えて、タンク／ボウル間ガスケットキットは、以下で説明されているように使用され得る。各弁本体部１１２１および１１３１は、タンクの底の個別の穴に通して挿入され得る。第２の弁アセンブリ１１７０を取り付けた後、第１のリンク１１２１０および第２のリンク１１２２０は、好ましくは連動させられる。この方法を使用することによって、一方の弁アセンブリの取り外し、修理、またが交換を、他の弁アセンブリを調整または取り外すことなく行える。
【０１５３】
[0247]リンクデバイス１１２００を含む多重弁アセンブリ１１２０５の別の実施形態は、図８０および８１に示されているように単一の多重水洗弁アセンブリ１１２０６を有するものとしてよい。単一の多重水洗弁アセンブリ１１２０６は、単一のユニットとして一緒に用意される第１の弁アセンブリ１１８０と第２の弁アセンブリ１１７０とを両方とも備え得る。単一の多重水洗弁アセンブリ１１２０６は、互いに永久的に貼り付けられている上記の実施形態において説明されているように、第１のリンク１１２１０と第２のリンク１１２２０とを有し得る。それに加えて、第１および第２の弁本体部は、単一の構造物として成形され得る。貼り付けられているリンクデバイス１１２００は、好ましくは、第１の弁アセンブリ１１８０と第２の弁アセンブリ１１７０の両方に永久的に貼り付けられ、単一の多重水洗弁アセンブリ１１２０６を形成する。単一の多重水洗弁アセンブリ１１２０６について、構造全体が永久的に接続されているが、リンクデバイス１１２００は、別個の要素であってよく、便器内に取り付ける前に個別の第１の弁本体部１１３１と第２の弁本体部１１２１とに永久的に接続され、単一の多重水洗弁アセンブリ１１２０６を形成し得ることは理解される。
【０１５４】
[0248]好ましくは、単一の多重弁アセンブリ１１２０６を作製するために、２つの弁本体部１１２１および１１３１ならびに２つの弁本体部をリンクする接続部品１１２０７が互いに一体形成される。２つの弁本体部１１２１および１１３１は、１０、１１０、２１０、３１０、４１０、１０１０、１１１０などの本明細書に開示されている実施形態のどれかで説明されている様なものであり得るか、または当技術分野で知られている従来の弁本体部であってよい。好ましくは同じ材料の接続部品１１２０７は、構造全体が単一部品となるように弁本体部１１２１および１１３１とともに成形され得る。接続部品は、また、形成後に弁本体部１１２１および１１３１に永久的に接続されてもよい。接続部品１１２０７は、好ましくは、使用される材料にもよるが、弁本体部の間の距離を一定に維持するのに十分なサイズのものである。好ましくは、接続部品１１２０７は、ＡＢＳ樹脂などのポリマー材料から作られ、約２ｍｍから約１０ｍｍの高さｈCP、約１０ｍｍから約３０ｍｍの幅ＷCP、および約２ｍｍから約１２ｍｍの長さｌCPを有する。長さｌCPは、タンク内の弁開口部の間の距離に依存する。接続部品１１２０７は、好ましくは、タンクを横断して見たときに矩形断面の形状をしている。断面の形状は任意のものが企図され、形状は、円形、卵形、三角形、八角形などであってよい。
【０１５５】
[0249]別の実施形態は、単一の多重水洗弁アセンブリ１１２０６を使用する取り付け方法を含み、ここにおいて、第１の弁アセンブリ１１８０および第２の弁アセンブリ１１７０は、永久的に互いに接続される。それに加えて、この取り付け方法は、弁がタンク内に取り付けられる前にリンクデバイス１１２００が連動させられたときに２つの別個の弁アセンブリ１１７０と１１８０とを取り付けるのに使用され得る。単一の多重水洗弁アセンブリ１１２０６を備える実施形態では、第１の弁本体部１１３１と連動する第２の弁本体部１１２１は両方とも、同時にタンク内に取り付けられ、従来のタンク／ボウル取り付け方法を使用してタンクの底部に固定され得る。それに加えて、タンク／ボウル間ガスケットキットは、以下で説明されているように使用され得る。各弁本体部１１２１および１１３１は、タンクの底の個別の穴に通して挿入され得る。永久的に接続されない場合、別個の弁アセンブリ１１７０および１１８０は、接続済み形態で取り付けられ得る。もしそうであれば、個別の弁アセンブリ１１８０および１１７０は、互いから切断され、タンクから個別に取り外され得ることが企図されている。しかしながら、個別の取り外しは、単一の多重水洗弁アセンブリ１１２０６では困難であるか、または不可能であり、ここにおいて、第１の弁アセンブリ１１７０および第２の弁アセンブリは、互いに永久的に貼り付けられる。
【０１５６】
[0250]便器ボウルアセンブリ１１０などの一実施形態において、少なくとも１つの水洗弁アセンブリからボウルアセンブリ１１０内に導入される流体流れを分離し、異なる流体量を噴出部１２０およびリム１３２に送達するための別々のマニホールドがある。これは、流体が１つの便器入口を通ってボウル内に入り、開いている単一のマニホールド内に流れ込み、次いで、無制御方式または重力制御方式で下方に進み噴出部１２０およびリム１３２内に流れ込む伝統的な便器設計から区別される。そのような従来技術の設計において、リムまたは直接噴出への流体流の量および性質は、制御が困難であり、典型的には、重力および流れの運動量によりリムよりも噴出に有利に作用する。しながら、噴出部１２０への流体の流れとリム１３２への流体の流れとを隔離することによって、流体流は制御され、噴出部およびリムは所望の流量を受けた。それに加えて、これは、呼び水された噴出チャネル１３８と、好ましくは、呼び水された噴出マニホールド１１２とを含む閉じられた噴出流体経路１０１を維持することを可能にする。
【０１５７】
[0251]任意選択の噴出マニホールド１１２は、好ましくは、便器ボウルの陶磁器または他の製造材料に事前形成され、積層された位置に配置構成され、および／またはリムマニホールドと並列する。マニホールドは、並列され得るが、完全には同じレベルにない。噴出マニホールド１１２は、噴出入口ポート１１８に流体を送達するための噴出マニホールド出口開口部１１６を有するものとしてよい。リムマニホールド１２２は、様々な量、たとえば、約０．１リットルから約５．５リットルの流体を、リム水洗弁アセンブリ１８０から、好ましくは、約０．５リットルから約４．５リットルを受け入れるように構成されているリムマニホールド入口開口部１２４を備え得る。リムマニホールド１２２も、リム入口ポート１２８に流体を送達するためのリムマニホールド出口開口部１２６を有する。噴出部１２０を通る流体の流れは、噴出チャネル１３８を直接下って進み、噴出出口ポート１４２から出て、リムチャネル１３４を通過する水が入るのと異なるタイミングで水だめ領域１４０に入り、これらの流れのうちの１つは、他方の流れの前に停止し得るが、水洗サイクルの少なくとも一部を通して、流れは好ましくは同時に生じ得る。これらの流量は、水だめ領域１４０を排出する前に便器ボウル１３０の内部表面１３７の清掃を最大化するように選択される。
【０１５８】
[0252]別の実施形態において、リムチャネル１３４は、典型的な住宅または商業用配管管路からの管路圧力によって直接動力を与えられ得る。リムへの流れの開閉は、便器充填弁として現在使用されているものと似た機械式パイロット弁で、または電磁弁で電子的に制御され得る。
【０１５９】
[0253]ボウル３０、１３０などの本明細書のボウルは、異なる構成を有し得るが、大半のボウルは、ボウルの頂部から横断する形で見たときに一般的に丸形または細長い卵形または楕円形の形状となるように事前成形される。本明細書で説明され図示されている実施形態では、ボウル３０は、一般的に楕円形の形状を有する。ボウル１３０は、その上側周上に設けられ、リムチャネル１３４を画成するリム１３２を有する。リムチャネルは、リムマニホールド出口開口部１２６と流体的に連通している入口ポート１２８（リムチャネルの断面がより均一になるマニホールドとリムチャネルとの間の遷移点のところの）と、ボウルアセンブリ１１０の内部領域１３６と流体的に連通している、少なくとも１つのリム出口ポート１２９、好ましくは複数のそのような出口とを有する。ボウル１３０は、噴出チャネルが好ましくはボウル１３０の外部表面１３５に沿って、またはボウルの壁内で進み、噴出出口ポート１４２がボウル１３０の下側部分１３９内に配置されるように設けられている噴出部１２０をさらに有する。
【０１６０】
[0254]便器１０などの本明細書の様々な実施形態において、噴出部２０は、流体を水だめ領域４０に、次いで、トラップウェイ４４への入口に、そして汚水出口に接続できる便器出口Ｏに吐出するように構成されている噴出出口ポート４２を有する少なくとも１つの噴出チャネル３８を画成する。
【０１６１】
[0255]図１６の実施形態において、水洗水の一部は、リムチャネル１３４に通され、リム内に位置決めされた開口部１２９を貫流して、チャネル１３４とボウル１３０の内部領域との間に液体による連通をもたらし、水をボウル３０の表面全体に撒き、水洗サイクルにおいてボウルを洗浄する働きをする。リムチャネル１３４を貫流する水は、また、本明細書のいくつかの実施形態において、リム出口ポート１２９を出た後、または上で説明されているような外部流体供給源から出た後に加圧され得る。出口ポートのサイズ、便器の幾何学的形状、および流量に応じて、加圧は、水の強い圧縮流を引き起こすことができ、ボウルを洗浄するとともにサイフォン作用に寄与する。別個の噴出弁アセンブリ１７０からの水洗水の残りは、噴出部１２０に向けられる。
【０１６２】
[0256]本明細書の噴出部２０、１２０および少なくとも１つの噴出チャネル３８、１３８は、水洗水のより強力な高速流をトラップウェイ入口４４、１４４に供給するので、これにより、便器はなおいっそう大きい直径のトラップウェイで設計されるようにできるが、ただし、動作に影響を及ぼし得る曲がり部および狭窄部を最小にし、非噴出式および／またはリム噴出式ボウルに関する大量の排泄物の除去のパフォーマンスを改善するよう注意が払われるべきである。
【０１６３】
[0257]少なくとも１つの噴出チャネル３８は、便器ボウルアセンブリ１０の内部内に延在し、便器ボウル３０の外部表面上を回るように設計されるが、一般的にボウル３０の内部領域壁３６の下または真下にある便器ボウルアセンブリ本体部１０内に画成される空間内に少なくとも部分的に入るようにも位置決めされる。サイズが異なる複数の噴出チャネルが使用されてもよく、たとえば、ボウル３０のいずれかの側の２つの対称的なチャネルは、流体の「二重供給された」流れを噴出部２０に送達する。
【０１６４】
[0258]噴出出口ポート４２は、流体を噴出チャネル３８から、トラップウェイ４４と流体的に連通する、水だめ領域４０に吐出するように構成される。噴出出口ポート４２は、好ましくは、噴出チャネル３８の内径を横切って長手方向に測定されたときに約１．０ｃｍから約１０ｃｍ、好ましくは約１ｃｍから約６ｃｍ、および最も好ましくは約１ｃｍから約４ｃｍの、図２３に示されているような本明細書の一実施形態における高さＨjopを有する。高さＨjopに関係なく、噴出出口ポートの断面積は、約２ｃｍ2から約２０ｃｍ2、より好ましくは約４ｃｍ2から約１２ｃｍ2、および最も好ましくは約５ｃｍ2から８ｃｍ2の面積に維持されるべきである。本明細書一実施形態において、上側表面５４または一番上の地点における噴出出口ポート４２の高さＨjopは、好ましくは、図示されているようにトラップウェイ４４への入口４９の上側表面５６よりも低い封止深さｘのところに位置決めされ、水だめ領域４０を通って長手方向に測定される。封止深さｘは、好ましくは、約１ｃｍから約１５ｃｍ、より好ましくは約２ｃｍから約１２ｃｍ、および最も好ましくは約３ｃｍから約９ｃｍであり、空気が出口ポート４２を通って噴出チャネル３８を通過するのを防ぐ働きをする。この距離は、噴出チャネル３８内の破れを回避し、水洗サイクルの作動前および完了後に噴出水洗弁アセンブリ７０または他の水洗弁からの流体による便器ボウルアセンブリ１０の噴出チャネル３８の呼び水された状態を維持するために、好ましくは、水だめ領域４０内で流体の最低レベル以下となるべきである。
【０１６５】
[0259]上で説明されているように、呼び水された噴出チャネル３８、すなわち、閉じられた噴出流体経路１を維持することは、流れに対する乱流および抵抗を大幅に低減させ、便器のパフォーマンスを改善し、サイフォンを開始するためにより少ない量の水を使用することを可能にする。噴出チャネル３８内の空気は、水洗水の流れを妨げ、噴出部２０の流れを制限する。さらに、空気は、パージされていないと、噴出出口ポート４２を通って排出され、トラップウェイ４４内に入り、トラップサイフォンを遅延させ、ボウル３０の流体および排泄物の排除に影響を及ぼし得る。
【０１６６】
[0260]１１０などのリムチャネルの実施形態におけるボウルの清掃機能を改善するために、水洗サイクルにおいてリムが加圧されるように便器アセンブリを設計することもまた好ましい選択肢である。リムチャネル１３４の加圧は、好ましくは関係式（Ｉ）に従って相対的断面積を維持することによって達成される。
Ａrm  ＞  Ａrip  ＞  Ａrop  ＜  ６ｃｍ2    （Ｉ）      
ここにおいて、Ａrmは、リムマニホールド１２２の長手方向断面積であり、Ａripは、リム入口ポート２８の断面積であり、Ａropは、少なくとも１つのリム出口ポート２９の総断面積である。好ましくは、噴出マニホールド１１２の断面積Ａjmは、約２０ｃｍ2から約６５ｃｍ2であり、リムマニホールド１２２の断面積Ａrmは、約１２ｃｍ2から約５０ｃｍ2である。噴出マニホールド１２の断面積Ａjmは、噴出水洗弁入口開口部１６２の中心から下流側約７．５ｃｍの距離で測定される。同様に、リムマニホールド１２２の断面積Ａrmは、リム水洗弁入口開口部１６４の中心から下流側約７．５ｃｍの距離で測定される。水チャネルの好ましい幾何学的形状をこれらのパラメータの範囲内に維持し、別の形ではパフォーマンスに影響を与える狭窄部または曲がり部を回避することにより、供給源からまたはタンク内で得られる重力水頭によって得られる潜在的エネルギーを最大限にする便器ボウルアセンブリ１１０が可能にされ、これはより低減された水量が水洗サイクルに使用されるときに極めて重要になる。それに加えて、水チャネルの幾何学的形状をこれらのパラメータの範囲内に維持し、噴出部またはトラップ内の狭窄部と過度に小さい通路とを回避することにより、直接供給式噴出便器内のリムおよび噴出チャネルの好ましい加圧が可能にされ、大量の除去とボウルの清掃の両方におけるパフォーマンスが最大限にされる。好ましくは、所望の設計に応じてサイズが異なり得る複数のリム出口ポートが存在するので、リム出口ポートの領域は、各そのような出口ポートの個別の領域のすべての合計であることを意図される。同様に、複数の噴出流チャネル１１８または複数の噴出出口／入口ポートが使用される場合、噴出チャネル１１８または任意の複数のポート１４２は、それぞれ噴出チャネルまたは噴出ポートの面積の合計となる。さらに、リム内の加圧の利点を活かすために、噴出チャネルは、加圧式リムのサイフォン式便器設計におけるリムおよび噴出チャネルのサイズ設定ならびに便器の幾何学的形状に関して関連する部分に組み込まれている米国特許第８，３１６，４７５号に説明されているように、加圧式リムとともに機能するときに、詰まりおよびパフォーマンスの低下を回避するために、過度に小さく作製されない、または狭窄されないことが好ましい。
【０１６７】
[0261]実施形態１０における便器ボウル３０の水だめ領域４０は、水をリム、噴出チャネル３８から収集し、水洗水および排泄物を流して排出する。水だめ領域４０は、ボウル３０の底部分３９内に配置され、ボウル３０の内部表面３６によって、またトラップ入口端部４６からトラップ出口端部５０まで長手方向に延在することによって噴出部２０用のトラップ４１を画成し、ここにおいて、入口端部４６は、流体を噴出出口ポート４２から受け入れるための開口部４８を有する。トラップ出口端部５０は、流体がボウルを出てトラップウェイ４４への入口に至るための開口部５２を有する。噴出トラップ４１は、図２２、２４、および２７に示されているように、封止深さｘ、すなわち、トラップウェイ４４への入口の上側表面５４上の一番上の地点と噴出出口ポート４２の上側表面５４上の一番上の地点との間の距離を有する。
【０１６８】
[0262]噴出トラップの封止深さｘは、好ましくは、水だめ領域４０内のサイフォンの維持を補助するために、約１ｃｍから約１５ｃｍ、より好ましくは２ｃｍから約１２ｃｍ、最も好ましくは３ｃｍから約９ｃｍの距離を維持するように測定される。噴出トラップ封止深さｘが、十分な大きさであるときに、これは、噴出トラップ４１内の水位が、噴出チャネル３８のシールが破られる深さを下回って引っ張られ得る前にトラップウェイがサイフォンを破ることを確実にするのを助ける水だめ領域４０内の流体の緩和レベルを確立し、それによって空気が噴出チャネル３８内に進むことを防止し、噴出チャネル３８を完全に呼び水された状態に維持する。逆に、いくつかの実施形態において、噴出トラップ封止深さｘは、０に等しいか、または０未満（トラップよりも上にあるとき）とすることができ、噴出水洗弁アセンブリ７０を通る流速を調整することによって噴出チャネル３８および経路１内で呼び水された状態を依然として維持することができる。
【０１６９】
[0263]水だめ領域４０内では、内部表面３６の少なくとも一部分は、噴出出口ポート４２からトラップ入口に向かって上方向に傾斜され、それによって噴出チャネル３８の封止深さｘを増大させ、水洗サイクル中、または水洗サイクルの後に空気が噴出チャネル３８に入る可能性を低減させる、傾斜した部分５８を有する。封止深さｘは、水だめ床において噴出出口ポート４２まで上昇する前に水だめの床部の下に一時的に沈む噴出チャネル３８を形成することによってさらに延長され得る。封止深さｘは、噴出出口ポート４２の直径を小さくすることによって大きくすることもできる。好ましくは、噴出出口ポート４２の高さＨjopは、円形、卵形、または長方形の出口を形成するように縮小されるものとしてよく、これは、噴出チャネル３８の封止深さｘを大きくしながら十分な断面積および噴出部２０を通る流れを維持することを助ける。
【０１７０】
[0264]図２０は、本明細書では全体的にアセンブリ１０１０として参照される代替的実施形態を示しているが、以下で説明されているような別個のリザーバを備えたタンク１０６０の特徴以外は、他のあらゆる点において同じであり、類似の参照番号がその中の類似の要素を指し示す。タンク１０６０は、少なくとも１つの噴出リザーバ１０６８と少なくとも１つのリムリザーバ１０７２とを含むものとしてよく、噴出リザーバ１０６８は、噴出充填弁１０９０と、流体を噴出マニホールド入口開口部１０６２に送達するように構成されるような、アセンブリ１０におけるものと同じであってよい少なくとも１つの噴出水洗弁アセンブリとを含むものとしてよく、リムリザーバ１０７２は、リム充填弁１０９２と、流体をリムマニホールド入口開口部１０６４に送達するように構成されている、アセンブリ１１０におけるものと同じであってよい少なくとも１つのリム水洗弁アセンブリとを有し得る。これは、１つの充填弁の使用を可能にする、タンク１０６０の部分的横断分割部分であり得るか、またはタンク分割部分は、タンクを複数のリザーバになるように事前成形鋳造された永久的なものでよい。オーバーフロー管が、適宜噴出リザーバ１０６８とリムリザーバ１０７２の両方に存在する場合、オーバーフロー管は、噴出水洗流体の流れＪＦ’からではなくリム水洗流体の流れＲＦ’から動作させられなければならない。
【０１７１】
[0265]図２３および２４は、本明細書では全体的にアセンブリ２１０として参照される別の実施形態を示している。以下で説明されているように水だめ領域の傾斜した壁が上向きの傾斜で、またはトラップウェイ２４４の入口に向かって先細りにされた位置で構成されるという特徴を除き、他のすべての点に関して実施形態１１０と同じである。図２３および２４に示されているような水だめ壁２５８は、水だめ領域２４０の周りに延在し、水だめ領域２４０を封入するように設計される。噴出出口ポート２４２は、噴出チャネル２３８からの流体ＪＦ’’がボウル水だめ領域２４０内に入り、それによって少なくとも１つのリム出口ポート（図示せず）を通ってリムから便器ボウル内に入った流体と合流するように位置決めされる。噴出流体流ＪＦ’’およびリム流体流ＲＦ’’は、この地点で（存在する場合排泄物および他の流体と）合流し、次いで、ボウル内部表面２３６に沿って、水だめ領域の上で、一般的に下方向に一緒に流れ、水だめ領域２４０に入り、トラップウェイ入口２４４に入り、汚水排水路を通って排除される。壁２５８の少なくとも一部分は、所望の場合上方向に傾斜されて噴出チャネル２３８の封止深さｘを増大させ、この封止深さｘは、空気が水洗サイクル中または水洗サイクル後に噴出チャネル２３８に入ることを防止するのを助ける。封止深さｘが十分な大きさであるときに、これは、噴出トラップ２４１内の水位が噴出チャネル２３８のシールが破れる深さを下回って引っ張られ得る前に、トラップウェイ２４４がサイフォンを破ることを確実にするのを助けることによって、水だめ領域２４０内の流体の緩和レベルを確立し、それによって空気が噴出チャネル２３８内に進むことを防止し、噴出マニホールド２１２を完全に呼び水された状態に維持する。
【０１７２】
[0266]図２５〜図２７は、本明細書では全体的にアセンブリ３１０として参照されている図１６〜図２４のものとは異なる実施形態を示している。少なくとも１つの噴出チャネル３３８が以下で説明されているようにボウル水だめ領域３４０の下にあるという特徴以外は、他のすべての点に関して実施形態１０と同じである。少なくとも１つの噴出チャネル３３８は、内部領域壁３３６およびボウル３３０の後部において水だめ領域壁の後方に配置されるように便器ボウルアセンブリ３１０の内部内に延在するように設計されるが、ボウル３３０の内部領域壁３３６および水だめ領域壁３５８の一般的に下の便器ボウルアセンブリ本体３１０内に画成された空間内に少なくとも部分的に入るように位置決めされる。水だめ領域３４０の下、またはそれよりも低い位置を通る少なくとも１つの噴出チャネル３３８は、水だめ領域壁３５８内で終端し、それによって噴出出口ポート３４２をトラップウェイ３４４への入口の真向かいに位置決めする。この構造の利点は、その設計が全噴出流体ＪＦ’’’の能力を維持することが重力的に可能であり、また噴出チャネル内の流体のレベルが、本質的には、水洗サイクルの作動前と作動後の両方においてボウル内の流体または水洗水の水位の下にあるため、少なくとも１つの噴出チャネル３３８が、より容易に呼び水されたままとなり、したがって、噴出チャネル３３８内の空気を解消することである。噴出チャネル３３８のルートを水だめの床部よりも下に決めることで、噴出チャネル３３８の封止深さｘを、図２５および図２４に描写されているような傾いた水だめ床部の実施形態によって果たされ得るものを超えてさらに増大させ、噴出トラップ３４１内の水位が、噴出チャネル３３８のシールが破れる封止深さｘを下回って引っ張られ得る前に、トラップウェイがサイフォンを破るというより大きな保証を提供し、それによって空気が噴出チャネル３３８内に進むことを防止し、噴出マニホールド３１２を完全に呼び水された状態に維持する。
【０１７３】
[0267]図２８は、本明細書において全体的にアセンブリ４１０として参照される図１６〜図２７のものとは異なる実施形態を示している。以下で説明されているようにボウル４３０の上側周上の上側周囲部分４３３の特徴を除き、他のすべての点に関して同じである。リム４３２は、ボウル４３０の上側周囲の内側の周りに位置決めされている上側周囲部分４３３を有し、それにより、リムマニホールドからの流体ＲＦ’’’’は、排泄物を水だめ領域４４０内に洗い流すためにボウル内に入り、噴出チャネル４３８から便器ボウルに入り噴出出口ポート４２０を通って排除された流体と合流する。噴出流体流ＪＦ’’’’およびリム流体流ＲＦ’’’’は、この地点で（存在する場合排泄物および他の流体と）合流し、次いで、ボウル内部表面４３６に沿って、水だめ壁４５８の上で、一般的に下方向に一緒に流れ、水だめ領域４４０に入り、トラップウェイ入口４４４に入り、汚水排水路を通って排除される。封止深さｘが、十分な大きさであるとき、これは、噴出トラップ４４１内の水位が噴出チャネル４３８のシールが破れる深さを下回って引っ張られ得る前に、トラップウェイがサイフォンを破ることを確実にするのを助ける水だめ領域４４０内の流体の緩和レベルを確立することを助け、それによって空気が噴出チャネル４３８内に進むことを防止し、噴出マニホールドを完全に呼び水された状態に維持する。
【０１７４】
[0268]別の実施形態において、実施形態のリムなしバージョンが図２８に描写され、流体の流れは、リム入口ポートから、上側周囲部分４３３上で２つの反対方向に分配器の後方およびリム棚部の周りに入り、ボウルの内部表面の周りを少なくとも部分的に進み、それによって清掃作用を形成する。好ましい実施形態において、上側周囲部分４３３は、水洗水が、ボウル４３０の周上を流れるときにこれを下方向に案内するように形成され得る。この実施形態は、図１〜図１３のアセンブリに類似しているが、異なるリム棚部設計を有する。
【０１７５】
[0269]本発明の好ましい方法の一実施形態において、本明細書で説明されていものなどの便器ボウルアセンブリ１０を製造することなどによって、提供した後、噴出部は、水洗サイクルの作動前および作動後に少なくとも１つの噴出水洗弁アセンブリ７０からの流体ＪＦで呼び水される。本明細書の方法は、アセンブリ１０、１０１０、１１０、２１０、および３１０、４１０などを含む本明細書の実施形態のいずれにおいても実施され得るが、便宜上、方法の例示的な実施形態が、図１〜図１３に具体化されたアセンブリ１０を参照して説明される。代替的実施形態における類似の部分も、他の実施形態を用いて本発明を実施する場合に使用されてよい。
【０１７６】
[0270]噴出マニホールド１２と、噴出入口ポート１８と、少なくとも１つの噴出チャネル３８とを水洗サイクルの作動前に呼び水することは、便器ボウルアセンブリ１０を取り付け表面に取り付けるときに、噴出弁水洗アセンブリ７０のフラッパまたはカバーを開き、（水洗水などの）流体を噴出入口ポート１８と少なくとも１つの噴出チャネル３８とに流すことを可能にすることによって行われる。この呼び水動作は、水洗サイクルの最初の作動によって自動的に行われる。リム水洗弁８０および噴出水洗弁７０が閉じたときに、水は、噴出チャネル３８および噴出マニホールド１２内に維持され、大気圧がボウル１０内の水の表面に及ぼす力によって適所に保持される。最初の水洗後、何らかの空気ポケットが、少なくとも１つの噴出チャネル３８または噴出マニホールド１２内に残る場合、これらは、その後の水洗のときに押し出されて完全に呼び水されたシステムを形成する。
【０１７７】
[0271]本明細書の実施形態の便器ボウルアセンブリの最初の呼び水後、使用者は水洗サイクルを作動させる。標準的な従来技術の便器ボウルアセンブリでは、本明細書において説明するものなどの水洗弁アセンブリおよびオーバーフロー管が、使用のために設けられる。水洗弁アセンブリおよびバルブに接続されている水洗弁カバーは両方とも、ピボットアームに接続される。ピボットアームは、水洗弁カバーの上部に取り付けられ、水洗ハンドルおよびレバーなどの任意の標準的な弁作動装置の作動によって弁カバーを下降させ上昇させるために使用され得る鎖への取り付けのためのリンクを含む。使用の際に、水洗弁カバーのピボットアームは、オーバーフロー管から突起する標準的な連結接続部を用いてオーバーフロー管に取り付けられ、水洗弁アセンブリの入口開口部上を開閉する。
【０１７８】
[0272]水洗サイクルが、本発明において開始されまたは作動されているとき、水洗弁カバーは、リム水洗弁アセンブリと噴出水洗弁アセンブリの両方を開き、流体が、少なくとも１つの噴出水洗弁アセンブリ７０を通り抜けて噴出部およびリムに入ることを可能にする。これらは、同時に、または当技術分野で知られているようなまたは今後開発される時間遅延システムを通して、開き、それによって上で指摘されている水洗作動バー７５および１１７５の実施形態を使用することなどによって便器ボウルアセンブリ１０を通る最適な流量を可能にする。
【０１７９】
[0273]水洗サイクルの作動に続き、また水洗サイクルの完了後、噴出入口ポート１８および少なくとも１つの噴出チャネル３８は、（１）噴出水洗弁に供給するリザーバ内の水の深さを、噴出水洗弁７０が閉じられる前に噴出水洗弁７０への入口７１のレベルまで降下させず、（２）噴出チャネル３８のシールが、水洗サイクル中または水洗サイクル後に破られない限り、呼び水された状態のままである。これらの状態の両方が満たされる場合、噴出チャネル３８および噴出マニホールド１２を含む閉じられた噴出流体経路１は、完全に呼び水されたままであり、次の水洗サイクルに向けて待機する。
【０１８０】
[0274]次に、本発明は、以下の非限定的な例を参照しつつ説明される。
例
[0275]表１は、３つの異なる便器を使用して完了された２０回の水洗からのデータをまとめたものである。本発明は、図１〜図１３および図２９〜図３４の本明細書に示されている実施形態に基づき試験された。試験された従来の便器は、サイフォンの所望の水圧パフォーマンスを達成するために水洗水の７９〜８２％が噴出部に向けられることを必要とした。本発明によって作製された便器は、噴出部に向けられる水洗水の３０％未満を使用して本質的に同等の水圧パフォーマンスをもたらし、それによって残っている水を使用してボウル清掃を著しく改善することを可能にした。
【０１８１】
【表１】
2020041409.tif 000003
【０１８２】
[0276]本明細書の様々な実施形態１０、１１０、１０１０、２１０、３１０、４１０などは各々、本明細書の噴出水洗弁における変更形態から恩恵を受け得る。任意選択および独自の特徴が、様々な実施形態の動作を改善するために上で指摘されている噴出水洗弁設計に加えられ得る。使用時に、便器が詰まる場合、または何らかの他の理由により、便器が様々な配管上の理由から水の突入を必要とする場合、詰まりを放出するだけでなく、噴出通路を上り、一定の呼び水された閉じられた状態にある噴出弁を通る逆流を防止することが重要である。逆流は、従来の便器では大気開放されているため問題にならない。呼び水される本発明では、これは、水の重量および噴出チャネル内の既存する水柱のせいで問題となる。本明細書の噴出水洗弁を、逆流に耐えるように修正する一方法は、逆流防止装置を噴出水洗弁に設けることによるものである。次に、そのような装置が、本明細書の噴出水洗弁７０に別の形で類似する噴出水洗弁に関して説明される。
【０１８３】
[0277]上で説明されている水洗弁設計は、水の突入のときに起こり得る水の逆流に対して非常に効果的であるが、いくつかの実施形態では、追加のレベルの保護が望まれ得る。意図的に呼び水を破る、すなわち空気を閉じられた噴出チャネルに入れてこれを大気開放することにより、逆流の可能性を大きく低減させる。
【０１８４】
[0278]図３５〜図３８は、フラッパカバー５７３と、押さえリンク機構構成を有する逆流防止機構５７４とを有する、本明細書では噴出水洗弁５７０して参照される噴出水洗弁の一実施形態を示す。カバー５７３は、アセンブリ１０内の弁７０のカバー１５と同じであってよい。図示されているように、カバー５７３は、押さえリンク機構を取り付けるための第１の前部リンク機構マウント５９３を装着される。逆流防止機構５７４内のリンク機構アセンブリは、カバー５７３の持ち上げを可能にするために（図１５などの）チェーンＣが作動装置機構に接続するための取り付け点Ｐを有する第１の前部リンク機構アーム５７５を含む。そのようなチェーンは、上で説明されているようなフロートを備えることができる。
【０１８５】
[0279]第１のリンク機構アームは、ピン５７８などのヒンジピンによって第２のリンク機構アーム５７６に接続されるが、他のヒンジコネクタ、ピン、リビングヒンジ、成形ピン、リベット、または類似の機構が使用されてよい。同様に、リンク機構アーム５７６は、類似のヒンジコネクタによって、後部ヒンジマウント５７９にも枢動可能に装着される第３のリンク機構アーム５７７に接続される。使用時に、フラッパが持ち上げられた場合に、逆流防止装置の押さえリンク機構が持ち上がり、図示されているように自由に曲がり、それによって完全に開かれたときに第１および第２のリンク機構アーム間に約１８０°未満の角度を形成する。
【０１８６】
[0280]閉じられたときに、逆流防止装置は、地点ＰのところでチェーンＣに作用がない場合に留まるであろうより硬直した位置において第１および第２のリンク機構アームが接合領域Ｒのところでより整列されるようにリンク機構アームを位置決めすることによって、流れがフラッパカバー５７３上に押し戻ることを防止する（弁を閉位置で示されている図３７および３８）。
【０１８７】
[0281]逆流防止機構６７４が可動式の浮力ポペットハット６９４である噴出水洗弁の別の実施形態６７０。図３９〜図４３は、閉位置にある弁６７０を示しており、ここにおいて、ポペットハット６９４は、弁６７０の出口６１３の領域に封止するように押し付けられる。閉じられた弁上の水洗水の上向きの重量は、水が弁の内部に入ることを防止する。逆流は、弁が閉じられたときに、上で説明されているようなポペットハットと呼び水された閉じられた噴出経路内からの圧力とによって噴出水洗弁の底部に入ることができない。中実ポペットハット（浮力としてではなく）が使用される場合、動作のためにより大きい力が必要となり、バネまたは他の引っ張り機構が、ハットをガイドに接続するために使用され得る。
【０１８８】
[0282]図４５〜図４８に示されているように、噴出水洗弁６７０は、開いたときに、カバー６７３の持ち上げによって（弁７０に関して上で説明されているようなチェーンまたは他の水洗作動装置などによって）すべての流れが弁本体を通ることを可能にする。カバー６７３が持ち上げられたときに、水洗水は、事前に呼び水された弁に入り、連続する下方向の流れが、ポペットハット６９４を押し出す。ポペットハット６９４は、好ましくは、出口６１３において弁と封止可能に係合するように部分的にエラストマーまたはポリマーである。ポペットハット６９４は、柱６９５上にある（これは、図４５に最もよく示されているように、断面設計においてリブ付けされてよい（または単に円形の柱））。
【０１８９】
[0283]柱は、ポペットハット６９４に接続する場所と反対の側に、フランジ６１００を有するように構成されている、上端部６９９を有する。フランジは、弁本体内の、リブ付けされた構造的に支持される構成の下の方の、中央に位置決めされたポペット柱ガイドリング６９９に対するストッパーとして働く。図４５に最もよく示されているように、中央ハブ６９７から外方向に延びるリブ６９６の「星型」構成が、示されている。開口部６９８は、ハブを貫通し、弁が閉位置にあるときに、ポペット柱が上方向に容易に通過することを可能にする（図４３を参照）。開いたときに、柱は、流れの圧力下で、フランジ６１００が、完全に伸張された位置においてガイドリング６９９と接触するまで下方に進み、それにより、ポペットハット６９４は不必要に流れを妨げない。
【０１９０】
[0284]逆流防止噴出水洗弁７７０のさらなる実施形態が、図４９〜図５６に示されている。この実施形態において、逆流防止機構７７４はフック７１０１である。フック７１０１は、以下で説明されているように他の実施形態における他のカバーとは異なる噴出水洗弁７７０のカバー７１０２の前端部上に嵌合される。フック７１０１は、噴出弁本体の外側に位置決めされたキャッチ７１０４と接触する延長フックアーム７１０３を有する。フックアーム７１０３は、これとキャッチ７１０４の向かい合う表面７１０５との間にいくらかの空隙ｇを有さなければならないが、この空隙は、逆流が生じないようにぴったり閉鎖するためできる限り小さくしなければならないが、弁が開かれたときにフックが容易に通り抜けることができず、キャッチ７１０４の周りで回るほど小さくてはならず、好ましくは、空隙は、約１ｍｍから約５ｍｍである。
【０１９１】
[0285]逆流防止機構７７４以外の噴出水洗弁７７０の独自の特徴は、カバー７１０２である。カバーは、単なる持ち上げ式フラッパカバーではなく、「剥がし取られる」カバーである。この設計は、噴出弁がカバーの前部から縁に沿ってカバーの後部に向かって開くことを可能にする。この構造は、可撓性であるまたは部分的に可撓性であるように形成される。エラストマーまたは他の可撓性ポリマー（可撓性シリコーンまたは塩化ポリビニルなど）または配管用に受け入れられ配管用定格を有する他の類似の材料が、可撓性部分に適合され得る。剥がすことによって、弁カバーを上方向に弁カバー７１０２の前部７１０６の縁７１０５に沿って項部７１０７に向かってよりゆっくりと剥がすことができることは、カバーの上および下に水が存在するときに作動力を低減させるのに役立つ。出願人は、可撓性または半可撓性のカバーを使用して縁に沿って剥がすことを可能にすることが噴出水洗弁および閉じられた噴出経路に対して良好な自動呼び水の態様を実現するのに有益であることを発見した。標準的な円盤状シールを備えたハードカバーなどの剛体のフラッパカバーでは、自動呼び水がより困難であり得る。剥がしてゆっくりと開くことにより、弁７７０は、捕捉された空気のすべてを逃がすことができる。カバー７１０２の少なくとも約５０％が、カバーの後部７１０７に向かって半分戻ったカバーの前部７１０６においては可撓性であることが好ましい。カバーの後部半分は、可撓性である必要はない。
【０１９２】
[0286]剥がし機構を作動させ、フック逆流防止機構を持ち上げるために、第１のチェーンＣ１は、弁が開かれているときに便器の水洗作動機構とともに動作してフック７１０１を持ち上げ、持ち上げられた後、カバーの前部７１０６は剥がれ、上方向に持ち上がる。これが持ち上がると、ヒンジ付きアーム７１０８（実施形態５７０に関して上で指摘されているような任意の適切なヒンジ／ヒンジ接続材料および構造を使用して形成され得る）は、上方向に曲げられる。ヒンジ付きアーム７１０８は、ヒンジマウント７１０９を使用して任意選択のカバープレート７１１０（金属、ポリマー、またはエラストマーでよい）に装着されて、カバー７１０２の前部７１０６を上方向に剥がすのを助ける。好適な水洗作動装置も、チェーンＣ１、Ｃ２に接続するために使用され、および／または修正され得る。Ｃ１がカバーの前部を上方向に持ち上げ、端部７１０５において剥がし取った後、カバーの後部分は持ち上げられる。上で説明されているようにフロートを有することができる、第２のチェーンＣ２であってよい、別個のフロートアタッチメントが設けられる。フロートをカバーの後部分に接続するためのフロートアタッチメントの他の変更形態も使用されるものとしてよく、これは以下でさらに詳しく説明され、図８８〜図９０に示されているようなフロートアセンブリを含む。ひも、コード、ロープ、ステンレスケーブル、硬質ロッド、またはワイヤも、フロートアタッチメントの代替的実施形態としてフロートとともに使用され得る。
【０１９３】
[0287]弁７７０の内部は、好ましくは、弁の本体部を開口部７９８が通って延在する中央ハブ７９７にリンクさせるリブ７９６から形成された構造を使用した「星型」構造も有する。流れは、容易にリブ構造を通り抜けることができるが、この構造は、弁の本体部にわたって径方向に延在することにより、弁にかかる水洗流体の重量を支持することを助ける。フラッパは、開くのに必要とする力の２倍を有し、そのため支持体は、作動を助け、さらに、図示するように成形されたバッフルまたはリブを用いて空気が逃げるのを容易にする設計である。リブの数は、リブが多すぎる、もしくはリブが大きすぎる、または不便な仕方で整形される場合、流れに影響を与え得る。
【０１９４】
[0288]図６４〜図６８は、弁７７０の同じ実施形態であるが、任意選択のオーバーフロー管７９１がその上に組み込まれている。オーバーフロー管７９１は、噴出弁を通る逆流に対する別の逆止弁として様々な標準的な弁Ｖの任意のものをその中に組み込むための、空気が入り逃げることを可能にし得る上側ハウジング７６９を含む。弁は、手動で開位置に回されて呼び水を破り、逆流なしに水の突入を可能にすることができる。呼び水を破ることはまた、保守作業または修理前などの他の状況でも望ましい場合があり得る。ボール弁、円板弁、または同様のものなどの好適な弁も、その中に組み込まれ得る。弁Ｖは、図６７の部分断面図に概略として示されている。ハウジング７６９は、任意選択であり、他の直接的な接続弁が使用されてもよい。次いで、弁は、使用者によって手動で作用位置にリセットされ、便器は、呼び水された状態に戻され得る。好ましくは、弁は、逆止弁を組み込むことができ、この逆止弁は、正常な水洗サイクル中に遭遇するものを超える正圧が、閉じられた噴出チャネル内で生じるときに自動的に開き、開いたままになり、空気がチャネルに入り、呼び水を破ることを可能にする。次いで、この逆止弁は、使用者によって手動で作用位置にリセットされ、便器は、呼び水された状態に戻され得る。最も好ましくは、逆止弁は、使用者側の手動介入を必要とせずに、約５秒から約６０秒遅れて閉位置に戻る。これは、たとえば、液体減衰ヒンジを備えるフラッパタイプ弁によって電気機械的にまたは機械的に行われ得る。
【０１９５】
[0289]図５８および５９は、同一の部分を指す同じ参照番号をその中に有する、噴出水洗弁７７０のものと同一の実施形態８７０を示すが、水洗弁８７０では、支持構造の星型構成が、弁７７０において示した４個ではなく８個のリブを有することが異なる。そのようなリブの数および変形形態が、弁を通る流れを不必要に阻害することなく構造支持体の可変の角度をもたらすように修正され、空気の排除を最大にし円滑にするように修正され得ることが、当業者によって理解されるであろう。
【０１９６】
[0290]図６０〜図６３は、弁５７０のものと類似の押さえリンク機構構成である逆流防止機構９７４を有する水洗弁９７０の実施形態を示しているが、実施形態９７０は単一の下方向の第３のリンク機構アームの代わりに、下方向に延びるにつれて幅が大きくなるブリッジ式構造９１１１を含む点が異なる。ブリッジ式構造９１１１は、第３のリンク機構アームとして作用するが、ヒンジ付きアーム９１０８に向かう下方向の抵抗を分割する。そのようなヒンジ付きアーム９１０８は、ヒンジマウント９１０９のところに取り付けられ、カバー９１０２に、実施形態７７０および８７０のような上方向に「剥がす」能力を付与するように動作する。逆流防止機構９７４の前部分は、実施形態５７０のものに類似する第１および第２のヒンジ付きリンク機構アーム９７５、９７６を含む。第２のリンク機構アームは、標準的なヒンジ接続によってブリッジ式構造９１１１の上部にリンクされ、ブリッジ式構造９１１１は、次いで、ヒンジ構造９１１２によってヒンジ付きアーム９１０８の後部と係合する。第１のリンク機構アームは、ヒンジマウント９９３によってカバー９１０２の前部９１０６に接続される。チェーン（図示せず）は、実施形態５７０において説明されているように地点Ｐに取り付けられてカバー９１０２の前部を持ち上げるものとしてよいが、実施形態５７０とは異なり、カバー９１０２は、実施形態７１０におけるカバー７１０２のように可撓性であり、したがって上方向に剥がされ得る。さらに追加のチェーンが、実施形態７１０におけるフロートを保持して、実施形態７１０におけるチェーンＣ２について示されているように、グロメット９１１３または類似の構造の位置でカバー９１０２の後部半分を上昇させるために使用され得る。グロメット９１１３、または類似の構造は、また、図８８〜図９０に示されているようなフロートアセンブリ、ひも、コード、ロープ、ステンレスケーブル、硬質ロッド、またはワイヤを含む、フロートアタッチメントを固定するために使用され得る。
【０１９７】
[0291]図６９および図７０は、噴出弁アセンブリの実施形態７７０と、８７０と、９７０とに類似する噴出弁アセンブリ１１７０の別の実施形態を示している。この実施形態は、逆流防止機構なしで使用されてもよく、または上記の実施形態５７０、６７０、７７０、８７０、９７０などのうちのどれかに示されているような逆流防止機構を含み得る。実施形態７７０に表されているように、呼び水された噴出弁を開くために必要な追加の力に打ち勝つ解決方法は、徐々に開く弁を備えることであり、ここにおいて、弁のセクションは「剥ぎ取って」開き、噴出部にある程度の水が入るのを許し、これにより、弁が完全に開く前に圧力を均一にする。１つまたは複数の弁アセンブリは、好ましくは少なくとも噴出弁アセンブリ１１７０は、弁カバー１１７３と弁本体部１１２１とを有し、「剥ぎ取り」開くように構成される。また、リム弁アセンブリを含む、単一のタンク内の複数の弁アセンブリは、類似の構成を有し得ることも理解される。また、弁アセンブリは本明細書においてサイフォン式便器とともに使用されるように説明されているが、弁アセンブリは、洗い落とし式便器を含む、水洗便器とともにも使用され得ることも理解される。
【０１９８】
[0292]図７３〜図７５は、実施形態７７０のカバー７１０２に類似しており、好ましくはシール１１１７０と硬質カバー１１１８０とを有する、弁カバー１１７３のそのような一実施形態を示している。硬質カバー１１１８０は、好ましくは、弁カバー１１７３を徐々に開くためにシール１１１７０とともに曲がることができる。硬質カバー１１１８０は、好ましくは互いから横断方向に分離される、剥離セクション１１１８２と持ち上げセクション１１１８３とを有し得る。剥離セクション１１１８２は、好ましくは持ち上げセクション１１１８３と接続するように構成されている少なくとも１つのヒンジ付きマウント１１１０８を有する。ヒンジ付きマウント１１１０８と持ち上げセクション１１１８３との間の接続の構成は、好ましくは回転可能な接続である。回転可能な接続に対するそのような構成は、以下でさらに詳しく説明され、および図７３と図７４とに示されている。
【０１９９】
[0293]硬質カバー１１１８０は、上で説明されている実施形態７７０のカバープレート７１１０と同様に動作し得る。好ましくは、剥離セクション１１１８２の後縁１１１８５および持ち上げセクション１１１８３の前縁１１１８６は、互いに実質的に平行であり、また弁カバー１１７３のＶＰとＶＰ’とによって画成される中心長手方向平面に対して実質的に垂直である。縁１１１８５と１１１８６との間に横断方向の分離ＴＳがあり得る。剥離セクション１１１８２の後縁１１１８５から持ち上げセクション１１１８３の前縁１１１８６までの距離ｄTSは、好ましくは、１０ｍｍから２０ｍｍであるが、この距離は、弁カバー１１７３のサイズに依存し得る。剥離セクション１１１８２が持ち上げセクション１１１８３が移動することなくある距離だけ弁本体部１１２１から持ち上げることができる限り、任意の分離距離ｄTS、さらには分離がない場合も、企図され、各セクションがそのプロセスに干渉することなくシール１１１７０を曲げるだけの十分なクリアランスがある。
【０２００】
[0294]硬質カバー１１１８０の剥離セクション１１１８２を水洗作動バー１１７５に接続するためにチェーンＣ１が使用され得る。水洗作動バー１１７５が持ち上げられると、弁カバー１１７３の剥離セクション１１１８２は、弁本体部１１２１から持ち上げることができる。剥離セクション１１１８２は、ヒンジ付きアーム１１１０８を通じて持ち上げセクション１１１８３に関連付けられ得る。ヒンジ付きアーム１１１０８は、好ましくは、剥離セクション１１１８２との接続部のところで移動できないようになっており、回転可能な接続部で持ち上げセクション１１１８３に接続するように構成される。ヒンジ付きアーム１１１０８は、成形プロセスにおいて剥離セクション１１１８２と一体形成されるものとしてよく、好ましくはヒンジ付きアーム１１１０８の各々の外側から延在する２つのペグ１１１１５を有し得る。ペグ１１１１５は、好ましくは円筒形であり、ヒンジ付きマウント１１１０９上のスロット１１１１６内に挿入できるサイズを有する。２つのヒンジ付きアーム１１１０８は好ましく、また図に示されているが、１つまたは複数のヒンジ付きアーム１１１０８が使用され得ることは理解される。弾性的に変形可能な支持部材１１１１７は、好ましい２つのヒンジ付きアーム１１１０８の間に配置され得る。弾性的に変形可能な支持部材１１１１７は、ヒンジ付きアーム１１１０８はそれ自体が弾性的に変形可能であるサイズおよび形状を有し得るので必要ではない。
【０２０１】
[0295]ヒンジ付きアーム１１１０８は、好ましくは、ヒンジ付きマウント１１１０９を通じて持ち上げセクション１１１８３に接続し、接続部は持ち上げセクション１１１８３の前縁１１１８６に平行な直線の周りで回転可能である。ヒンジ付きマウント１１１０９は、各々、好ましくは、卵形の形状を有する長手方向に延在するスロット１１１１６を有するが、矩形、円形、または六角形など、任意の形状が可能であることは理解される。ヒンジ付きアーム１１１０８上のペグ１１１１５は、弾性的に変形可能な支持部材１１１１７の弾性変形を使用することでスロット１１１１６内に挿入され得る。卵形の形状は、ペグ１１１１５が回転可能に移動するだけでなく、それぞれのスロット１１１１６内に長手方向で移動することを可能にする。この移動は、剥離セクション１１１８２が持ち上げセクション１１１８３と最適な形で相互作用することを可能にする。ヒンジ付きアーム１１１０８を持ち上げセクション１１１８３に接続するために回転可能な任意の接続が使用され得ること、および長手方向の移動が必要ないことは理解される。あり得る回転可能なコネクタは、他方の要素の開口部内にスナップ式に嵌る一方の要素上の突出部などのヒンジ付きタイプの継手、または各要素内に配置されている開口部内に挿入されるピンの使用を含み得る。ボール／ソケットタイプの継手を含む、同じ軸の周りに回転できる他のタイプの接続も企図される。
【０２０２】
[0296]剥離セクション１１１８２が持ち上がり続けると、ヒンジ付きアーム１１１０８は、好ましくは、ヒンジ付きマウント１１１０９との接続部の周りで回転し、短い時間期間にわたって持ち上げセクション１１１８３を移動することなく剥離セクション１１１８２が弁本体部１１２１から持ち上がることを可能にする。剥離セクション１１１８２が、チェーンＣ１と水洗作動バー１１７５とによって十分な角度まで持ち上げられた後、ヒンジ付きマウント１１１０９は、好ましくは、持ち上げセクション１１１８３に作用し、硬質カバー１１１８０の持ち上げセクション１１１８３を開かせ、弁カバー１１７３全体を弁本体部１１２１から完全に持ち上げる。フロートＦも、チェーンＣ２、以下で説明されているフロートアセンブリ１１２７０、または他の接続デバイスを使用することで弁カバー１１７３に取り付けられ得る。フロートは浮力を与えて、弁カバー１１７３を開くのに必要な力を減らし、および／または水洗時にタンク内の水位の低下を通じて弁が閉じる時間を制御することができる。チェーンに沿ったフロートの位置決めが低いほど、結果として、弁が閉じるのが遅れて、水洗量が増大し得る。
【０２０３】
[0297]追加の工具を備えず、第２の弁アセンブリがフロートアセンブリ１１２７０の形態のフロートアタッチメントを有する、第１の弁アセンブリと、第２の弁アセンブリと、水洗作動アセンブリとを有するアセンブリキット１１００が、図８８に示されている。フロートアセンブリ１１２７０は、フロートＦと、フロートを第２の弁アセンブリ１１７０に接続するように構成されているフロートコネクタ１１２８０とを備える。この変更形態によるフロートアタッチメントは、フロートを第２の弁アセンブリに接続するためにチェーンＣ２の代わりに使用され得る。図８９〜図９０は、フロートアセンブリ１１２７０を備える第２の弁アセンブリ１１７０の拡大図を示している。図８９は、閉位置にある弁カバー１１７３を示し、図９０は、開位置にある弁カバー１１７３を示している。フロートコネクタ１１２８０は、剛体構造、または半剛体構造であってよく、これは好ましくはポリマー材料から作られる。しかしながら、フロートコネクタは、弁カバー１１７３に浮力を与える際にフロートＦの動作に干渉しない適切な密度を有する材料から製作されるものとしてよい。フロートコネクタの長さｌFAは、弁カバーが完全に開く速度を調整するように変化させることができる。長さｌFAは、約４ｃｍから約１４ｃｍまでの範囲内であるものとしてよい。
【０２０４】
[0298]フロートコネクタ１１２８０は、第１の端部１１２７１と第２の端部１１２７２とを有する。フロートＦは、フロートコネクタ１１２８０の第１の端部１１２７１上に固定される。フロートコネクタの第２の端部１１２７２は、第２の弁アセンブリ１１７０の持ち上げセクション１１１８３上に配置されている隆起しているバー１１２７４上にスナップ式に嵌められるクリップ１１２７３を使用することで第２の弁アセンブリ１１７０の持ち上げセクション１１１８３にヒンジを付けて接続される。クリップ１１２７３は、フロートアセンブリ１１２７０が隆起しているバー１１２７４の長手方向軸の周りに回転することを許す。バーの長手方向軸は、弁ヒンジ１１２７５の回転の中心となる軸に平行であるべきである。一方または両方の要素の穴に通して挿入されるピン、玉継手、または他の知られている回転するもしくはヒンジ付きの接続部などの、回転する接続部が、回転する接続部が弁ヒンジ１１２７５の回転の中心となる軸に平行な軸の周りに回転可能であるようにフロートアセンブリを弁アセンブリの持ち上げセクションに接続するために使用され得ることは理解される。
【０２０５】
[0299]フロートコネクタの第１の端部１１２７１は、フロートＦを保持するためのクラスプ１１２７６を備えるものとしてよい。クラスプ１１２７６は、フロートが開口部内に挿入されるときにクラスプを静止位置に戻そうとする力がフロートＦを摩擦によって適所にしっかり保持するようにいくぶん弾性的に変形可能である。標準的なフロートとともに使用する場合、その最小の高さｈSCのところのクラスプの開口部は、好ましくは、静止位置で約０ｃｍから約４ｃｍの高さ、フロートが中に挿入されるときに約１ｃｍから約５ｃｍの高さ（フロートの高さ）である。クラスプの開口部の最も高い高さの高さｈTCは、静止時とフロートが中に挿入されるときの両方において約２ｃｍから約６ｃｍである。クラスプの底部は、フロートの底部およびクラスプの頂部１１２７８が湾曲し得るときに類似の形状の平坦なプラットフォーム１１２７７を有するものとしてよく、それにより、第１の端部１１２７１全体が、コッターピンに似た形状をとる。クラスプの弾性的に変形可能な性質は、弁カバーの浮力が調整可能であるように様々な異なるフロートの使用を可能にし、また必要ならば、フロートの交換を簡単に行えるようにできるものである。
【０２０６】
[0300]剥離セクションが、上向きの力が持ち上げセクション上で増大する地点まで持ち上げられた後、フロートは、持ち上げセクションを完全に開くのに小さい力で済むように補助を行う。弁が開くと、フロートアセンブリ１１２７０の第２の端部１１２７２と持ち上げセクション１１１８３との間の接続部は、フロートＦが弁カバーの開口部を通して垂直位置に留まることを可能にする。１つまたは複数のストッパー１１２７９は、水位がフロートＦのレベルよりも下になったときに、フロートアセンブリ１１２７０が水位とともに完全には落ちないようにクリップ１１２７３のいずれかの側に配置され得る。ストッパーは、フロートを適切に機能させるために必ずしも必要ではないが、フロートアセンブリが弁アセンブリの他の部分の動作に干渉するのを防ぎ得ることは、本開示に基づき当業者によって理解されるであろう。
【０２０７】
[0301]第２の、または噴出弁のアセンブリは、フロートアタッチメントを有するものとして説明されているが、噴出弁アセンブリおよび／またはリム弁アセンブリは、フロートアタッチメントを収容するものとしてよく、いずれかまたは両方の弁アセンブリは、類似の動作をし得る。
【０２０８】
[0302]図７６および図７７は、望ましくないときに液体が噴出入口に入るのを防ぐために硬質カバーとともに使用され、また弁カバー１１７３を徐々に開くために硬質カバー１１１８０とともに移動し得るシール１１１７０の一実施形態を示している。シール１１１７０は、封止表面１１１７１と係止表面１１１７２とを有するものとしてよい。係止表面１１１７２は、図７３〜図７５に示されているように、シール１１１７０を硬質カバー１１１８０に固定するのを補助し得る複数の係止ラグ１１１７３を備え得る。シール１１１７０は、好ましくは、剥離セクション１１１８２と持ち上げセクション１１１８３とが向かい合って係合するように位置決めされる。シールは、好ましくは、複数の係止ラグ１１１７３だけを使用して、または接着剤もしくは他の固定方法と併用して硬質カバー１１１８０に取り付けられる。係止ラグ１１１７３は、液体の流れの力が硬質カバーからシール１１１７０を引き剥がすのを防ぐのを助ける追加の特徴として働き得る。係止ラグ１１１７３の使用は好ましいものとしてよいが、接着剤または他の固定方法の単独使用も可能であることは理解される。
【０２０９】
[0303]係止ラグ１１１７３は、弁カバー１１７３の剥離の態様に役立ち得る。シール１１１７０上の係止ラグ１１１７３の配置構成は、以下でさらに詳しく説明されるように、１つまたは複数の係止ラグ１１１７３が剥離セクション１１１８２内に配置されることと、１つまたは複数の係止ラグ１１１７３が持ち上げセクション１１１８３内に配置されることを可能にし得る。剥離セクション１１１８２が持ち上げられるときに、力は移動と反対の方向でシール１１７０に印加されるものとしてよく、これはシール１１１７０を硬質カバー１１１８０から引き離し、望んでいるよりも長い時間にわたって弁を閉じたままにすることを許す可能性がある。遅延は、リム弁が開いてから噴出弁が開くまでの間のタイミングに影響を及ぼす可能性があり、および／または持ち上げセクションの前に剥離セクションが開くメリットを減らすおそれがある。係止ラグ１１１７３は、好ましくは、弁本体部１１２１から持ち上げ、弁が開く適切なタイミングを維持するのに十分であるべき、反対に働く力をシール１１１７０上の液体に加える。
【０２１０】
[0304]複数の係止ラグ１１１７３が、係止表面１１１７２の周りに配置構成されてよく、また硬質カバー１１１８０内の複数の対応する開口部１１１８８と係合するように位置決めされ得る。好ましい配置構成は、たとえば、３列の係止ラグ１１１７３を備えるものとしてよく、１つまたは複数の係止ラグ１１１７３が各列内に配置される。好ましくは、第１の列１１１７４は、剥離セクション１１１８２に接続するように構成されている少なくとも１つの係止ラグ１１１７３を有するものとしてよく、第２の列１１１７５は、持ち上げセクション１１１８３の前部に接続するように構成されている少なくとも１つの係止ラグ１１１７３を有するものとしてよく、第３の列１１１７６は、持ち上げセクション１１１８３の後部に接続するように構成されている少なくとも１つの係止ラグ１１１７３を有するものとしてよい。ラグ１１１７３の接続部の構成は、各ラグ１１１７３のサイズおよび形状がラグを開口部に挿入するのは比較的容易であるが、ラグを開口部から取り出すのはより難しくなるようにする構成である。係止ラグとそれぞれの剥離および持ち上げセクションとの間の接続部の構成は、特定の係止ラグの配置および形状に依存し得る。構成の好ましい特定の特徴は、以下でさらに詳しく説明される。
【０２１１】
[0305]各係止ラグの特定の配置は、弁カバー１１７３のサイズおよび／または形状に依存する。列１１１７４〜１１１７６は、弁カバー１１７３を通る中心垂直長手方向平面ＶＰおよびＶＰ’上のシール１１１７０の前縁上に配置されている点ＣＰから様々な距離のところに配置され得る。好ましくは、標準的な弁カバーのサイズについては、第１の列１１１７４は、地点ＣＰから約５ｍｍから約１５ｍｍの距離ｄ1Rのところに配置されるものとしてよく、第２の列１１１７５は、地点ＣＰから約４０ｍｍから約６０ｍｍの距離ｄ2Rところに配置されるものとしてよく、第３の列１１１７６は、地点ＣＰから約６０ｍｍから約８０ｍｍの距離ｄ3Rのところに配置されるものとしてよい。この構成は、シール１１１７０を硬質カバー１１１８０に十分に固定することを可能にし、また剥離セクション１１１８２および持ち上げセクション１１１８３が異なるタイミングで開くことを可能にするべきである。
【０２１２】
[0306]複数の係止ラグ１１１７３に対する他の構成も企図される。たとえば、単一の列の係止ラグのみが使用されてもよく、ここにおいて、その列は、好ましくは、地点ＣＰから約５ｍｍから約３０ｍｍのところに配置される。そのような配置は、剥離セクションが持ち上げられているときにラグがシールを硬質カバーに固定することを可能にする。単一の列は、また、地点ＣＰから約３０ｍｍから約９０ｍｍのところに配置されてもよい。２つの列の係止ラグを使用することも理解され、ここにおいて、一方の列は地点ＣＰから約５ｍｍから約３０ｍｍのところに配置され、第２の列は地点ＣＰから約３５ｍｍから約９０ｍｍのところに配置される。一般に、地点ＣＰから約５ｍｍから約３０ｍｍの間に配置されている、どの列も使用しないこと、１つまたは複数の列を使用することは、任意の組合せで地点ＣＰから約３５ｍｍから約９０ｍｍのところに配置されている、どの列も使用しないこと、１つまたは複数の列を使用することと合わせて、ラグのどの列も使用しないことを含めて、理解される。ラグの配置は、弁カバー１１７３のサイズおよび／または形状にも依存し得る。好ましくは、少なくとも１つの列は、剥離セクション１１１８２内に配置され、少なくとも１つの列は、持ち上げセクション１１１８３内に配置される。
【０２１３】
[0307]係止ラグ１１１７３の各々に対する好ましい形状は、ヘッド部１１１９０とネック部１１１９１とを含み得る。ヘッド部１１１９０は、好ましくは、ネック部１１１９１よりもわずかに大きく、これにより、ヘッド部１１１９０が硬質カバー１１１８０内の対応する開口部１１１８８内に挿入されたときに、シール１１１７０は硬質カバー１１１８０に隣接する位置で係止される。ヘッド部１１１９０は、好ましくは、一般的に、丸みのある頂部表面を有する円錐形状であり、ネック部１１１９１は、好ましくは、一般的に円筒形の形状を有する。係止ラグ１１１７３の形状は、上で説明されている好ましい形状に基づきシールに平行に切り取られた一般的に円形の断面を有するように説明されているが、ヘッド部１１１９０および／またはネック部１１１９１のこの断面は、卵形、三角形、正方形などの任意の形状を有し得ることは理解される。球形のヘッド部などの、円形の断面を有する他の形状も理解される。
【０２１４】
[0308]ヘッド部１１１９０の底部表面１１１９２の断面上の横断線に沿って測定された距離ｄTHは、ネック部１１１９１の頂部表面１１１９３の断面上の横断線に沿って測定された距離ｄTNよりも大きくてもよい。それに加えて、ヘッド部１１１９０の底部表面１１１９２の周は、好ましくは、ヘッド部１１１９０が硬質カバー１１１８０に関して係止機能を実行するように硬質カバー１１１８０内の対応する開口部１１１８８の周よりも大きい。ネック部１１１９１の頂部表面１１１９３の周は、好ましくは、開口部１１１８８内に嵌合するように硬質カバー１１１８０内の開口部１１１８８の周よりも小さい。ネック部１１１９１は、開口部１１１８８内に挿入されたときに変形する圧縮可能材料からも作られ得る。そのような場合、ネック部１１１９１の頂部表面１１１９３の周が硬質カバー１１１８０内の開口部１１１８８の周よりも大きいことも可能である。さらに、ネック部または係止ラグ全体に圧縮可能材料を使用する場合、開口部内に挿入されたときにネックセクションが変形して十分な係止を行えるので、ヘッド部およびネック部は、単一の円筒、または均一な断面を有する他の形状をとるように整形され得ることも可能である。
【０２１５】
[0309]第１の列１１１７４および第２の列１１１７５における係止ラグ１１１７３に対する好ましい形状は、弁カバー１１７３の中心垂直長手方向平面ＶＰ−ＶＰ’に面する側に沿って一般的に平坦な表面１１１９４を含み得る。平坦な表面１１１９４は、ヘッド部１１１９０とネック部１１１９１の両方に沿って延在し得る。係止ラグ１１１７３上の平坦な表面１１１９４は、任意選択であり、取り付けを助けるために使用され得るが、シール１１１７０の必須要素ではない。
【０２１６】
[0310]ラグ１１１７３の各々のヘッド部１１１９０およびネック部１１１９１の寸法は、均一であり得るが、１つまたは複数のラグ１１１７３は、１つまたは複数の均一な寸法を有し得る。図７６および図７７に示されているように、ラグ１１１７３のうちの１つまたは複数は、他の係止ラグ１１１７３よりも大きいヘッド部１１１９０および／または大きいネック部１１１９１を有し得る。好ましくは、第３の列１１１７６内に配置されている係止ラグ１１１７３は、他の係止ラグ１１１７３よりも大きく、他の係止ラグ１１１７３と異なる形状を有する。たとえば、図７６および図７７において、この係止ラグは、平坦な表面１１１９４を他の係止ラグ１１１７３と共有しない。第３の列内の係止ラグの異なるサイズおよび形状は、サイズが大きいことと開口部の頂部との接触が連続的であることとにより、シール１１１７０と硬質カバー１１１８０との間により確実な接続を形成し得る。１つまたは複数の係止ラグ１１１７３は、異なる形状を有するものとしてよく、係止ラグ１１１７３のすべては均一な寸法および／または形状を有し得る。
【０２１７】
[0311]シール１１１７０を硬質カバー１１１８０に係止する方法は、好ましくは、各係止ラグ１１１７３を硬質カバー１１１８０の対応する開口部１１１８８に通し、その中に挿入することを含む。ヘッド部１１１９０は、開口部１１１８８に通して挿入されるときに弾性的に圧縮すべきであり、それにより、開口部１１１８８を通った後に拡張して係止機能を果たす。係止ラグ１１１７３はすべて、同時にそれぞれの開口部１１１８８内に挿入され得るか、または１つもしくは複数が一度に、それぞれの開口部１１１８８内に挿入され得る。係止ラグ１１１７３をそれぞれの開口部１１１８８内に挿入する前に、接着剤がシール１１１７０の係止表面１１１７２、および／または硬質カバー１１１８０の隣接する表面に適宜塗布されてよい。シール１１１７０が硬質カバー１１１８０に係止されるときに、係止ラグ１１１７３のヘッド部１１１９０は、係止表面１１１７２から硬質カバー１１１８０の反対側に配置されてよく、ネック部１１１９１は、硬質カバー１１１８０の開口部１１１８８内に配置されてよく、係止表面１１１７２をヘッド部１１１９１に整列させて接続するものとしてよい。実施形態７７０についての図に示されているように、係止ラグ１１１７３をヘッド部１１１９０とネック部１１１９１とともに使用することも、必要ではなく、ラグ１１１７３は、整列目的で硬質カバー１１１８０の対応する開口部１１１８８内に挿入するためのネック部１１１９１のみを有していてよい。係止ラグなしで接着剤のみを用いて硬質カバー１１１８０に取り付けられるシール１１１７０を使用することも企図されている。
【０２１８】
[0312]封止表面１１１７１は、好ましくは、望み通りになるまで持ち上げセクション１１１８３を持ち上げることなく剥離セクション１１１８２と持ち上げセクション１１１８３との間の曲がりを許す十分な可撓性を有する弁を封止することを知られている材料から作られる。そのような材料は、好ましくはシリコーンであるが、ビニール、ゴム、および他のエラストマーなどの、十分な封止特性を有する他の知られているポリマーも含み得る。係止表面１１１７２および係止ラグ１１１７３は、好ましくは、これらの材料からも作られるが、これらの要素に対して最も好ましい材料はシリコーンでもある。封止表面１１１７１と、係止表面１１１７２と、係止ラグ１１１７３とを含むシール全体１１１７０は、好ましくは同じ材料から作られ、すべての部品は射出成形、圧縮成形、または３次元プリンティングを使用して同時に作製される。１つの要素に使用される材料は、他の要素の各々に使用される材料と異なっていてもよい。それに加えて、各要素は、含まれているプロセスのうちの１つまたは複数によって別々に作製され、次いで、互いに貼り付けられてシール１１１７０を形成するものとしてよい。
【０２１９】
[0313]本明細書に列挙されている実施形態のうちの説明されている要素の各々は、個別に、１つまたは複数のキットの一部として供給されるか、または組み立て済みの便器内に取り付けられ得る。アセンブリキット１１００が用意されて、新しい便器内に取り付けられるか、または既存の便器の構成部品を修理もしくは交換するために使用されるものとしてよい。アセンブリキット１１００は、１つまたは複数の要素を備えるものとしてよく、好ましくは、上記に含まれている実施形態による水洗作動アセンブリ１１１４４と、これもまた上記に含まれている実施形態による１つまたは複数の弁アセンブリ１１７０および１１８０とを備える。
【０２２０】
[0314]図６９は、第１の実施形態によるアセンブリキット１１００を示している。アセンブリキット１１００は、好ましくは、リム弁アセンブリ１１８０と、噴出弁アセンブリ１１７０と、水洗作動アセンブリ１１１４４と、タンク／ボウル間ガスケットキット１１２４１（図８３および図８４に示されている）とを備える。リム弁アセンブリ１１８０は、リム弁本体部１１３１と、オーバーフロー管１１９１と、リム弁カバー１１８２とを備え得る。リム弁カバー１１８２は、リム弁カバー１１８２を水洗作動バー１１７５に接続するためにフロートＦが取り付けられているチェーンＣを有するものとしてよい。噴出弁アセンブリは、オーバーフロー管を有していない場合があること、またはオーバーフロー管は、永久的に密閉され得ることも理解される。噴出弁アセンブリ１１７０は、噴出弁本体部１１２１と、オーバーフロー管１１９１上の任意選択の取り外し可能なキャップ１１２０１と、噴出弁カバー１１７３とを有し得る。噴出弁カバー１１７３は、好ましくは、第１のチェーンＣ１と第２のチェーンＣ２とを有し、第１のチェーンＣ１は、剥離セクション１１１８２を水洗作動バー１１７５に接続し、第２のチェーンＣ２は、フロートＦを持ち上げセクション１１１８３に取り付けるものとしてよい。水洗作動アセンブリ１１１４４は、調整可能な水洗コネクタ１１１５０と、水洗作動バー１１７５と、回転ロッドＰとを備え得る。水洗作動アセンブリ１１１４４の構成部品は、上で説明されている水洗作動アセンブリの実施形態１１１４４に従って組み立てられ、互いに相互作用するものとしてよい。アセンブリキット１１００は、図８２により詳しく示されている。この図では、アセンブリキット１１００は、回転ロッドＰなしで描かれている。図８２に示されているように、リム弁アセンブリ１１８０および噴出弁アセンブリ１１７０は両方とも、好ましくは、液体がタンクの内側から弁の周囲に漏れ出ることを防ぐための弁／タンク間ガスケット１１２５２を有する。
【０２２１】
[0315]図８３は、アセンブリキット１１２５０の第２の実施形態を示している。第２のアセンブリキット１１２５０は、提供される弁アセンブリ１１８０および１１７０の第１のアセンブリキット１１００と異なり得る。第２のアセンブリキット１１２５０は、上で説明されている実施形態による、多重水洗弁アセンブリ１１２０５または１１２０６を備え得る。多重水洗弁アセンブリ１１２０５は、第１の弁アセンブリ１１７０と第２の弁アセンブリ１１８０とを有するものとしてよい。第１の弁アセンブリは、第１の弁カバー１１８２と第１のリンク１１２１０とを有し得る。第２の弁アセンブリは、第２の弁カバー１１７３と第２のリンク１１２２０とを有し得る。第１のリンク１１２１０および第２のリンク１１２２０は連動して、第１の弁アセンブリ１１７０を第２の弁アセンブリ１１８０と関連付けるものとしてよい。アセンブリキット１１２５０の第２の実施形態は、図６９に示されているような水洗作動アセンブリ１１１４４も備え得る。
【０２２２】
[0316]タンク／ボウル間ガスケットキット１１２４１は、図８４に示されているような別個のキットであり得るか、またはより大きいアセンブリキット１１００または１１２５０のうちの１つの中に用意され得る。図８３に示されているように、第２のアセンブリキット１１２５０は、タンク／ボウル間ガスケットキット１１２４１も備え、より大きいタンクアセンブリキット１１２５１を形成し得る。タンク／ボウル間ガスケットキット１１２４１は、タンク／ボウル間ガスケット１１２４２と、固定ナット１１２４３と、封止座金１１２４４とを備え得る。それに加えて、標準的なまたは非標準的なサイズで形成されている可能性があるので、構成部品をタンクに取り付ける際に使用するために特定のレンチ工具１１２４５が含まれ得る。レンチ工具１１２４５は、好ましくは、固定ナット１１２４３を囲むための開放端１１２４６と、弁本体部１１２１または１１３１の底部に配置され得るねじ山付き表面１１２４８上にナット１１２４３を把持し、ナット１１２４３を固定するためのてこの作用をもたらす延長アーム１１２４７とを備える単純なものである。タンク／ボウル間ガスケット１１２４２および弁／タンク間ガスケット１１２５２は、好ましくは、封止および化学的安定性に優れているＳＥＢＳ材料などの、熱可塑性エラストマーから成形される。固定ナット１１２４３および封止座金１１２４４は、好ましくはアセタールから形成される。
【０２２３】
[0317]アセンブリキット１１００の第１の実施形態および／またはアセンブリキット１１２５０の第２の実施形態は、タンク／ボウル間ガスケットキット１１２４１を含む、または含まない任意の組合せで、上記の好ましい実施形態で説明されている品目のうちの２つまたはそれ以上を含み得ることが企図されている。それに加えて、アセンブリキット１１００または１１２５０のいずれかは、ハンドルＨと回転ロッドＰとを備え得る、水洗作動装置などの追加の要素を含み得る。回転ロッドＰは、当技術分野の他のアセンブリにおいて行われているように別のトリップレバーアセンブリキットにおいてハンドルを装備し得るので、アセンブリキット１１００および／または１１２５０から除外されてもよいことも理解される。
【０２２４】
[0318]単独で、または説明されている実施形態のうちの１つによる１つまたは複数の弁アセンブリ１１７０または１１８０とともに、上で説明されているような水洗作動アセンブリ１１１４４の一実施形態を含む追加の便器の実施形態も実現される。特に、便器は、本明細書で説明されている実施形態１０、１１０、２１０、３１０、４１０、１０１０などのうちのどれかの便器に類似しているものとしてよく、便器は、図１または図１６のいずれかに示されているとおりのものであってよい。便器の一実施形態は、好ましくは、第１の弁アセンブリ１１８０と、第２の弁アセンブリ１１７０と、水洗作動アセンブリ１１１４４とを備える便器を有する。水洗作動アセンブリ１１１４４は、上で説明されているように、水洗作動バー１１７５と、回転ロッドＰと、調整可能な水洗コネクタ１１１５０とを備え得る。それに加えて、第１の弁アセンブリ１１８０は、リム弁アセンブリであってよく、また第２の弁アセンブリ１１７０は、噴出弁アセンブリであってよい。さらに、便器を備える水洗弁アセンブリは、多重水洗弁アセンブリ１１２０５であってよく、ここにおいて、第１の弁アセンブリ１１８０は、第１のリンク１１２１０と第２のリンク１１２２０とを、それぞれ使用して第２の弁アセンブリ１１７０と連動させられる。上で説明されているように、第１のリンク１１２１０は、下向きのフック形状を有するものとしてよく、第２のリンク１１２２０は、対応する上向きの突起部を有するものとしてよい。しかしながら、当業者によって、第１および第２の弁アセンブリが単一のユニットとして形成されていることを含めて、本開示に基づき第１の弁本体部１１３１と第２の弁本体部１１２１との間の接続部は、第１の弁本体部１１３１および第２の弁本体部１１２１がリンクデバイス１１２００を使用することで互いに整列されたままとなるように企図されていることは理解されるであろう。
【０２２５】
[0319]当業者によって、本発明の広範な概念から逸脱することなく上で説明されている実施形態に対し変更を加えることが可能であることは理解されるであろう。したがって、本発明は、開示されている特定の実施形態に限定されず、付属の請求項によって定められているような本発明の精神と範囲のうちにある修正を対象とすることが意図されていることは理解される。
【図１】
2020041409.tif 000004
【図２】
2020041409.tif 000005
【図３】
2020041409.tif 000006
【図３Ａ】
2020041409.tif 000007
【図３Ｂ】
2020041409.tif 000008
【図３Ｃ】
2020041409.tif 000009
【図３Ｄ】
2020041409.tif 000010
【図３Ｅ】
2020041409.tif 000011
【図３Ｆ】
2020041409.tif 000012
【図３Ｇ】
2020041409.tif 000013
【図４Ａ】
2020041409.tif 000014
【図４Ｂ】
2020041409.tif 000015
【図５】
2020041409.tif 000016
【図６】
2020041409.tif 000017
【図７】
2020041409.tif 000018
【図８】
2020041409.tif 000019
【図９】
2020041409.tif 000020
【図１０】
2020041409.tif 000021
【図１１】
2020041409.tif 000022
【図１２】
2020041409.tif 000023
【図１３】
2020041409.tif 000024
【図１４】
2020041409.tif 000025
【図１５】
2020041409.tif 000026
【図１６】
2020041409.tif 000027
【図１７】
2020041409.tif 000028
【図１８】
2020041409.tif 000029
【図１９】
2020041409.tif 000030
【図２０】
2020041409.tif 000031
【図２１】
2020041409.tif 000032
【図２２】
2020041409.tif 000033
【図２３】
2020041409.tif 000034
【図２４】
2020041409.tif 000035
【図２５】
2020041409.tif 000036
【図２６】
2020041409.tif 000037
【図２７】
2020041409.tif 000038
【図２８】
2020041409.tif 000039
【図２９】
2020041409.tif 000040
【図３０】
2020041409.tif 000041
【図３１】
2020041409.tif 000042
【図３２】
2020041409.tif 000043
【図３３】
2020041409.tif 000044
【図３４】
2020041409.tif 000045
【図３５】
2020041409.tif 000046
【図３６】
2020041409.tif 000047
【図３７】
2020041409.tif 000048
【図３８】
2020041409.tif 000049
【図３９】
2020041409.tif 000050
【図４０】
2020041409.tif 000051
【図４１】
2020041409.tif 000052
【図４２】
2020041409.tif 000053
【図４３】
2020041409.tif 000054
【図４４】
2020041409.tif 000055
【図４５】
2020041409.tif 000056
【図４６】
2020041409.tif 000057
【図４７】
2020041409.tif 000058
【図４８】
2020041409.tif 000059
【図４９】
2020041409.tif 000060
【図５０】
2020041409.tif 000061
【図５１】
2020041409.tif 000062
【図５２】
2020041409.tif 000063
【図５３】
2020041409.tif 000064
【図５４】
2020041409.tif 000065
【図５５】
2020041409.tif 000066
【図５６】
2020041409.tif 000067
【図５７】
2020041409.tif 000068
【図５８】
2020041409.tif 000069
【図５９】
2020041409.tif 000070
【図６０】
2020041409.tif 000071
【図６１】
2020041409.tif 000072
【図６２】
2020041409.tif 000073
【図６３】
2020041409.tif 000074
【図６４】
2020041409.tif 000075
【図６５】
2020041409.tif 000076
【図６６】
2020041409.tif 000077
【図６７】
2020041409.tif 000078
【図６８】
2020041409.tif 000079
【図６９】
2020041409.tif 000080
【図７０】
2020041409.tif 000081
【図７１】
2020041409.tif 000082
【図７２】
2020041409.tif 000083
【図７３】
2020041409.tif 000084
【図７４】
2020041409.tif 000085
【図７５】
2020041409.tif 000086
【図７６】
2020041409.tif 000087
【図７７】
2020041409.tif 000088
【図７８】
2020041409.tif 000089
【図７９】
2020041409.tif 000090
【図８０】
2020041409.tif 000091
【図８１】
2020041409.tif 000092
【図８２】
2020041409.tif 000093
【図８３】
2020041409.tif 000094
【図８４】
2020041409.tif 000095
【図８５】
2020041409.tif 000096
【図８６】
2020041409.tif 000097
【図８７】
2020041409.tif 000098
【図８８】
2020041409.tif 000099
【図８９】
2020041409.tif 000100
【図９０】
2020041409.tif 000101
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
弁本体部を備える水洗弁を有する水洗弁アセンブリ用の弁カバーであって、前記弁カバーは、前記弁本体部に被さるように位置決めされ、前記弁カバーは
シールと、
前記弁カバーを徐々に開くために前記シールとともに曲がることができるように構成されている硬質カバーとを備える水洗弁アセンブリ用の弁カバー。
【請求項２】
前記シールは、封止表面と係止表面とを備え、ここにおいて、前記係止表面は、前記硬質カバー内の複数の対応する開口部と係合するように前記係止表面上に位置決めされている複数の係止ラグを備える請求項１に記載の水洗弁アセンブリ用の弁カバー。
【請求項３】
各係止ラグは、ヘッド部とネック部とを備え、ここにおいて、前記ネック部の頂部表面の断面上の横断線に沿って測定された距離は、前記ヘッド部の底部表面の断面上の横断線に沿って測定された距離よりも小さい請求項２に記載の弁カバー。
【請求項４】
前記複数の係止ラグは、第１の列、第２の列、および第３の列で配置構成される請求項２に記載の水洗弁アセンブリ用の弁カバー。
【請求項５】
前記第１の列は、前記弁カバーを通る中心垂直長手方向平面上の前記弁カバーの前縁の地点から約５ｍｍから約１５ｍｍのところに配置され、前記第２の列は、前記地点から約４０ｍｍから約５０ｍｍのところに配置され、前記第３の列は、前記地点から約６０ｍｍから約８０ｍｍのところに配置される請求項４に記載の水洗弁アセンブリ用の弁カバー。
【請求項６】
前記第１の列、前記第２の列、および前記第３の列の各々は、少なくとも１つの係止ラグを備える請求項４に記載の水洗弁アセンブリ用の弁カバー。
【請求項７】
各係止ラグは、ヘッド部とネック部とを備え、ここにおいて、前記ネック部は、一般的に円筒の形状を有し、前記ヘッド部は、一般的に、丸みのある頂部表面を有する円錐形状である請求項４に記載の弁カバー。
【請求項８】
係止ラグの前記第１の列の前記ヘッド部および係止ラグの前記第２の列のヘッド部は、一般的に、前記弁カバーの中心垂直長手方向平面に面する側に沿って平坦である請求項７に記載の弁カバー。
【請求項９】
少なくとも前記封止表面は、シリコーンを備える請求項２に記載の弁カバー。
【請求項１０】
前記硬質カバーは、剥離セクションと持ち上げセクションとを備える請求項２に記載の弁カバー。
【請求項１１】
前記剥離セクションの後縁と前記持ち上げセクションの前縁との間に横方向の分離があり、ここにおいて、前記剥離セクションの前記後縁および前記持ち上げセクションの前記前縁は、互いに実質的に平行であり、中心長手方向平面に対して実質的に垂直であり、前記剥離セクションの前記後縁から前記持ち上げセクションの前記前縁までの間で測定された横方向の距離は、約１０ｍｍから約２０ｍｍである請求項１０に記載の弁カバー。
【請求項１２】
前記剥離セクションは、少なくとも１つのヒンジ付きマウントを備え、前記ヒンジ付きマウントは前記持ち上げセクションと接続するように構成される請求項１０に記載の弁カバー。
【請求項１３】
前記シールは、前記剥離セクションおよび前記硬質カバーの前記持ち上げセクションと向かい合って係合するように位置決めされる請求項１０に記載の弁カバー。
【請求項１４】
前記シールは、複数の係止ラグを使用することで前記剥離セクションと前記持ち上げセクションとに接続される請求項１０に記載の弁カバー。
【請求項１５】
前記シールは、接着剤を使用することで前記剥離セクションと前記持ち上げセクションとに接続される請求項１０に記載の弁カバー。
【請求項１６】
前記剥離セクションは、水洗作動バーと相互作用するように構成される請求項１０に記載の弁カバー。
【請求項１７】
フロートアタッチメントをさらに備える請求項１６に記載の弁カバー。
【請求項１８】
水洗便器用の弁アセンブリであって、
弁本体部を第２の弁アセンブリの第２の弁本体部に関連付けるためのリンクを備える前記弁本体部と、
弁カバーとを備える水洗便器用の弁アセンブリ。
【請求項１９】
水洗便器は、サイフォン式水洗便器である請求項１８に記載の弁アセンブリ。
【請求項２０】
前記弁本体部に接続され、前記弁カバーが閉じられたときに液体が前記弁本体部に入ることを可能にするように構成されているオーバーフロー管をさらに備える請求項１８に記載の弁アセンブリ。
【請求項２１】
前記弁カバーは水洗弁本体部を備え、ここにおいて、前記弁カバーは、前記弁本体部に被さるように位置決めされ、前記弁カバーは
シールと、
前記弁カバーを徐々に開くために前記シールとともに曲がることができるように構成されている硬質カバーとを備える請求項１８に記載の弁アセンブリ。
【請求項２２】
前記シールは、封止表面と係止表面とを備え、ここにおいて、前記係止表面は、前記硬質カバー内の複数の対応する開口部と係合するように前記係止表面上に位置決めされている複数の係止ラグを備える請求項２１に記載の弁アセンブリ。
【請求項２３】
多重水洗弁アセンブリであって、
第１の弁本体部と、第１のリンクと、第１の弁カバーとを備える第１の弁アセンブリと、
第２の弁本体部と、第２のリンクと、第２の弁カバーとを備える第２の弁アセンブリとを備え、
ここにおいて、前記第１の弁アセンブリおよび前記第２の弁アセンブリは、前記第１のリンクと前記第２のリンクとを噛み合わせることにより互いに関連付け合うように構成される多重水洗弁アセンブリ。
【請求項２４】
前記第１のリンクは、下向きフック形状を有し、前記第２のリンクは、上向きの突起部を有し、前記上向きの突起部は前記下向きフック形状と噛み合って前記第１の弁アセンブリと前記第２の弁アセンブリとの整列状態を維持するように構成される請求項２３に記載の多重水洗弁アセンブリ。
【請求項２５】
水洗便器であって、
便器と、
水洗作動アセンブリと、
第１のリンクと第１の弁カバーとを備える第１の弁本体部と、
第２のリンクと、第２の弁カバーとを備える第２の弁本体部を備える第２の弁アセンブリと、ここにおいて、第１の弁アセンブリおよび前記第２の弁アセンブリは、前記第１のリンクと前記第２のリンクとを噛み合わせることにより互いに関連付け合うように構成される、を備える第１の弁アセンブリ
を備える多重水洗弁アセンブリと、
を備える水洗便器。
【請求項２６】
前記水洗便器は、サイフォン式便器である請求項２５に記載の便器。
【請求項２７】
前記第１のリンクは、下向きフック形状を有し、前記第２のリンクは、上向きの突起部を有し、前記上向きの突起部は前記下向きフック形状と噛み合って前記第１の弁アセンブリと前記第２の弁アセンブリとの整列状態を維持するように構成される請求項２５に記載の便器。
【請求項２８】
便器において使用するためのアセンブリキットであって、
水洗作動アセンブリと、
多重水洗弁アセンブリと、
ここにおいて、前記多重水洗弁アセンブリは、第１のリンクと第１の弁カバーとを備える第１の弁本体部を備える第１の弁アセンブリと、
第２のリンクと、第２の弁カバーとを備える第２の弁本体部を備える第２の弁アセンブリとを備え、
ここにおいて、前記第１の弁アセンブリおよび前記第２の弁アセンブリは、前記第１のリンクと前記第２のリンクとを噛み合わせることで互いに関連付けられる、
を備えるアセンブリキット。
【手続補正２】
【補正対象書類名】明細書
【補正対象項目名】０２２５
【補正方法】変更
【補正の内容】
【０２２５】
[0319]当業者によって、本発明の広範な概念から逸脱することなく上で説明されている実施形態に対し変更を加えることが可能であることは理解されるであろう。したがって、本発明は、開示されている特定の実施形態に限定されず、付属の請求項によって定められているような本発明の精神と範囲のうちにある修正を対象とすることが意図されていることは理解される。
以下に、本願出願の当初の特許請求の範囲に記載された発明を付記する。
［１］  水洗便器のための調整可能な水洗コネクタであって、
第１の回転可能なコネクタを有する第１のセクションと、
第２のセクションと、
第２の回転可能なコネクタを有する調整可能なコネクタと、前記調整可能なコネクタは前記第２のセクションに沿って長手方向に移動可能であり、回転可能に位置決め可能である、を備える調整可能な水洗コネクタ。
［２］  前記水洗便器は、サイフォン式水洗便器である［１］に記載の調整可能な水洗コネクタ。
［３］  中を通る通路を画成する、前記第２のセクションの表面の一部および前記調整可能なコネクタの内部表面は、各々、前記調整可能なコネクタが前記第２のセクションに沿って長手方向に、および回転可能に調整されることを可能にするようにねじ山を付けられる［１］に記載の調整可能な水洗コネクタ。
［４］  前記第１の回転可能なコネクタは、回転ロッドに接続可能であるように構成される［１］に記載の調整可能な水洗コネクタ。
［５］  前記第２の回転可能なコネクタは、水洗作動バーに接続可能であるように構成される［１］に記載の調整可能な水洗コネクタ。
［６］  前記第２の回転可能なコネクタは、第１の弁アセンブリに接続されている第１の部分と第２の弁がアセンブリに接続されている第２の部分とを備える水洗作動バーに接続可能であるように構成される［１］に記載の調整可能な水洗コネクタ。
［７］  水洗便器において使用するための水洗作動アセンブリであって、
第１の部分と第２の部分とを備える水洗作動バーと、前記第１の部分は第１の弁アセンブリに接続されるように構成され、前記第２の部分は第２の弁アセンブリに接続されるように構成される、
回転ロッドと、
前記回転ロッドと前記水洗作動バーとを動作可能に接続するように位置決めされているコネクタとを備える水洗作動アセンブリ。
［８］  前記コネクタは調整可能な水洗コネクタであり、前記調整可能な水洗コネクタは第１のセクションと、第２のセクションと、調整可能なコネクタとを備え、
ここにおいて、前記調整可能なコネクタは、第２の回転可能なコネクタを備え、前記調整可能なコネクタは、前記調整可能な水洗コネクタの前記第２のセクションに沿って長手方向に移動可能であり、回転可能に位置決め可能であり、
ここにおいて、前記調整可能な水洗コネクタは、前記調整可能な水洗コネクタの前記第１のセクション上に配置されている第１の回転可能なコネクタを使用して前記回転ロッドに接続され、前記調整可能な水洗コネクタは、前記調整可能なコネクタの前記第２の回転可能なコネクタを使用して前記水洗作動バーに接続される［７］に記載の水洗作動アセンブリ。
［９］  前記水洗便器は、サイフォン式水洗便器である［８］に記載の水洗作動アセンブリ。
［１０］  中を通る通路を画成する、前記調整可能な水洗コネクタの前記第２のセクションの表面の一部および前記調整可能なコネクタの内部表面は、各々、前記調整可能なコネクタが前記調整可能な水洗コネクタの前記第２のセクションに沿って長手方向に、および回転可能に調整することを可能にするようにねじ山を付けられる［８］に記載の水洗作動アセンブリ。
［１１］  前記水洗作動バーの前記第１の部分は、リム弁アセンブリに接続されるように構成される［８］に記載の水洗作動アセンブリ。
［１２］  前記水洗作動バーの前記第２の部分は、噴出弁アセンブリに接続されるように構成される［８］に記載の水洗作動アセンブリ。
［１３］  前記水洗作動バーの前記第１の部分および前記水洗作動バーの前記第２の部分のうちの少なくとも一方は、弁本体部と、シールと前記シールを曲げて弁を徐々に開くことができるように構成されている硬質カバーとを備える弁カバーとを有する弁アセンブリに接続するように構成される［８］に記載の水洗作動アセンブリ。
［１４］  前記シールは、封止表面と係止表面とを備え、ここにおいて、前記係止表面は、前記硬質カバー内の複数の対応する開口部と係合するように前記係止表面上に位置決めされている複数の係止ラグを備える［１３］に記載の水洗作動アセンブリ。
［１５］  前記シールは、封止表面と係止表面とを備え、少なくとも前記封止表面は、シリコーンを備える［１３］に記載の水洗作動アセンブリ。
［１６］  弁本体部を備える水洗弁を有する水洗弁アセンブリ用の弁カバーであって、前記弁カバーは、前記弁本体部に被さるように位置決めされ、前記弁カバーは
シールと、
前記弁カバーを徐々に開くために前記シールとともに曲がることができるように構成されている硬質カバーとを備える水洗弁アセンブリ用の弁カバー。
［１７］  前記シールは、封止表面と係止表面とを備え、ここにおいて、前記係止表面は、前記硬質カバー内の複数の対応する開口部と係合するように前記係止表面上に位置決めされている複数の係止ラグを備える［１６］に記載の水洗弁アセンブリ用の弁カバー。
［１８］  各係止ラグは、ヘッド部とネック部とを備え、ここにおいて、前記ネック部の頂部表面の断面上の横断線に沿って測定された距離は、前記ヘッド部の底部表面の断面上の横断線に沿って測定された距離よりも小さい［１７］に記載の弁カバー。
［１９］  前記複数の係止ラグは、第１の列、第２の列、および第３の列で配置構成される［１７］に記載の水洗弁アセンブリ用の弁カバー。
［２０］  前記第１の列は、前記弁カバーを通る中心垂直長手方向平面上の前記弁カバーの前縁の地点から約５ｍｍから約１５ｍｍのところに配置され、前記第２の列は、前記地点から約４０ｍｍから約５０ｍｍのところに配置され、前記第３の列は、前記地点から約６０ｍｍから約８０ｍｍのところに配置される［１９］に記載の水洗弁アセンブリ用の弁カバー。
［２１］  前記第１の列、前記第２の列、および前記第３の列の各々は、少なくとも１つの係止ラグを備える［１９］に記載の水洗弁アセンブリ用の弁カバー。
［２２］  各係止ラグは、ヘッド部とネック部とを備え、ここにおいて、前記ネック部は、一般的に円筒の形状を有し、前記ヘッド部は、一般的に、丸みのある頂部表面を有する円錐形状である［１９］に記載の弁カバー。
［２３］  係止ラグの前記第１の列の前記ヘッド部および係止ラグの前記第２の列のヘッド部は、一般的に、前記弁カバーの中心垂直長手方向平面に面する側に沿って平坦である［２２］に記載の弁カバー。
［２４］  少なくとも前記封止表面は、シリコーンを備える［１７］に記載の弁カバー。
［２５］  前記硬質カバーは、剥離セクションと持ち上げセクションとを備える［１７］に記載の弁カバー。
［２６］  前記剥離セクションの後縁と前記持ち上げセクションの前縁との間に横方向の分離があり、ここにおいて、前記剥離セクションの前記後縁および前記持ち上げセクションの前記前縁は、互いに実質的に平行であり、中心長手方向平面に対して実質的に垂直であり、前記剥離セクションの前記後縁から前記持ち上げセクションの前記前縁までの間で測定された横方向の距離は、約１０ｍｍから約２０ｍｍである［２５］に記載の弁カバー。
［２７］  前記剥離セクションは、少なくとも１つのヒンジ付きマウントを備え、前記ヒンジ付きマウントは前記持ち上げセクションと接続するように構成される［２５］に記載の弁カバー。
［２８］  前記シールは、前記剥離セクションおよび前記硬質カバーの前記持ち上げセクションと向かい合って係合するように位置決めされる［２５］に記載の弁カバー。
［２９］  前記シールは、複数の係止ラグを使用することで前記剥離セクションと前記持ち上げセクションとに接続される［２５］に記載の弁カバー。
［３０］  前記シールは、接着剤を使用することで前記剥離セクションと前記持ち上げセクションとに接続される［２５］に記載の弁カバー。
［３１］  前記剥離セクションは、水洗作動バーと相互作用するように構成される［２５］に記載の弁カバー。
［３２］  フロートアタッチメントをさらに備える［３１］に記載の弁カバー。
［３３］  水洗便器用の弁アセンブリであって、
弁本体部を第２の弁アセンブリの第２の弁本体部に関連付けるためのリンクを備える前記弁本体部と、
弁カバーとを備える水洗便器用の弁アセンブリ。
［３４］  水洗便器は、サイフォン式水洗便器である［３３］に記載の弁アセンブリ。
［３５］  前記弁本体部に接続され、前記弁カバーが閉じられたときに液体が前記弁本体部に入ることを可能にするように構成されているオーバーフロー管をさらに備える［３３］に記載の弁アセンブリ。
［３６］  前記弁カバーは水洗弁本体部を備え、ここにおいて、前記弁カバーは、前記弁本体部に被さるように位置決めされ、前記弁カバーは
シールと、
前記弁カバーを徐々に開くために前記シールとともに曲がることができるように構成されている硬質カバーとを備える［３３］に記載の弁アセンブリ。
［３７］  前記シールは、封止表面と係止表面とを備え、ここにおいて、前記係止表面は、前記硬質カバー内の複数の対応する開口部と係合するように前記係止表面上に位置決めされている複数の係止ラグを備える［３６］に記載の弁アセンブリ。
［３８］  多重水洗弁アセンブリであって、
第１の弁本体部と、第１のリンクと、第１の弁カバーとを備える第１の弁アセンブリと、
第２の弁本体部と、第２のリンクと、第２の弁カバーとを備える第２の弁アセンブリとを備え、
ここにおいて、前記第１の弁アセンブリおよび前記第２の弁アセンブリは、前記第１のリンクと前記第２のリンクとを噛み合わせることにより互いに関連付け合うように構成される多重水洗弁アセンブリ。
［３９］  前記第１のリンクは、下向きフック形状を有し、前記第２のリンクは、上向きの突起部を有し、前記上向きの突起部は前記下向きフック形状と噛み合って前記第１の弁アセンブリと前記第２の弁アセンブリとの整列状態を維持するように構成される［３８］に記載の多重水洗弁アセンブリ。
［４０］  サイフォン式水洗便器であって、
便器と、
第１の弁アセンブリと、
第２の弁アセンブリと、
第１の部分と第２の部分とを備え、前記第１の部分は前記第１の弁アセンブリに接続されるように構成され、前記第２の部分は前記第２の弁アセンブリに接続されるように構成される水洗作動バーと、
回転ロッドと、
前記回転ロッドと前記水洗作動バーとを動作可能に接続するように位置決めされている調整可能な水洗コネクタと、前記調整可能な水洗コネクタは第１のセクションと、前記調整可能な水洗コネクタの第２のセクションと、調整可能なコネクタとを備え、ここにおいて、前記調整可能なコネクタは、第２の回転可能なコネクタを備え、前記調整可能なコネクタは、前記第２のセクションに沿って長手方向に移動可能であり、回転可能に位置決め可能であり、前記調整可能な水洗コネクタは、前記調整可能な水洗コネクタの前記第１のセクション上に配置されている第１の回転可能なコネクタを使用して前記回転ロッドに接続され、前記調整可能な水洗コネクタは、前記調整可能なコネクタの前記第２の回転可能なコネクタを使用して前記水洗作動バーに接続される、
を備える水洗作動アセンブリと
を備えるサイフォン式水洗便器。
［４１］  前記第１の弁アセンブリは、リム水洗弁アセンブリである［４０］に記載のサイフォン式便器。
［４２］  前記第２の弁アセンブリは、噴出水洗弁アセンブリである［４０］に記載のサイフォン式便器。
［４３］  水洗便器であって、
便器と、
水洗作動アセンブリと、
第１のリンクと第１の弁カバーとを備える第１の弁本体部と、
第２のリンクと、第２の弁カバーとを備える第２の弁本体部を備える第２の弁アセンブリと、ここにおいて、第１の弁アセンブリおよび前記第２の弁アセンブリは、前記第１のリンクと前記第２のリンクとを噛み合わせることにより互いに関連付け合うように構成される、を備える第１の弁アセンブリ
を備える多重水洗弁アセンブリと、
を備える水洗便器。
［４４］  前記水洗便器は、サイフォン式便器である［４３］に記載の便器。
［４５］  前記第１のリンクは、下向きフック形状を有し、前記第２のリンクは、上向きの突起部を有し、前記上向きの突起部は前記下向きフック形状と噛み合って前記第１の弁アセンブリと前記第２の弁アセンブリとの整列状態を維持するように構成される［４３］に記載の便器。
［４６］  水洗便器において使用するためのアセンブリキットであって、
第１の弁アセンブリと、
第２の弁アセンブリと、
第１の部分と第２の部分とを備える水洗作動バーと、
回転ロッドと前記水洗作動バーとを動作可能に接続するように位置決めされている調整可能な水洗コネクタと、前記調整可能な水洗コネクタは第１のセクションと、前記調整可能な水洗コネクタの第２のセクションと、調整可能なコネクタとを備え、ここにおいて、前記調整可能なコネクタは、第２の回転可能なコネクタを備え、前記調整可能なコネクタは、前記第２のセクションに沿って長手方向に移動可能であり、回転可能に位置決め可能であり、前記調整可能な水洗コネクタは、前記調整可能な水洗コネクタの前記第１のセクション上に配置されている第１の回転可能なコネクタを使用して回転ロッドに接続するように構成され、前記調整可能な水洗コネクタは、前記調整可能なコネクタの前記第２の回転可能なコネクタを使用して前記水洗作動バーに接続される、
を備える水洗作動アセンブリと、
を備えるアセンブリキット。
［４７］  前記水洗便器は、サイフォン式水洗便器である［４６］に記載のアセンブリキット。
［４８］  前記第２の弁アセンブリは、フロートアタッチメントを備える［４６］に記載のアセンブリキット。
［４９］  前記フロートアタッチメントは、フロートアセンブリ、チェーン、ひも、コード、ロープ、ステンレスケーブル、硬質ロッド、またはワイヤを備える群から選択される［４８］に記載のアセンブリキット。
［５０］  便器において使用するためのアセンブリキットであって、
水洗作動アセンブリと、
多重水洗弁アセンブリと、
ここにおいて、前記多重水洗弁アセンブリは、第１のリンクと第１の弁カバーとを備える第１の弁本体部を備える第１の弁アセンブリと、
第２のリンクと、第２の弁カバーとを備える第２の弁本体部を備える第２の弁アセンブリとを備え、
ここにおいて、前記第１の弁アセンブリおよび前記第２の弁アセンブリは、前記第１のリンクと前記第２のリンクとを噛み合わせることで互いに関連付けられる、
を備えるアセンブリキット。
［５１］  タンク／ボウル間ガスケットツールをさらに備え、ここにおいて、二重水洗弁アセンブリは、第１のタンク／ボウル間ガスケットと第２のタンク／ボウル間ガスケットとを備え、第１および第２のタンク／ボウル間ガスケットは外縁を備え、前記タンク／ボウル間ガスケットツールは、前記タンク／ボウル間ガスケットの前記外縁と嵌合するように構成され、前記タンク／ボウル間ガスケットを便器ボウルに取り付けるためのレンチとして使用され得る［４８］に記載のアセンブリキット。
【外国語明細書】
2020041409000001.pdf